(57)【特許請求の範囲】
【請求項１】
無線通信のためのユーザ機器（ＵＥ）による方法であって、
チャネル状態情報レポート（ＣＳＩレポート）に関連するチャネル測定を非ゼロ電力（ＮＺＰ）ＣＳＩ基準信号（ＣＳＩ−ＲＳ）（ＮＺＰ  ＣＳＩ−ＲＳ）リソースの組の第１サブセットに対して実行する段階と、
前記ＣＳＩレポートに関連する干渉測定を前記ＮＺＰ  ＣＳＩ−ＲＳリソースの組の少なくとも第２サブセットに対して実行する段階であって、前記ＮＺＰ  ＣＳＩ−ＲＳリソースの組の前記第２サブセットは、１又は複数のＮＺＰ  ＣＳＩ−ＲＳポートを含み、前記干渉測定を実行するときに従う想定は、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートが対応する干渉送信層に関連しない他の干渉は、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、段階と、
前記チャネル測定及び前記干渉測定に基づいて前記ＣＳＩレポートを生成する段階と、
前記ＣＳＩレポートをネットワークに送信する段階と、
ＣＳＩ干渉測定（ＣＳＩ−ＩＭ）のためのリソースの組の構成を受信する段階と
を備え、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、方法。
【請求項２】
前記ＣＳＩレポートは少なくともチャネル品質インジケータ（ＣＱＩ）を含むが、プリコーディングマトリクスインジケータ（ＰＭＩ）を含まない、請求項１に記載の方法。
【請求項３】
前記ＮＺＰ  ＣＳＩ−ＲＳリソースの組の前記第２サブセットにおける１つのＮＺＰ  ＣＳＩ−ＲＳリソースに各々関連する、前記ＥＰＲＥの比の組における各ＥＰＲＥの比は、物理ダウンリンク共有チャネル（ＰＤＳＣＨ）ＥＰＲＥと、前記ＮＺＰ  ＣＳＩ−ＲＳリソースのＥＰＲＥとの想定比率を指定する、請求項１又は２に記載の方法。
【請求項４】
チャネル測定に関連する測定制限の構成を受信する段階を更に備える、請求項１から３のいずれか一項に記載の方法。
【請求項５】
干渉測定に関連する測定制限の構成を受信する段階を更に備える、請求項１から４のいずれか一項に記載の方法。
【請求項６】
前記ＮＺＰ  ＣＳＩ−ＲＳリソースの前記第１サブセット、及び、前記ＮＺＰ  ＣＳＩ−ＲＳリソースの前記第２サブセットは重複する、請求項１から５のいずれか一項に記載の方法。
【請求項７】
前記ＵＥが、前記チャネル測定及び前記干渉測定のための前記ＮＺＰ  ＣＳＩ−ＲＳリソースの組のインジケーションをネットワークノードから受信する段階であって、前記インジケーションは、前記ＮＺＰ  ＣＳＩ−ＲＳリソースの前記第１サブセット及び前記ＮＺＰ  ＣＳＩ−ＲＳリソースの前記第２サブセットを指示する、段階を更に備える、請求項１から６のいずれか一項に記載の方法。
【請求項８】
前記ネットワークノードは、ＮｏｄｅＢ、進化型ＮｏｄｅＢ（ｅＮＢ）、又は、次世代ＮｏｄｅＢ（ｇＮＢ）を含む、請求項７に記載の方法。
【請求項９】
前記ＵＥは、ダウンリンク制御情報（ＤＣＩ）を介して、前記ＮＺＰ  ＣＳＩ−ＲＳリソースの前記第１サブセット、及び、前記ＮＺＰ  ＣＳＩ−ＲＳリソースの前記第２サブセットの前記インジケーションを前記ネットワークノードから受信する、請求項７又は８に記載の方法。
【請求項１０】
前記ＵＥは、ダウンリンク制御情報（ＤＣＩ）及び媒体アクセス制御（ＭＡＣ）シグナリングの組み合わせを介して、前記ＮＺＰ  ＣＳＩ−ＲＳリソースの前記第１サブセット、及び、前記ＮＺＰ  ＣＳＩ−ＲＳリソースの前記第２サブセットの前記インジケーションを前記ネットワークノードから受信する、請求項７又は８に記載の方法。
【請求項１１】
前記ＤＣＩは、１又は複数のＣＳＩレポート設定の動的トリガを提供する、請求項９又は１０に記載の方法。
【請求項１２】
ユーザ機器（ＵＥ）であって、
１又は複数のプロセッサと、
前記１又は複数のプロセッサによって実行されるプログラムを記憶する非一時的コンピュータ可読記憶媒体と
を備え、前記プログラムは、
チャネル状態情報レポート（ＣＳＩレポート）に関連するチャネル測定を非ゼロ電力（ＮＺＰ）ＣＳＩ基準信号（ＣＳＩ−ＲＳ）（ＮＺＰ  ＣＳＩ−ＲＳ）リソースの組の第１サブセットに対して実行する命令と、
前記ＣＳＩレポートに関連する干渉測定を前記ＮＺＰ  ＣＳＩ−ＲＳリソースの組の少なくとも第２サブセットに対して実行する命令であって、前記ＮＺＰ  ＣＳＩ−ＲＳリソースの組の前記第２サブセットは、１又は複数のＮＺＰ  ＣＳＩ−ＲＳポートを含み、前記干渉測定を実行するときに従う想定は、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートに対応する干渉送信層に関連しない他の干渉は、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、命令と、
前記チャネル測定及び前記干渉測定に基づいて前記ＣＳＩレポートを生成する命令と、
前記ＣＳＩレポートをネットワークへ送信する命令と、
ＣＳＩ干渉測定（ＣＳＩ−ＩＭ）のためのリソースの組の構成を受信する命令と
を含み、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、ＵＥ。
【請求項１３】
前記ＣＳＩレポートは、少なくともチャネル品質インジケータ（ＣＱＩ）を含むが、プリコーディングマトリクスインジケータ（ＰＭＩ）を含まない、請求項１２に記載のＵＥ。
【請求項１４】
前記ＮＺＰ  ＣＳＩ−ＲＳリソースの組の前記第２サブセットにおける１つのＮＺＰ  ＣＳＩ−ＲＳリソースに各々関連する、前記ＥＰＲＥの比の組における各ＥＰＲＥの比は、物理ダウンリンク共有チャネル（ＰＤＳＣＨ）ＥＰＲＥと、前記ＮＺＰ  ＣＳＩ−ＲＳリソースのＥＰＲＥとの想定比率を指定する、請求項１２又は１３に記載のＵＥ。
【請求項１５】
前記プログラムは更に、チャネル測定に関連する測定制限の構成を受信する命令を含む、請求項１２から１４のいずれか一項に記載のＵＥ。
【請求項１６】
前記プログラムは更に、干渉測定に関連する測定制限の構成を受信する命令を含む、請求項１２から１５のいずれか一項に記載のＵＥ。
【請求項１７】
前記ＮＺＰ  ＣＳＩ−ＲＳリソースの前記第１サブセット、及び、前記ＮＺＰ  ＣＳＩ−ＲＳリソースの前記第２サブセットは重複する、請求項１２から１６のいずれか一項に記載のＵＥ。
【請求項１８】
前記プログラムは、前記ＵＥによって、前記チャネル測定及び前記干渉測定のための前記ＮＺＰ  ＣＳＩ−ＲＳリソースの組のインジケーションをネットワークノードから受信する命令であって、前記インジケーションは、前記ＮＺＰ  ＣＳＩ−ＲＳリソースの前記第１サブセット及び前記ＮＺＰ  ＣＳＩ−ＲＳリソースの前記第２サブセットを指示する、命令を更に含む、請求項１２から１７のいずれか一項に記載のＵＥ。
【請求項１９】
前記ネットワークノードはＮｏｄｅＢ、進化型ＮｏｄｅＢ（ｅＮＢ）、又は、次世代ＮｏｄｅＢ（ｇＮＢ）を含む、請求項１８に記載のＵＥ。
【請求項２０】
前記ＵＥは、ダウンリンク制御情報（ＤＣＩ）を介して、前記ＮＺＰ  ＣＳＩ−ＲＳリソースの前記第１サブセット、及び、前記ＮＺＰ  ＣＳＩ−ＲＳリソースの前記第２サブセットの前記インジケーションを前記ネットワークノードから受信する、請求項１８又は１９に記載のＵＥ。
【請求項２１】
前記ＵＥは、ダウンリンク制御情報（ＤＣＩ）及び媒体アクセス制御（ＭＡＣ）シグナリングの組み合わせを介して、前記ＮＺＰ  ＣＳＩ−ＲＳリソースの前記第１サブセット、及び、前記ＮＺＰ  ＣＳＩ−ＲＳリソースの前記第２サブセットの前記インジケーションを前記ネットワークノードから受信する、請求項１８又は１９に記載のＵＥ。
【請求項２２】
前記ＤＣＩは、１又は複数のＣＳＩレポート設定の動的トリガを提供する、請求項２０又は２１に記載のＵＥ。
【請求項２３】
１又は複数のプロセッサによって実行されるプログラムであって、前記プログラムは、
チャネル状態情報レポート（ＣＳＩレポート）に関連するチャネル測定を非ゼロ電力（ＮＺＰ）ＣＳＩ基準信号（ＣＳＩ−ＲＳ）（ＮＺＰ  ＣＳＩ−ＲＳ）リソースの組の第１サブセットに対して実行する命令と、
前記ＣＳＩレポートに関連する干渉測定を前記ＮＺＰ  ＣＳＩ−ＲＳリソースの組の少なくとも第２サブセットに対して実行する命令であって、前記ＮＺＰ  ＣＳＩ−ＲＳリソースの組の前記第２サブセットは、１又は複数のＮＺＰ  ＣＳＩ−ＲＳポートを含み、前記干渉測定を実行するときに従う想定は、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートに対応する干渉送信層に関連しない他の干渉は、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、命令と、
前記チャネル測定及び前記干渉測定に基づいて前記ＣＳＩレポートを生成する命令と、
前記ＣＳＩレポートをネットワークへ送信する命令と、
ＣＳＩ干渉測定（ＣＳＩ−ＩＭ）のためのリソースの組の構成を受信する命令と
を含み、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、プログラム。
【請求項２４】
前記ＣＳＩレポートは少なくともチャネル品質インジケータ（ＣＱＩ）を含むがプリコーディングマトリクスインジケータ（ＰＭＩ）を含まない、請求項２３に記載のプログラム。
【請求項２５】
前記ＮＺＰ  ＣＳＩ−ＲＳリソースの組の前記第２サブセットにおける１つのＮＺＰ  ＣＳＩ−ＲＳリソースに各々関連する、前記ＥＰＲＥの比の組における各ＥＰＲＥの比は、物理ダウンリンク共有チャネル（ＰＤＳＣＨ）ＥＰＲＥと、前記ＮＺＰ  ＣＳＩ−ＲＳリソースのＥＰＲＥとの想定比率を指定する、請求項２３又は２４に記載のプログラム。
【請求項２６】
前記プログラムは、チャネル測定に関連する測定制限の構成を受信する命令を更に含む、請求項２３から２５のいずれか一項に記載のプログラム。
【請求項２７】
前記プログラムは、干渉測定に関連する測定制限の構成を受信する命令を更に含む、請求項２３から２６のいずれか一項に記載のプログラム。
【請求項２８】
前記ＮＺＰ  ＣＳＩ−ＲＳリソースの前記第１サブセット、及び、前記ＮＺＰ  ＣＳＩ−ＲＳリソースの前記第２サブセットは重複する、請求項２３から２７のいずれか一項に記載のプログラム。
【請求項２９】
前記プログラムは、前記チャネル測定及び前記干渉測定のための前記ＮＺＰ  ＣＳＩ−ＲＳリソースの組のインジケーションをネットワークノードから受信する命令であって、前記インジケーションは、前記ＮＺＰ  ＣＳＩ−ＲＳリソースの前記第１サブセット及び前記ＮＺＰ  ＣＳＩ−ＲＳリソースの前記第２サブセットを指示する、命令を更に含む、請求項２３から２８のいずれか一項に記載のプログラム。
【請求項３０】
前記ネットワークノードはＮｏｄｅＢ、進化型ＮｏｄｅＢ（ｅＮＢ）、又は、次世代ＮｏｄｅＢ（ｇＮＢ）を含む、請求項２９に記載のプログラム。
【請求項３１】
前記ＮＺＰ  ＣＳＩ−ＲＳリソースの前記第１サブセット、及び、前記ＮＺＰ  ＣＳＩ−ＲＳリソースの前記第２サブセットの前記インジケーションは、ダウンリンク制御情報（ＤＣＩ）を介して前記ネットワークノードから受信される、請求項２９又は３０に記載のプログラム。
【請求項３２】
前記ＮＺＰ  ＣＳＩ−ＲＳリソースの前記第１サブセット、及び、前記ＮＺＰ  ＣＳＩ−ＲＳリソースの前記第２サブセットの前記インジケーションは、ダウンリンク制御情報（ＤＣＩ）及び媒体アクセス制御（ＭＡＣ）シグナリングの組み合わせを介して、前記ネットワークノードから受信される、請求項２９又は３０に記載のプログラム。
【請求項３３】
前記ＤＣＩは、１又は複数のＣＳＩレポート設定の動的トリガを提供する、請求項３１又は３２に記載のプログラム。
【請求項３４】
ネットワークノードによる、無線通信のための方法であって、
ネットワークノードが、チャネル測定及び干渉測定についての非ゼロ電力（ＮＺＰ）チャネル状態情報（ＣＳＩ）基準信号（ＣＳＩ−ＲＳ）（ＮＺＰ  ＣＳＩ−ＲＳ）リソースの組をユーザ機器（ＵＥ）に指示する段階であって、前記ＮＺＰ  ＣＳＩ−ＲＳリソースの組の第１サブセットはチャネル測定のために構成され、前記ＮＺＰ  ＣＳＩ−ＲＳリソースの組の第２サブセットは干渉測定のために構成される、段階と、
前記ネットワークノードが、前記ＵＥからＣＳＩレポートを受信する段階であって、前記ＣＳＩレポートは、前記チャネル測定及び前記干渉測定に基づき、前記チャネル測定は、前記ＵＥによって、前記ＮＺＰ  ＣＳＩ−ＲＳリソースの組の前記第１サブセットに対して実行され、前記干渉測定は、前記ＵＥによって、前記ＮＺＰ  ＣＳＩ−ＲＳリソースの組の前記第２サブセットに対して実行され、従う想定として、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートが対応する干渉送信層に関連しない他の干渉が、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、段階と、
前記ネットワークノードによって、ＣＳＩ干渉測定（ＣＳＩ−ＩＭ）のためのリソースの組の構成を前記ＵＥに指示する段階と
を備え、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、方法。
【請求項３５】
前記ＣＳＩレポートは、少なくともチャネル品質インジケータ（ＣＱＩ）を含むが、プリコーディングマトリクスインジケータ（ＰＭＩ）を含まない、請求項３４に記載の方法。
【請求項３６】
前記ＮＺＰ  ＣＳＩ−ＲＳリソースの組の前記第２サブセットにおける１つのＮＺＰ  ＣＳＩ−ＲＳリソースに各々関連する、前記ＥＰＲＥの比の組における各ＥＰＲＥの比は、物理ダウンリンク共有チャネル（ＰＤＳＣＨ）ＥＰＲＥと、前記ＮＺＰ  ＣＳＩ−ＲＳリソースのＥＰＲＥとの想定比率を指定する、請求項３４又は３５に記載の方法。
【請求項３７】
前記ネットワークノードによって、チャネル測定に関連する測定制限の構成を前記ＵＥに指示する段階を更に備える、請求項３４から３６のいずれか一項に記載の方法。
【請求項３８】
前記ネットワークノードによって、干渉測定に関連する測定制限の構成を前記ＵＥに指示する段階を更に備える、請求項３４から３７のいずれか一項に記載の方法。
【請求項３９】
前記ネットワークノードは、ＮｏｄｅＢ、進化型ＮｏｄｅＢ（ｅＮＢ）、又は、次世代ＮｏｄｅＢ（ｇＮＢ）を含む、請求項３４から３８のいずれか一項に記載の方法。
【請求項４０】
前記ＮＺＰ  ＣＳＩ−ＲＳリソースの前記第１サブセット及び前記ＮＺＰ  ＣＳＩ−ＲＳリソースの前記第２サブセットは重複する、請求項３４から３９のいずれか一項に記載の方法。
【請求項４１】
前記ネットワークノードは、ダウンリンク制御情報（ＤＣＩ）を介して、前記ＮＺＰ  ＣＳＩ−ＲＳリソースの前記第１サブセット、及び、前記ＮＺＰ  ＣＳＩ−ＲＳリソースの前記第２サブセットを前記ＵＥに指示する、請求項３４から３９のいずれか一項に記載の方法。
【請求項４２】
前記ネットワークノードは、ダウンリンク制御情報（ＤＣＩ）及び媒体アクセス制御（ＭＡＣ）シグナリングの組み合わせを介して、前記ＮＺＰ  ＣＳＩ−ＲＳリソースの前記第１サブセット、及び、前記ＮＺＰ  ＣＳＩ−ＲＳリソースの前記第２サブセットを前記ＵＥに指示する、請求項３４から４０のいずれか一項に記載の方法。
【請求項４３】
前記ＤＣＩは、１又は複数のＣＳＩレポート設定の動的トリガを提供する、請求項４１又は４２に記載の方法。
【請求項４４】
ネットワークノードであって、
１又は複数のプロセッサと、
前記１又は複数のプロセッサによって実行されるプログラムを記憶する非一時的コンピュータ可読記憶媒体と
を備え、前記プログラムは、
ネットワークノードが、チャネル測定及び干渉測定についての非ゼロ電力（ＮＺＰ）チャネル状態情報（ＣＳＩ）基準信号（ＣＳＩ−ＲＳ）（ＮＺＰ  ＣＳＩ−ＲＳ）リソースの組をユーザ機器（ＵＥ）に指示する命令であって、前記ＮＺＰ  ＣＳＩ−ＲＳリソースの組の第１サブセットはチャネル測定のために構成され、前記ＮＺＰ  ＣＳＩ−ＲＳリソースの組の第２サブセットは干渉測定のために構成される、命令と、
前記ネットワークノードが、前記ＵＥからＣＳＩレポートを受信する命令であって、前記ＣＳＩレポートは、前記チャネル測定及び前記干渉測定に基づき、前記チャネル測定は、前記ＵＥによって、前記ＮＺＰ  ＣＳＩ−ＲＳリソースの組の前記第１サブセットに対して実行され、前記干渉測定は、前記ＵＥによって、前記ＮＺＰ  ＣＳＩ−ＲＳリソースの組の前記第２サブセットに対して実行され、従う想定として、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートが対応する干渉送信層に関連しない他の干渉が、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、命令と、
前記ネットワークノードによって、ＣＳＩ干渉測定（ＣＳＩ−ＩＭ）のためのリソースの組の構成を前記ＵＥに指示する命令と
を含み、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、ネットワークノード。
【請求項４５】
前記ＣＳＩレポートは、少なくともチャネル品質インジケータ（ＣＱＩ）を含むが、プリコーディングマトリクスインジケータ（ＰＭＩ）を含まない、請求項４４に記載のネットワークノード。
【請求項４６】
前記ＮＺＰ  ＣＳＩ−ＲＳリソースの組の前記第２サブセットにおける１つのＮＺＰ  ＣＳＩ−ＲＳリソースに各々関連する、前記ＥＰＲＥの比の組における各ＥＰＲＥの比は、物理ダウンリンク共有チャネル（ＰＤＳＣＨ）ＥＰＲＥと、前記ＮＺＰ  ＣＳＩ−ＲＳリソースのＥＰＲＥとの想定比率を指定する、請求項４４又は４５に記載のネットワークノード。
【請求項４７】
前記プログラムは更に、前記ネットワークノードによって、チャネル測定に関連する測定制限の構成を前記ＵＥに指示する命令を含む、請求項４４から４６のいずれか一項に記載のネットワークノード。
【請求項４８】
前記プログラムは更に、前記ネットワークノードによって、干渉測定に関連する測定制限の構成を前記ＵＥに指示する命令を含む、請求項４４から４７のいずれか一項に記載のネットワークノード。
【請求項４９】
前記ネットワークノードは、ＮｏｄｅＢ、進化型ＮｏｄｅＢ（ｅＮＢ）、又は、次世代ＮｏｄｅＢ（ｇＮＢ）を含む、請求項４４から４８のいずれか一項に記載のネットワークノード。
【請求項５０】
前記ＮＺＰ  ＣＳＩ−ＲＳリソースの前記第１サブセット、及び、前記ＮＺＰ  ＣＳＩ−ＲＳリソースの前記第２サブセットは重複する、請求項４４から４９のいずれか一項に記載のネットワークノード。
【請求項５１】
前記ネットワークノードは、ダウンリンク制御情報（ＤＣＩ）を介して、前記ＮＺＰ  ＣＳＩ−ＲＳリソースの前記第１サブセット、及び、前記ＮＺＰ  ＣＳＩ−ＲＳリソースの前記第２サブセットを前記ＵＥに指示する、請求項４４から５０のいずれか一項に記載のネットワークノード。
【請求項５２】
前記ネットワークノードは、ダウンリンク制御情報（ＤＣＩ）及び媒体アクセス制御（ＭＡＣ）シグナリングの組み合わせを介して、前記ＮＺＰ  ＣＳＩ−ＲＳリソースの前記第１サブセット、及び、前記ＮＺＰ  ＣＳＩ−ＲＳリソースの前記第２サブセットを前記ＵＥに指示する、請求項４４から５０のいずれか一項に記載のネットワークノード。
【請求項５３】
前記ＤＣＩは、１又は複数のＣＳＩレポート設定の動的トリガを提供する、請求項５１又は５２に記載のネットワークノード。
【請求項５４】
１又は複数のプロセッサによって実行されるプログラムであって、前記プログラムは、
ネットワークノードが、チャネル測定及び干渉測定についての非ゼロ電力（ＮＺＰ）チャネル状態情報（ＣＳＩ）基準信号（ＣＳＩ−ＲＳ）（ＮＺＰ  ＣＳＩ−ＲＳ）リソースの組をユーザ機器（ＵＥ）に指示する命令であって、前記ＮＺＰ  ＣＳＩ−ＲＳリソースの組の第１サブセットはチャネル測定のために構成され、前記ＮＺＰ  ＣＳＩ−ＲＳリソースの組の第２サブセットは干渉測定のために構成される、命令と、
前記ネットワークノードが、前記ＵＥからＣＳＩレポートを受信する命令であって、前記ＣＳＩレポートは、前記チャネル測定及び前記干渉測定に基づき、前記チャネル測定は、前記ＵＥによって、前記ＮＺＰ  ＣＳＩ−ＲＳリソースの組の前記第１サブセットに対して実行され、前記干渉測定は、前記ＵＥによって、前記ＮＺＰ  ＣＳＩ−ＲＳリソースの組の前記第２サブセットに対して実行され、従う想定として、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートが対応する干渉送信層に関連しない他の干渉が、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、命令と、
前記ネットワークノードによって、ＣＳＩ干渉測定（ＣＳＩ−ＩＭ）のためのリソースの組の構成を前記ＵＥに指示する命令と
を含み、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、プログラム。
【請求項５５】
前記ＣＳＩレポートは、少なくともチャネル品質インジケータ（ＣＱＩ）を含むが、プリコーディングマトリクスインジケータ（ＰＭＩ）を含まない、請求項５４に記載のプログラム。
【請求項５６】
前記ＮＺＰ  ＣＳＩ−ＲＳリソースの組の前記第２サブセットにおける１つのＮＺＰ  ＣＳＩ−ＲＳリソースに各々関連する、前記ＥＰＲＥの比の組における各ＥＰＲＥの比は、物理ダウンリンク共有チャネル（ＰＤＳＣＨ）ＥＰＲＥと、前記ＮＺＰ  ＣＳＩ−ＲＳリソースのＥＰＲＥとの想定比率を指定する、請求項５４又は５５に記載のプログラム。
【請求項５７】
前記プログラムは更に、前記ネットワークノードによって、チャネル測定に関連する測定制限の構成を前記ＵＥに指示する命令を含む、請求項５４から５６のいずれか一項に記載のプログラム。
【請求項５８】
前記プログラムは更に、前記ネットワークノードによって、干渉測定に関連する測定制限の構成を前記ＵＥに指示する命令を含む、請求項５４から５７のいずれか一項に記載のプログラム。
【請求項５９】
前記ネットワークノードは、ＮｏｄｅＢ、進化型ＮｏｄｅＢ（ｅＮＢ）、又は、次世代ＮｏｄｅＢ（ｇＮＢ）を含む、請求項５４から５８のいずれか一項に記載のプログラム。
【請求項６０】
前記ＮＺＰ  ＣＳＩ−ＲＳリソースの前記第１サブセット、及び、前記ＮＺＰ  ＣＳＩ−ＲＳリソースの前記第２サブセットは重複する、請求項５４から５９のいずれか一項に記載のプログラム。
【請求項６１】
前記ネットワークノードは、ダウンリンク制御情報（ＤＣＩ）を介して、前記ＮＺＰ  ＣＳＩ−ＲＳリソースの前記第１サブセット、及び、前記ＮＺＰ  ＣＳＩ−ＲＳリソースの前記第２サブセットを前記ＵＥに指示する、請求項５４から６０のいずれか一項に記載のプログラム。
【請求項６２】
前記ネットワークノードは、ダウンリンク制御情報（ＤＣＩ）及び媒体アクセス制御（ＭＡＣ）シグナリングの組み合わせを介して、前記ＮＺＰ  ＣＳＩ−ＲＳリソースの前記第１サブセット、及び、前記ＮＺＰ  ＣＳＩ−ＲＳリソースの前記第２サブセットを前記ＵＥに指示する、請求項５４から６０のいずれか一項に記載のプログラム。
【請求項６３】
前記ＤＣＩは、１又は複数のＣＳＩレポート設定の動的トリガを提供する、請求項６１又は６２に記載のプログラム。
【請求項６４】
無線通信のための装置であって、
チャネル状態情報レポート（ＣＳＩレポート）に関連するチャネル測定を非ゼロ電力（ＮＺＰ）ＣＳＩ基準信号（ＣＳＩ−ＲＳ）（ＮＺＰ  ＣＳＩ−ＲＳ）リソースの組の第１サブセットに対して実行するための手段と、
前記ＣＳＩレポートに関連する干渉測定を前記ＮＺＰ  ＣＳＩ−ＲＳリソースの組の少なくとも第２サブセットに対して実行するための手段であって、前記ＮＺＰ  ＣＳＩ−ＲＳリソースの組の前記第２サブセットは、１又は複数のＮＺＰ  ＣＳＩ−ＲＳポートを含み、前記干渉測定が実行されるときに従う想定は、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートが対応する干渉送信層に関連しない他の干渉は、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、手段と、
前記チャネル測定及び前記干渉測定に基づいて前記ＣＳＩレポートを生成するための手段と、
前記ＣＳＩレポートをネットワークに送信するための手段と、
ＣＳＩ干渉測定（ＣＳＩ−ＩＭ）のためのリソースの組の構成を受信するための手段と
を備え、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、装置。
【請求項６５】
無線通信のための装置であって、
チャネル測定及び干渉測定についての非ゼロ電力（ＮＺＰ）チャネル状態情報（ＣＳＩ）基準信号（ＣＳＩ−ＲＳ）（ＮＺＰ  ＣＳＩ−ＲＳ）リソースの組をユーザ機器（ＵＥ）に指示するための手段であって、前記ＮＺＰ  ＣＳＩ−ＲＳリソースの組の第１サブセットはチャネル測定のために構成され、前記ＮＺＰ  ＣＳＩ−ＲＳリソースの組の第２サブセットは干渉測定のために構成される、手段と、
前記ＵＥからＣＳＩレポートを受信するための手段であって、前記ＣＳＩレポートは、前記チャネル測定及び前記干渉測定に基づき、前記チャネル測定は、前記ＵＥによって、前記ＮＺＰ  ＣＳＩ−ＲＳリソースの組の前記第１サブセットに対して実行され、前記干渉測定は、前記ＵＥによって、前記ＮＺＰ  ＣＳＩ−ＲＳリソースの組の前記第２サブセットに対して実行され、従う想定として、前記ＮＺＰ  ＣＳＩ−ＲＳリソースの組の前記第２サブセットにおける各ＮＺＰ  ＣＳＩ−ＲＳポートが干渉送信層に対応すること、前記干渉測定は、前記ＮＺＰ  ＣＳＩ−ＲＳリソースの組の前記第２サブセットにおける１つのＮＺＰ  ＣＳＩ−ＲＳリソースに各々関連する、リソースエレメントあたりのエネルギー（ＥＰＲＥ）の比の組に従うこと、並びに、前記ＮＺＰ  ＣＳＩ−ＲＳリソースの組の前記第２サブセットにおけるＮＺＰ  ＣＳＩ−ＲＳポートが対応する干渉送信層に関連しない他の干渉が、前記ＮＺＰ  ＣＳＩ−ＲＳリソースの組の前記第１サブセット、及び、前記ＮＺＰ  ＣＳＩ−ＲＳリソースの組の前記第２サブセットに対するものであることを含む、手段と、
ＣＳＩ干渉測定（ＣＳＩ−ＩＭ）のためのリソースの組の構成を前記ＵＥに指示するための手段と
を備え、
前記干渉測定が実行されるときに従う前記想定は更に、前記ＮＺＰ  ＣＳＩ−ＲＳリソースの組の前記第２サブセットにおけるＮＺＰ  ＣＳＩ−ＲＳポートに対応する干渉送信層に関連しない他の干渉が、前記ＣＳＩ−ＩＭのためのリソースの組に対するものであることを含む、装置。
【発明の詳細な説明】
【技術分野】
【０００１】
［関連出願］
本出願は、２０１７年１１月１７日に出願された米国特許仮出願第６２／５８８，１７６号、及び、２０１８年５月１１日に出願された米国特許仮出願第６２／６７０，４６４号の利益を主張するものであり、これらの出願はこれによって両方とも参照によって本明細書に組み込まれる。
【０００２】
本開示は、無線通信のためのシステム及び方法に関連し、特定の実施形態においては、無線ネットワークにおけるチャネル測定のためのシステム及び方法に関連する。
【背景技術】
【０００３】
無線通信システムは、ロングタームエボリューション（ＬＴＥ）、ＬＴＥ−Ａ、ＬＴＥ−Ａ以降のシステム、５Ｇ  ＬＴＥ、５Ｇ  Ｎｅｗ  Ｒａｄｉｏ（ＮＲ）などを含む。現代の無線通信システムは、複数のＮｏｄｅＢ（ＮＢ）を含み得て、これらは、基地局、ネットワークノード、通信コントローラ、セル、又は、強化型ＮＢ（ｅＮＢ）などとも称され得る。ＮｏｄｅＢは、高速パケットアクセス（ＨＳＰＡ）ＮＢ又はＷｉ−Ｆｉアクセスポイントなど、種々の無線アクセス技術（ＲＡＴ）を使用する１又は複数のネットワークポイント又はネットワークノードを含み得る。ＮｏｄｅＢは、単一のネットワークポイント又は複数のネットワークポイントと関連し得る。セルは、単一のネットワークポイント又は複数のネットワークポイントを含み得て、各ネットワークポイントは、単一のアンテナ又は複数のアンテナを有し得る。ネットワークポイントは、複数のコンポーネントキャリアにおいて動作する複数のセルに対応し得る。
【０００４】
ｅＮＢは、Ｘ２インタフェースを介して別のｅＮＢと相互接続され得る。ｅＮＢはまた、Ｓ１インタフェースを介してモビリティ管理エンティティ（ＭＭＥ）、及び、サービングゲートウェイ（Ｓ−ＧＷ）に接続され得る。加えて、セル又はＮｏｄｅＢは、ある期間中に、複数のユーザ（一般にはユーザ機器（ＵＥ）、移動局、端末、デバイスなどとも称される）にサービス提供し得る。ネットワークリソースは、ＵＥにサービス提供するための、ポイント、ネットワークポイント、送信ポイント（ＴＰ）、送信−受信ポイント（ＴＲＰ）、ノード、ネットワークノードなどを含む。そのようなネットワークリソースは、物理的に分散していても、又は、局在していてもよく、ある場所には、そのようなリソース（例えば、１又は複数のネットワークポイント）の１又は複数の組があり得る。ネットワークリソースは、ＵＥに対して、仮想化セルとして動作し得る。ネットワーク又はＵＥは複数の層を有し得る。概して、レイヤ１は物理（ＰＨＹ）層、レイヤ２は媒体アクセス制御（ＭＡＣ）層、レイヤ３はＲＲＣ層などである。
【０００５】
概して、直交周波数分割多重（ＯＦＤＭ）システムにおいて、システムの周波数帯域幅は、周波数領域において複数のサブキャリアに分割される。時間領域において、１つのサブフレームは複数のＯＦＤＭシンボルに分割される。ＯＦＤＭシンボルは、マルチパスの遅延によって引き起こされるシンボル間の干渉を回避するべくサイクリックプレフィックスを有し得る。１つのリソースエレメント（ＲＥ）は、１つのサブキャリア及び１つのＯＦＤＭシンボルにおける時間／周波数リソースによって規定される。ダウンリンク送信において、基準信号（ＲＳ）、並びに、データチャネル（例えば、物理ダウンリンク共有チャネル（ＰＤＳＣＨ））、制御チャネル（例えば、物理ダウンリンク制御チャネル（ＰＤＣＣＨ））、及び、強化型ＰＤＣＣＨ（ＥＰＤＣＣＨ）など他の信号は直交し、時間／周波数領域における異なるＲＥにおいて多重化される。アップリンク送信において、物理アップリンク共有チャネル（ＰＵＳＣＨ）及び物理アップリンク制御チャネル（ＰＵＣＣＨ）は直交し、異なる時間／周波数リソースにおいて多重化される。ＲＥの組は共にグループ化され、リソースブロック（ＲＢ）を形成する。例えば、スロットにおける１２個のサブキャリアがＲＢを形成する。
【０００６】
概して、ＬＴＥ−ＡシステムのＰＤＳＣＨ又はＰＵＳＣＨなど、アップリンク（ＵＬ）又はダウンリンク（ＤＬ）送信のいずれかで任意のデータチャネルを提供するべく、基準信号が送信される。ＰＤＣＣＨ及び他の共通チャネルの復調のために、並びに、いくつかの測定及びフィードバックのために、ＵＥがチャネル／信号推定／測定を実行するための基準信号がある。これは、進化型地上無線アクセス（Ｅ−ＵＴＲＡ）のリリース８／９仕様から継承された共通／セル固有基準信号（ＣＲＳ）である。専用／復調基準信号（ＤＭＲＳ）は、Ｅ−ＵＴＲＡのリリース１０におけるＰＤＳＣＨチャネルと共に送信され得る。ＤＭＲＳは、ＰＤＳＣＨ復調中のチャネル推定に使用される。ＣＲＳ及びＤＭＲＳに加えて、リリース１０において、チャネル状態情報基準信号（ＣＳＩ−ＲＳ）が導入される。ＣＳＩ−ＲＳは、特に、複数のアンテナの場合に、リリース１０  ＵＥがチャネルステータスを測定するために使用される。ＰＭＩ／ＣＱＩ／ＲＩ及び他のフィードバック情報は、リリース１０以降のＵＥのＣＳＩ−ＲＳの測定に基づく。ＰＭＩはプリコーディングマトリクスインジケータであり、ＣＱＩはチャネル数インジケータであり、ＲＩはプリコーディングマトリクスのランクインジケータである。リリース１０におけるＣＳＩ−ＲＳは、最大８個の送信アンテナをサポートし得て、一方でＣＲＳはリリース８／９において最大で４個の送信アンテナをサポートし得る。ＣＳＩ−ＲＳアンテナポートの数は、１、２、４又は８であり得る。加えて、同一の数のアンテナポートをサポートするべく、ＣＳＩ−ＲＳは、時間及び周波数における低い密度に起因して、より低いオーバヘッドを有する。
【０００７】
ヘテロジニアスネットワーク（ＨｅｔＮｅｔ）は、概して同一の通信リソースを共有し得る高電力マクロポイント及び様々なより低い電力ポイントを含む。より低い電力ポイントは、これらに限定されるものではないが、ピコ、マイクロ、リモートラジオヘッド（ＲＲＨ）、フェムト（又はホームｅＮＢ（ＨｅＮＢ））、アクセスポイント（ＡＰ）、分散アンテナ（ＤＡ）、リレー、及び、近距離無線通信ポイントを含み得る。
【０００８】
ネットワークはまた、種々の周波数帯で動作するいくつかのコンポーネントキャリアを含み得る。高周波数帯は概して、遠距離で高い伝搬損失を有するので、近いＵＥのために高スループットの目的で使用されるなど、比較的小さいエリアにおいてサービス提供するのにより好適である。低周波数帯は概して、遠距離で低い伝搬損失を有するので、カバレッジを提供するために使用されるなど、比較的大きいエリアにおいてサービス提供するのにより好適である。
【発明の概要】
【０００９】
本開示の一態様によれば、無線通信のためのユーザ機器（ＵＥ）による方法は、非ゼロ電力（ＮＺＰ）ＣＳＩ基準信号（ＣＳＩ−ＲＳ）（ＮＺＰ  ＣＳＩ−ＲＳ）リソースの組の第１サブセットに対して、チャネル状態情報（ＣＳＩ）レポートに関連するチャネル測定を実行する段階を備える。方法は更に、ＮＺＰ  ＣＳＩ−ＲＳリソースの組の少なくとも第２サブセットに対して、ＣＳＩレポートに関連する干渉測定を実行する段階を備える。ＮＺＰ  ＣＳＩ−ＲＳリソースの組の第２サブセットは１又は複数のＮＺＰ  ＣＳＩ−ＲＳポートを含む。干渉測定は、ＮＺＰ  ＣＳＩ−ＲＳリソースの組の第２サブセットにおける各ＮＺＰ  ＣＳＩ−ＲＳポートが干渉送信層に対応すること（干渉測定は、ＮＺＰ  ＣＳＩ−ＲＳリソースの組の第２サブセットにおける１つのＮＺＰ  ＣＳＩ−ＲＳリソースに各関連する、リソースエレメントあたりのエネルギー（ＥＰＲＥ）の比の組に従う）、並びに、ＮＺＰ  ＣＳＩ−ＲＳリソースの組の第２サブセットにおけるＮＺＰ  ＣＳＩ−ＲＳポートが対応する干渉送信層に関連しない他の干渉が、ＮＺＰ  ＣＳＩ−ＲＳリソースの組の第１サブセット、及び、ＮＺＰ  ＣＳＩ−ＲＳリソースの組の第２サブセットに対するものであることを含む想定に従って実行される。方法は更に、チャネル測定及び干渉測定に基づいてＣＳＩレポートを生成する段階と、ＣＳＩレポートをネットワークに送信する段階とを備える。
【００１０】
任意選択で、前述の態様のいずれにおいて、ＣＳＩレポートは、少なくともチャネル品質インジケータ（ＣＱＩ）を含むが、プリコーディングマトリクスインジケータ（ＰＭＩ）を含まない。
【００１１】
任意選択で、前述の態様のいずれにおいて、ＮＺＰ  ＣＳＩ−ＲＳリソースの組の第２サブセットにおける１つのＮＺＰ  ＣＳＩ−ＲＳリソースに各々関連する、ＥＰＲＥの比の組における各ＥＰＲＥの比は、ＮＺＰ  ＣＳＩ−ＲＳリソース上の、物理ダウンリンク共有チャネル（ＰＤＳＣＨ）ＥＰＲＥと、ＮＺＰ  ＣＳＩ−ＲＳ信号のＥＰＲＥとの想定比率を指定する。
【００１２】
任意選択で、前述の態様のいずれにおいて、方法は更に、ＣＳＩ干渉測定（ＣＳＩ−ＩＭ）のためのリソースの組の構成を受信する段階を備え、干渉測定を実行するときに従う想定は更に、ＮＺＰ  ＣＳＩ−ＲＳリソースの組の第２サブセットにおけるＮＺＰ  ＣＳＩ−ＲＳポートが対応する干渉送信層に関連しない他の干渉が、ＣＳＩ−ＩＭのためのリソースの組に対するものであることを含む。
【００１３】
任意選択で、前述の態様のいずれかにおいて、方法は更に、チャネル測定に関連する測定制限の構成を受信する段階を備える。
【００１４】
任意選択で、前述の態様のいずれにおいて、方法は更に、干渉測定に関連する測定制限の構成を受信する段階を備える。
【００１５】
任意選択で、前述の態様のいずれにおいて、ＮＺＰ  ＣＳＩ−ＲＳリソースのＮＺＰ  ＣＳＩ−ＲＳリソース及び第２サブセットの第１サブセットは重複する。
【００１６】
任意選択で、前述の態様のいずれにおいて、方法は更に、ＵＥが、チャネル測定及び干渉測定のためのＮＺＰ  ＣＳＩ−ＲＳリソースの組のインジケーションをネットワークノードから受信する段階を備える。インジケーションは、ＮＺＰ  ＣＳＩ−ＲＳリソースのＮＺＰ  ＣＳＩ−ＲＳリソース及び第２サブセットの第１サブセットを指示する。
【００１７】
任意選択で、前述の態様のいずれかにおいて、ネットワークノードは、ＮｏｄｅＢ、進化型ＮｏｄｅＢ（ｅＮＢ）、又は、次世代ＮｏｄｅＢ（ｇＮＢ）を備える。
【００１８】
任意選択で、前述の態様のいずれかにおいて、ＵＥは、ダウンリンク制御情報（ＤＣＩ）を介して、ＮＺＰ  ＣＳＩ−ＲＳリソースのＮＺＰ  ＣＳＩ−ＲＳリソース及び第２サブセットの第１サブセットのインジケーションをネットワークノードから受信する。
【００１９】
任意選択で、前述の態様のいずれにおいて、ＵＥは、ダウンリンク制御情報（ＤＣＩ）及び媒体アクセス制御（ＭＡＣ）シグナリングの組み合わせを介して、ＮＺＰ  ＣＳＩ−ＲＳリソースのＮＺＰ  ＣＳＩ−ＲＳリソース及び第２サブセットの第１サブセットのインジケーションをネットワークノードから受信する。
【００２０】
任意選択で、前述の態様のいずれにおいて、ＤＣＩは、１又は複数のＣＳＩレポート設定の動的トリガを提供する。
【００２１】
本開示の他の態様によれば、デバイス（例えば、ユーザ機器（ＵＥ））は、１又は複数のプロセッサと、１又は複数のプロセッサによって実行されるプログラムを記憶する非一時的コンピュータ可読記憶媒体とを備え、プログラムは、前述の態様のいずれの方法を実行するための命令を含む。
【００２２】
本開示の他の態様によれば、非一時的コンピュータ可読記憶媒体は、１又は複数のプロセッサによって実行されるプログラムを記憶し、プログラムは前述の態様のいずれの方法を実行するための命令を含む。
【００２３】
本開示の他の態様によれば、無線通信のための装置（例えば、ユーザ機器（ＵＥ））は、非ゼロ電力（ＮＺＰ）ＣＳＩ基準信号（ＣＳＩ−ＲＳ）（ＮＺＰ  ＣＳＩ−ＲＳ）リソースの組の第１サブセットに対してチャネル状態情報（ＣＳＩ）レポートに関連するチャネル測定を実行するための手段を含む。装置は更に、ＮＺＰ  ＣＳＩ−ＲＳリソースの組の少なくとも第２サブセットに対して、ＣＳＩレポートに関連する干渉測定を実行するための手段を備える。ＮＺＰ  ＣＳＩ−ＲＳリソースの組の第２サブセットは１又は複数のＮＺＰ  ＣＳＩ−ＲＳポートを含む。干渉測定は、ＮＺＰ  ＣＳＩ−ＲＳリソースの組の第２サブセットにおける各ＮＺＰ  ＣＳＩ−ＲＳポートが干渉送信層に対応すること（干渉測定は、ＮＺＰ  ＣＳＩ−ＲＳリソースの組の第２サブセットにおける１つのＮＺＰ  ＣＳＩ−ＲＳリソースに各関連する、リソースエレメントあたりのエネルギー（ＥＰＲＥ）の比の組に従う）、並びに、ＮＺＰ  ＣＳＩ−ＲＳリソースの組の第２サブセットにおけるＮＺＰ  ＣＳＩ−ＲＳポートが対応する干渉送信層に関連しない他の干渉が、ＮＺＰ  ＣＳＩ−ＲＳリソースの組の第１サブセット、及び、ＮＺＰ  ＣＳＩ−ＲＳリソースの組の第２サブセットに対するものであることを含む想定に従って実行される。装置は更に、チャネル測定及び干渉測定に基づいてＣＳＩレポートを生成するための手段と、ＣＳＩレポートをネットワークに送信するための手段とを備える。
【００２４】
本開示の他の態様によれば、無線通信のためのネットワークノードによる方法は、チャネル測定及び干渉測定のために、ネットワークノードが、非ゼロ電力（ＮＺＰ）チャネル状態情報（ＣＳＩ）基準信号（ＣＳＩ−ＲＳ）（ＮＺＰ  ＣＳＩ−ＲＳ）リソースの組をユーザ機器（ＵＥ）に指示する段階を備える。ＮＺＰ  ＣＳＩ−ＲＳリソースの組の第１サブセットは、チャネル測定のために構成され、ＮＺＰ  ＣＳＩ−ＲＳリソースの組の第２サブセットは干渉測定のために構成される。方法は更に、ネットワークノードがＵＥからＣＳＩレポートを受信する段階を備える。ＣＳＩレポートは、チャネル測定及び干渉測定に基づき、チャネル測定は、ＵＥによって、ＮＺＰ  ＣＳＩ−ＲＳリソースの組の第１サブセットに対して実行され、干渉測定は、ＵＥによって、ＮＺＰ  ＣＳＩ−ＲＳリソースの組の第２サブセットに対して実行され、従う想定として、ＮＺＰ  ＣＳＩ−ＲＳリソースの組の第２サブセットにおける各ＮＺＰ  ＣＳＩ−ＲＳポートが干渉送信層に対応すること、干渉測定は、ＮＺＰ  ＣＳＩ−ＲＳリソースの組の第２サブセットにおける１つのＮＺＰ  ＣＳＩ−ＲＳリソースに各々関連する、リソースエレメントあたりのエネルギー（ＥＰＲＥ）の比の組に従うこと、並びに、ＮＺＰ  ＣＳＩ−ＲＳリソースの組の第２サブセットにおけるＮＺＰ  ＣＳＩ−ＲＳポートが対応する干渉送信層に関連しない他の干渉が、ＮＺＰ  ＣＳＩ−ＲＳリソースの組の第１サブセット、及び、ＮＺＰ  ＣＳＩ−ＲＳリソースの組の第２サブセットに対するものであることを含む。
【００２５】
任意選択で、前述の態様のいずれにおいて、ＣＳＩレポートは、少なくともチャネル品質インジケータ（ＣＱＩ）を含むが、プリコーディングマトリクスインジケータ（ＰＭＩ）を含まない。
【００２６】
任意選択で、前述の態様のいずれにおいて、ＮＺＰ  ＣＳＩ−ＲＳリソースの組の第２サブセットにおける１つのＮＺＰ  ＣＳＩ−ＲＳリソースに各々関連する、ＥＰＲＥの比の組における各ＥＰＲＥの比は、ＮＺＰ  ＣＳＩ−ＲＳリソース上の、物理ダウンリンク共有チャネル（ＰＤＳＣＨ）ＥＰＲＥと、ＮＺＰ  ＣＳＩ−ＲＳ信号のＥＰＲＥとの想定比率を指定する。
【００２７】
任意選択で、前述の態様のいずれにおいて、方法は更に、ネットワークノードによって、ＣＳＩ干渉測定（ＣＳＩ−ＩＭ）のためのリソースの組の構成をＵＥに指示する段階を備え、干渉測定が実行されるときに従う想定は更に、ＮＺＰ  ＣＳＩ−ＲＳリソースの組の第２サブセットにおけるＮＺＰ  ＣＳＩ−ＲＳポートが対応する干渉送信層に関連しない他の干渉が、ＣＳＩ−ＩＭのためのリソースの組に対するものであることを含む。
【００２８】
任意選択で、前述の態様のいずれにおいて、方法は更に、ネットワークノードが、チャネル測定に関連する測定制限の構成をＵＥに指示する段階を備える。
【００２９】
任意選択で、前述の態様のいずれにおいて、方法は更に、ネットワークノードが、干渉測定に関連する測定制限の構成をＵＥに指示する段階を備える。
【００３０】
任意選択で、前述の態様のいずれかにおいて、ネットワークノードは、ＮｏｄｅＢ、進化型ＮｏｄｅＢ（ｅＮＢ）、又は、次世代ＮｏｄｅＢ（ｇＮＢ）を備える。
【００３１】
任意選択で、前述の態様のいずれにおいて、ＮＺＰ  ＣＳＩ−ＲＳリソースのＮＺＰ  ＣＳＩ−ＲＳリソース及び第２サブセットの第１サブセットは重複する。
【００３２】
任意選択で、前述の態様のいずれかにおいて、ネットワークノードは、ダウンリンク制御情報（ＤＣＩ）を介して、ＮＺＰ  ＣＳＩ−ＲＳリソースのＮＺＰ  ＣＳＩ−ＲＳリソース及び第２サブセットの第１サブセットをＵＥに指示する。
【００３３】
任意選択で、前述の態様のいずれにおいて、ネットワークノードは、ダウンリンク制御情報（ＤＣＩ）及び媒体アクセス制御（ＭＡＣ）シグナリングの組み合わせを介して、ＮＺＰ  ＣＳＩ−ＲＳリソースのＮＺＰ  ＣＳＩ−ＲＳリソース及び第２サブセットの第１サブセットをＵＥに指示する。
【００３４】
任意選択で、前述の態様のいずれにおいて、ＤＣＩは、１又は複数のＣＳＩレポート設定の動的トリガを提供する。
【００３５】
本開示の他の態様によれば、デバイス（例えば、ネットワークノード）は、１又は複数のプロセッサと、１又は複数のプロセッサによって実行されるプログラムを記憶する非一時的コンピュータ可読記憶媒体とを備え、プログラムは、前述の態様のいずれの方法を実行するための命令を含む。
【００３６】
本開示の他の態様によれば、非一時的コンピュータ可読記憶媒体は、１又は複数のプロセッサによって実行されるプログラムを記憶し、プログラムは前述の態様のいずれの方法を実行するための命令を含む。
【００３７】
本開示の他の態様によれば、無線通信のための装置（例えばネットワークノード）は、チャネル測定及び干渉測定のために、非ゼロ電力（ＮＺＰ）チャネル状態情報（ＣＳＩ）基準信号（ＣＳＩ−ＲＳ）（ＮＺＰ  ＣＳＩ−ＲＳ）リソースの組をユーザ機器（ＵＥ）に指示するための手段を備える。ＮＺＰ  ＣＳＩ−ＲＳリソースの組の第１サブセットは、チャネル測定のために構成され、ＮＺＰ  ＣＳＩ−ＲＳリソースの組の第２サブセットは干渉測定のために構成される。装置は更に、ＵＥからＣＳＩレポートを受信するための手段を備える。ＣＳＩレポートは、チャネル測定及び干渉測定に基づき、チャネル測定は、ＵＥによって、ＮＺＰ  ＣＳＩ−ＲＳリソースの組の第１サブセットに対して実行され、干渉測定は、ＵＥによって、ＮＺＰ  ＣＳＩ−ＲＳリソースの組の第２サブセットに対して実行され、従う想定として、ＮＺＰ  ＣＳＩ−ＲＳリソースの組の第２サブセットにおける各ＮＺＰ  ＣＳＩ−ＲＳポートが干渉送信層に対応すること、干渉測定は、ＮＺＰ  ＣＳＩ−ＲＳリソースの組の第２サブセットにおける１つのＮＺＰ  ＣＳＩ−ＲＳリソースに各々関連する、リソースエレメントあたりのエネルギー（ＥＰＲＥ）の比の組に従うこと、並びに、ＮＺＰ  ＣＳＩ−ＲＳリソースの組の第２サブセットにおけるＮＺＰ  ＣＳＩ−ＲＳポートが対応する干渉送信層に関連しない他の干渉が、ＮＺＰ  ＣＳＩ−ＲＳリソースの組の第１サブセット、及び、ＮＺＰ  ＣＳＩ−ＲＳリソースの組の第２サブセットに対するものであることを含む。
【００３８】
本開示の実施形態は、１又は複数の技術的利点を提供し得る。特定の実施形態において、干渉測定のためにＮＺＰ  ＣＳＩ−ＲＳリソースを構成することは、改善されたリンク適合性能を提供する。特定の実施形態は、高いスペクトル周波数の使用を容易にする。特定の実施形態は、多入力多出力（ＭＩＭＯ）及び大規模ＭＩＭＯシステムの使用に好適である改善された性能を提供する。本開示の特定の実施形態に係るリンク適合は、時間ｎにおける干渉測定リソースが、時間ｎ＋ｋにおける多ユーザ干渉を反映することを可能にし、第１ＵＥのチャネル測定リソースは第２ＵＥの干渉測定リソースであり、これは、多ユーザＭＩＭＯシステムにおいて有利であり得る。特定の実施形態は、セル間干渉が強く、及び／又は、著しい変動、キャリアアグリゲーション／チャネルアグリゲーション、カバレッジ拡張を伴う、干渉が限定されたネットワークにおける性能を改善し得る。
【００３９】
本開示の特定の実施形態は、上の利点のいくつか、全てを提供し得る、又は、いずれも提供しないことがあり得る。特定の実施形態は、１又は複数の他の技術利点を提供し得て、そのうちの１又は複数は、本開示に含まれる図、説明、特許請求の範囲から、当業者にとって容易に明らかとなるであろう。
【図面の簡単な説明】
【００４０】
本開示、及び、その利点のより完全な理解のために、添付図面と併せた以下の説明を参照されたい。
【図１】本開示の特定の実施形態に係る、ネットワークポイントをオン又はオフにするための例示的システムを図示する。
【図２】本開示の特定の実施形態に係る、ｅＮＢからリレーへの干渉が存在する例示的システムを図示する。
【図３】本開示の特定の実施形態に係る、遷移調整プロセスの方法を図示する。
【図４】本開示の特定の実施形態に係る、遷移調整期間タイムラインを図示する。
【図５】本開示の特定の実施形態に係る、遷移調整期間タイムラインを図示する。
【図６】本開示の特定の実施形態に係る、ポイントについての状態遷移を図示する。
【図７】本開示の特定の実施形態に係る、例示的システム図を図示する。
【図８】本開示の特定の実施形態に係る、プローブオペレーションの例を図示する。
【図９】本開示の特定の実施形態に係る、ＣＥオペレーションのフロー図を図示する。
【図１０】本開示の特定の実施形態に係る、ｅＮＢオペレーションのフロー図を図示する。
【図１１】本開示の特定の実施形態に係る、ＵＥオペレーションのフロー図を図示する。
【図１２】本開示の特定の実施形態に係る、プローブベースのリンク適合手順の例を図示する。
【図１３】本開示の特定の実施形態に係る、リンク適合のためのプローブの例を図示する。
【図１４】本開示の特定の実施形態に係る、リンク適合のためのプローブの具現手順を図示する。
【図１５】本開示の特定の実施形態に係る、リンク適合のためのプローブの具現手順の詳細を図示する。
【図１６】本開示の特定の実施形態に係る、ＵＥの観点からのＡｌｔ３の例を図示する。
【図１７】本開示の特定の実施形態に係る、ＣＳＩ−ＩＭが隣接ｅＮＢのＺＰ  ＣＳＩ−ＲＳリソースによってカバーされないＣＳＩ測定のためのリソースの例を図示する。
【図１８】本開示の特定の実施形態に係る、ＣＳＩ−ＩＭが隣接ｅＮＢのＺＰ  ＣＳＩ−ＲＳリソースによってカバーされないＣＳＩ測定のためのリソースの例を図示する。
【図１９】本開示の特定の実施形態に係る、ＣＳＩ−ＩＭ無しで、ＣＳＩ−ＲＳが重複するＣＳＩ測定を図示する。
【図２０】本開示の特定の実施形態に係る、ＺＰ  ＣＳＩ−ＲＳに基づくＩＭのための例示的場合２０００を示す。
【図２１】本開示の特定の実施形態に係る、ＺＰ  ＣＳＩ−ＲＳ  ＲＥ上のエネルギー／電力をＵＥが測定する例を図示する。
【図２２】本開示の特定の実施形態に係る、ＩＭが複数の非ゼロ電力（ＮＺＰ）信号に基づき、ＣＭＲと重複しないときの別の状況の例２２００を図示する。
【図２３】本開示の特定の実施形態に係る、チャネル及び干渉のための、重複したＣＳＩ−ＲＳリソースの典型的な使用事例を図示する。
【図２４】本開示の特定の実施形態に係る、チャネル及び干渉測定のための、重複していないＣＳＩ−ＲＳリソースの例を図示する。
【図２５】本開示の特定の実施形態に係る、重複していないＣＭＲ及び干渉測定（ＩＭ）リソース（ＩＭＲ）の構成のセル間干渉を図示する。
【図２６】本開示の特定の実施形態に係る、ＮＺＰ  ＣＳＩ−ＲＳリソースの組の別の構成例を図示する。
【図２７】本開示の特定の実施形態に係る、ＵＥの挙動の組み合わせが実装される例示的な方法を図示する。
【図２８】本開示の特定の実施形態に係る、無線通信のための例示的な方法２８００を図示する。
【図２９】本開示の特定の実施形態に係る、無線通信のための例示的な方法２９００を図示する。
【図３０】本開示の特定の実施形態に係る、干渉測定のためのＮＺＰ  ＣＳＩ−ＲＳに基づく多ユーザ多入力、多出力（ＭＵ−ＭＩＭＯ）リンク適合を示す例示的な通信フローを図示する。
【図３１】本開示の特定の実施形態に係る処理システム２７００のブロック図である。
【発明を実施するための形態】
【００４１】
本発明の好ましい実施形態の作成及び使用は以下で詳細に説明される。しかしながら、本開示は、幅広い様々な特定の状況において具現化され得る、多くの適用可能な発明概念を提供することを理解されたい。説明される特定の実施形態は、本開示を作成及び使用する特定の方式を例示するものに過ぎず、開示の範囲を限定するものではない。
【００４２】
以下に説明されるような無線ネットワークから生じる１又は複数の問題によって、様々な実施形態が考案される。無線ネットワークにおけるネットワークポイントは、トラフィックの需要、エネルギー制約、エミッション制約、サービス品質（ＱｏＳ）制約、干渉管理の目的、又は、他の好適な要因に基づいて、オン又はオフにされ得る。そのようなイベントを扱うための一実施形態の解決策は、ＵＥのグループによって送信されるＵＬ遷移要求信号（ＴＲＳ）に基づき、その結果、ネットワークは、オフ状態のネットワークポイントをオンにすることが有益かどうかを決定し得る。
【００４３】
図１は、本開示の特定の実施形態に係る、ネットワークポイントをオン又はオフにするための例示的システム１００を図示する。図示されている例において、ピコ２  １０２をオン又はオフにすることが決定された場合、両方ともピコ２  １０２カバレッジエリア内にあるＵＥ１  １０４及びＵＥ２  １０６と、ピコ２  １０２カバレッジエリア内には無いがピコ２  １０２から遠くないＵＥ３  １０８は影響され得る。ＵＥ１  １０４及びＵＥ２  １０６は、ピコ２のＲＳを測定及びレポートするよう構成され得て、ピコ２  １０２へハンドオーバされ得る。すなわち、ピコ２のＲＳに基づいて、ＵＥ１  １０４及びＵＥ２  １０６を再構成することが適切であり得る。ＵＥ３  １０８は、ＵＥ１０８によって以前に認識された干渉とは統計的又は定性的に異なり得る、増加したＰＤＳＣＨ干渉を認識し得る。一例において、ＵＥ３  １０８によって認識されるこの増加した干渉は、干渉の通常の変動に起因するものというよりはむしろ、少なくとも部分的に、ＵＥ３の干渉状況の突然の変化を意味し得て、特殊な扱いを必要とし得る。ＵＥ３  １０８チャネル状態情報（ＣＳＩ）（例えば、ＣＱＩ／ＰＭＩ／ＲＩ）、及び、無線リソース管理（ＲＲＭ）／無線リンクモニタリング（ＲＬＭ）測定プロセス及びレポートを変更又は再構成することが適切であり得る。ネットワークは、遷移の前、間、及び／又は後に、パラメータを調整又は微調整し得る。ネットワークはネットワーク再構成の影響を評価し得る。更に、ネットワークは、再構成信号をＵＥ及び／又はｅＮＢへ送信し得て、ＵＥ再構成を容易にする。一般的に、ネットワークポイント又はキャリアの構成が遷移を経るとき、遷移は、複数の他のネットワークポイント又はキャリア、及び、複数のＵＥに影響し得て、それにより、ネットワークポイント、キャリア又はＵＥを再構成することが適切であり得る。遷移及び再構成を準備、サポート及び処理する手順が望ましいことがあり得る。
【００４４】
図２は、本開示の特定の実施形態に係る、ｅＮＢからリレーへの干渉が存在する例示的システム２００を図示する。図示されている例において、マクロ２  ２０２がバックホール送信（Ｔｘ）アクティビティを変更した場合、リレー１  ２０４による受信に対する、マクロ２  ２０２からの干渉は、増加し得る。例えば、マクロ２  ２０２によるプリコーディングがいくらかの時間の後に閾値を超えた場合、トラフィックパターン変化に起因してバックホールＴｘがオン若しくはオフになる場合、又は、トラフィックパターン変化若しくは他の変化に起因してマクロ２  ２０２がリレー２２０６へのＴｘからリレー３２０８へのＴｘに切り替わる場合、干渉は増加し得る。これらは、一定期間にわたって複数のネットワークノード（例えば、突然の干渉状況の変化を認識する複数のネットワークノード）への連鎖反応をもたらし得る遷移を経験するネットワークの例である。干渉の急増の結果、又は、それを見越して、マクロ１  ２１０はリレー１  ２０４への送信を調整し得る。この調整は更に、マクロ１２１０から他のマクロ送信への干渉の変化を引き起こし得る。例えば、マクロ２  ２０２が更に、リレー２２０６及び／又はリレー３２０８への送信を調整（例えば微調整）することが適切であり得る。突然の干渉の急増のこの連鎖反応は、ネットワークが一定期間にわたって構成を調整することをもたらし得る。調整が実際にネットワークにおいて試験されない限り、調整の効果を予測することは困難であり得る。故に、通常のデータ送信に著しく影響を与えることなく調整をサポートする効率的方式が望ましいことがあり得る。
【００４５】
別の例として、ネットワーク最適化のために提案されるアルゴリズム及び手順は、複数のネットワークノードのうちの反復に基づき得て、場合により、複数のＵＥも伴う。一例は、セルアタッチメント及びリソース割り当ての共同最適化を伴い、これは一般的には実行が困難であり得て、反復方式で準最適に実行されることが多い。準最適な解決策は、固定的セルアタッチメントを想定し得て、次に、所与のセルアタッチメントについての、推定された最適なリソース割り当てが計算され得る。所与のリソース割り当てが想定され得て、セルアタッチメントは更に更新され得る。これらの手順は、最適化が達成されるまで、又は、いくつかの最大反復数にわたって反復され得る。しかしながら、そのような反復は、データ（例えばＰＤＳＣＨ）送信には望ましくない複雑かつ不要な変動をもたらし得る。例えば、場合により、そのような反復アルゴリズムは、複数の反復において、望ましい性能又は挙動を生成しないことがあり得る。いくつかの反復後に取得されるネットワーク構成は、そのような場合には破棄され得て、ネットワークは元のネットワーク構成に戻り得る。この状況が生じるとき、複数のネットワークノードと複数のＵＥとの間の通常のデータ送信は著しく影響され得る。故に、通常のデータ送信についてのリソース及びプロセスを反復プローブ、最適化、再構成及び調整動作から分離することが望ましいことがあり得る。反復が、望ましい又は許容される性能又は挙動を伴うプローブリソースの収束を実現するとき、次に、達成された構成はＰＤＳＣＨ送信に適用され得る。
【００４６】
上の問題及び同様の問題は以下のようにまとめられ得る。ネットワークコンポーネントは多くの場合、そのアクティビティを適合する、又は、遷移を経ることがあり得る。例えば、トラフィック干渉又は他の条件が変化するとき、ネットワークノード、キャリア又はアンテナセットが、あるアクティビティレベル（例えば、低減した送信電力）又はある状態（例えば休止状態）から異なるアクティビティレベル（例えば、最大送信電力）又は異なる状態（例えばアクティブ状態）へ遷移することが適切であり得る。例として、ＵＥがネットワークノードのカバレッジ範囲に入るとき、休止中のネットワークノードがオン状態に入る。第１ネットワークノードの再構成は、潜在的に第１ネットワークノード自体を含む複数のネットワークノード及びＵＥに影響し得て、従って、一定期間にわたって過渡的ダイナミクスを発生させる。遷移又は適合の影響は、遷移又は適合の発生の前、間、及び／又は後に、複数のネットワークノード及び／又はＵＥによって評価され得る。手順は反復し得て、ネットワークノード及びＵＥは更に、これらの構成を調整又は微調整する。ネットワークノードが遷移を経験又は予測したとき、ネットワークノードは、遷移に関してＵＥ及び他のネットワークノードにシグナリングし得て、その結果、ＵＥ及び他のネットワークノードは、いつ更に適合するかを認識し得る。この一般的手順のいくつかの態様は以下のように説明される。
【００４７】
［干渉の急増及びＵＥへの再構成信号］
図１において、ピコ２  １０２が時間ｔにＰＤＳＣＨの送信を開始するとき、ＵＥ３  １０８は、以前とは統計的又は定性的に異なる、増加したＰＤＳＣＨ干渉を認識し得る。この干渉状況の変化は、通常の干渉変動とは異なり得る。典型的には、ＵＥ３  １０８は、ＣＱＩ干渉、基準信号受信品質（ＲＳＲＱ）などについてのレイヤ１フィルタリングを実行する。例えば、干渉フィルタリングのために、Ｉｔ＝ｆＩｔ−１＋（１−ｆ）ｉｔ−１が使用され得て、ここで、ｉｔ−１は、時間ｔ−１における即時測定であり、Ｉｔ−１は、時間ｔ−１におけるフィルタリングされた測定であり、ｆはフィルタ定数、通常は０．７〜０．９９である。特に、時間的に疎である干渉測定がＣＳＩ干渉測定（ＣＳＩ−ＩＭ）リソースに基づく場合、フィルタが新しい干渉状況に収束するにはしばらくかかり得る。
【００４８】
例えば、フィルタ定数ｆが０．９である場合、フィルタ時定数は９．５サンプルである。特定の例において、フィルタが新しくフィルタリングされた値の約８５％〜約９５％に落ち着くには、時定数の約２倍〜約３倍かかる。すなわち、いくつかの状況において、ＣＲＳベースの干渉測定は、落ち着くまで、約１９ミリ秒（ｍｓ）〜約２８ｍｓかかる。同様の計算は、ＣＳＩ−ＩＭリソースが５ｍｓの期間（例えば、５ｍｓに１回）を有する場合、ＣＳＩ−ＩＭリソースベース測定が落ち着くまで、約９５ｍｓ〜約１４２ｍｓかかることを示し得る。ＣＳＩ−ＩＭリソースが１０ｍｓの期間（又は、それぞれ２０ｍｓ又は４０ｍｓ）を有する場合、ＣＳＩ−ＩＭリソースベース測定が落ち着くまで、約１９０ｍｓ〜約２８５ｍｓ（又は、それぞれ約３８０ｍｓ〜約５７０ｍｓ、又は、約７６０ｍｓ〜約１１４０ｍｓ）かかる。これらの遅延の結果、ネットワークは、干渉の急増に対してゆっくり反応し得て、過渡期間が長いと、ユーザ体験がいくらか悪化することがあり得る。特に、ＣＱＩ／ＰＭＩ／ＲＩフィードバック及び／又はＲＳＲＱ測定が影響され得て、ＣＱＩ及びＲＳＲＱにおけるミスマッチを引き起こし、従って、ＵＥへの送信の効率が低下し得る。遅延を低減するべく、より小さいフィルタ定数ｆが選択され得るが、より小さいフィルタ定数が使用される場合、通常の変動への感度が大きすぎることがあり得る。故に、測定条件の変化をＵＥに通知するためにネットワークによってＵＥへ送信される再構成信号は、ＵＥ再構成及びネットワークオペレーションを容易にし得る。例えばＵＥは信号を受信すると、そのフィルタ状態をリセットし得る（例えば、ＵＥはＣＳＩ−ＩＭリソースベース測定プロセスを再開し得る）、又は、ＵＥはそのフィルタ定数をより小さな値に調整し得る。フィルタ定数をより小さな値に調整するためにＵＥがシグナリングされる場合、ＵＥは、遷移又は再構成の完了を指示する別の信号を後から受信し得て、ＵＥはフィルタを元の値に調整し得る。言い換えれば、ネットワークは、再構成信号を使用して、環境変化に従ってフィルタを適合するようＵＥを構成し得る。
【００４９】
ＵＥが基準信号受信電力（ＲＳＲＰ）及びＲＳＲＱ（受信信号強度インジケータ（ＲＳＳＩ））についてレイヤ３フィルタリングを実行する。いくつかの状況において、干渉状況の変化のとき、ＲＳＲＰ層３フィルタリングの精度は影響され得るが、干渉状況の変化のとき、ＲＳＲＰ層３フィルタリングをリセットすることは、適切であることも、適切でないこともあり得る。例えば、干渉レベルが通常であるとき、ＲＳＲＰ精度は第１レベルにあり得る。遥かに高いレベルに干渉が急増するとき、ＲＳＲＰ精度は第２レベルに悪化し得る。ネットワーク及びＵＥが、ネットワーク条件の変化に起因する性能変化を認識し、それを組み込むことは有益であり得て、その結果、ＵＥは、干渉状況の変化に従って、そのＲＳＲＰ推定及びフィルタリングを適合し得る。追加的又は代替的に、ＲＳＲＱレイヤ３フィルタリングは、干渉状況の変化時にリセットされ得る。レイヤ３フィルタリングへの典型的な入力期間は約４０ｍｓであり、既定の時定数は約１．５入力サンプル時間長であり、そのため、時定数の約２倍〜約３倍は、約３〜約４入力サンプル時間長（約１２０ｍｓ〜約１６０ｍｓ）である。故に、ＲＳＲＱ／ＲＳＳＩレポート時間に近い時間に干渉状況が突然急増した場合、レポートされたＲＳＲＱ／ＲＳＳＩは、実際の干渉状況に反映されないことがあり得る。プロセスを容易にするべく、リセット又は再構成を指示する信号が使用されないことがあり得る。リセットがレイヤ３オペレーションに必要である場合、再構成信号を受信すると、ＵＥがレイヤ３フィルタをリセットする、又は、そのフィルタ係数を一時的に調整するといルールが形成され得る。
【００５０】
上述のレイヤ３に関連する値は、第３世代パートナーシッププロジェクト（３ＧＰＰ）技術仕様（ＴＳ）３６．３３１に基づいて計算され得て、これは、その全体がこれによって参照によって本明細書に組み込まれる。ＴＳ３６．３３１において、情報エレメント（ＩＥ）ＦｉｌｔｅｒＣｏｅｆｆｉｃｉｅｎｔは、測定フィルタリング係数を指定する。ｆｃ０の値は、ｋ＝０に対応し、ｆｃ１は、ｋ＝１に対応し、以降も同様である。
ＦｉｌｔｅｒＣｏｅｆｆｉｃｉｅｎｔ情報エレメント−ＡＳＮ１ＳＴＡＲＴ
ＦｉｌｔｅｒＣｏｅｆｆｉｃｉｅｎｔ：：＝ＥＮＵＭＥＲＡＴＥＤ  ｛ｆｃ０，  ｆｃ１，  ｆｃ２，  ｆｃ３，  ｆｃ４，  ｆｃ５，  ｆｃ６，  ｆｃ７，  ｆｃ８，  ｆｃ９，  ｆｃ１１，  ｆｃ１３，  ｆｃ１５，  ｆｃ１７，  ｆｃ１９，  ｓｐａｒｅ１，  ...｝
−ＡＳＮ１ＳＴＯＰ
ＱｕａｎｔｉｔｙＣｏｎｆｉｇＥＵＴＲＡ  ：：＝            
ＳＥＱＵＥＮＣＥ  ｛
ｆｉｌｔｅｒＣｏｅｆｆｉｃｉｅｎｔＲＳＲＰ        ＦｉｌｔｅｒＣｏｅｆｆｉｃｉｅｎｔ        ＤＥＦＡＵＬＴ  ｆｃ４，
ｆｉｌｔｅｒＣｏｅｆｆｉｃｉｅｎｔＲＳＲＱ        ＦｉｌｔｅｒＣｏｅｆｆｉｃｉｅｎｔ        ＤＥＦＡＵＬＴ  ｆｃ４｝
【００５１】
測定結果は、レポート基準の評価又は測定レポートに使用される前に、
【数１】
0006777342.tif 000002
の式に従ってフィルタリングされる。ここで、Ｍｎは、物理層から受信した最新の測定結果である。
Ｆｎは、レポート基準の評価又は測定レポートに使用される、更新されたフィルタリング済み測定結果である。  Ｆｎ−１は、古いフィルタリング済み測定結果であり、ここで、物理層からの第１測定結果が受信されたとき、Ｆ０はＭ１に設定される。
ａ＝１／２（ｋ／４）であり、ここで、ｋは、ｑｕａｎｔｉｔｙＣｏｎｆｉｇによって受信された、対応する測定数についてのＦｉｌｔｅｒＣｏｅｆｆｉｃｉｅｎｔである。
【００５２】
フィルタは、フィルタの時間的特徴が異なる入力レートにおいて保存されるように適合され得て、ｆｉｌｔｅｒＣｏｅｆｆｉｃｉｅｎｔ  ｋが、２００ｍｓに等しいサンプルレートを想定することを遵守する。
【００５３】
従って、ＵＥは、受信した再構成信号に基づいて、推定及び／又はフィルタリングの特徴を適合し得る。追加的又は代替的に、ネットワークは、ＵＥのＲＳＲＱ／ＲＳＳＩ推定、フィルタリング、及び／又はレポート構成についての情報を有するので、ネットワークはネットワークコンポーネントを協調させ得て、その結果、ＲＳＲＱ／ＲＳＳＩ推定、フィルタリング及び／又はレポートのタイミングに応じて、特定の時間に突然の干渉変化が生じ得る。例えば、ネットワークは、２００ｍｓ期間のＲＳＲＱ／ＲＳＳＩレポートからの固定されたオフセットにおいて、又は、ＲＳＲＱ／ＲＳＳＩレポートとは異なる指定された時間間隔中に、ノードがオン又はオフになることを可能にし得る。
【００５４】
ｅＮＢは、ＣＳＩプロセス構成、ＣＳＩ−ＲＳリソース構成、及び／又はＣＳＩ−ＩＭリソース構成に関連して、特定のタイミングでネットワーク再構成信号をＵＥへ送信し得る。遷移したネットワークノードに非常に近いＵＥは、ネットワークノードからＣＳＩ−ＲＳを受信するように構成される可能性が高い。遷移したネットワークノードから非常に遠いＵＥは、遷移によって影響されない可能性が高い。ネットワークノードから非常に近いところ、又は、非常に遠いところの間にあるＵＥを再構成することが適切であり得る。再構成信号を受信したとき、ＵＥ動作は、干渉推定、ＣＳＩ測定及びＲＳＲＱ測定についてのフィルタ状態をリセットすること、並びに、干渉状況の変化に適合するよう推定及び／又はフィルタリングパラメータを調整することを含み得る。ＵＥはまた、新しい信号又は干渉測定プロセスを開始し、信号又は干渉測定プロセスを停止し、別のポイント又はキャリアなどへのハンドオーバを実行し得る。簡潔にするべく、ＩＭは干渉測定、ＩＭＲはＩＭリソース、ＣＭは（意図された）チャネル測定、ＣＭＲはＣＭリソースを表す。
【００５５】
ｅＮＢが、再構成を開始するためのネットワーク再構成信号をＵＥへ送信しない場合、ＵＥは、そのＣＳＩ−ＲＳリソース又はＣＳＩ−ＩＭリソース又はＣＳＩプロセス（例えば、協調されたマルチポイント（ＣｏＭＰ）の組について）が、修正、除去又は追加など、再構成されるとき、再構成が適切であると想定し得る。概して、同一リソース上で測定プロセスを再開する目標を想定し、次に、ＣＳＩプロセス、ＣＳＩ−ＲＳリソース、ＣＳＩ−ＩＭリソースを再構成して目標を実現することは、同一の目標を実現し得る、再構成信号を送信することよりも高いオーバヘッドをもたらし得る。しかしながら、測定プロセスの再開についてのタイミングパターンがある場合、タイミングウィンドウがシグナリング又は規定され得て、その結果、ＵＥは、各タイミングウィンドウの最後で測定プロセスを再開し得る。
【００５６】
上述のオーバヘッドの懸念に加えて、ＵＥが測定リセット信号又はフィルタ再構成信号として信号を解釈することを試行する場合、問題が生じ得る。言い換えれば、明示的な測定リセット信号又はフィルタ再構成信号が望ましい状況があり得る。例えば、いくつかのＵＥでは、ＣＳＩ−ＲＳリソース構成変更信号、又は、ＣＳＩ−ＩＭリソース構成変更信号、又は、ＣＳＩプロセス構成変更信号をネットワーク再構成信号として使用することは、問題を引き起こし得る。ＵＥが移動する場合、ＣＳＩ−ＲＳリソースは自然に更新され得て、干渉状況は、いかなる急激な変化も有しないことがあり得るので、ＵＥのＣＳＩ−ＲＳリソース構成が更新される場合でも、測定プロセスをリセットすること、又は、フィルタリングパラメータなどを再構成することなどの必要が常にあるわけではない。近隣ＵＥは、いくつかの状況において、いかなるＣＳＩ−ＲＳリソースの変化も経験しないことがあり得るが、ネットワーク遷移が生じるとき、著しい干渉状況の変化をなお経験し得る。故に、ＣＳＩ−ＲＳリソース、又は、ＣＳＩ−ＩＭリソース、又は、ＣＳＩプロセスの構成が更新され得るが、測定プロセスがリセットされること、又は、フィルタが再構成されることが適切でないことがあり得る場合が存在する。ＣＳＩ−ＲＳリソース、ＣＳＩ−ＩＭリソース及びＣＳＩプロセスが更新されないが、測定プロセスがリセットされる、又は、フィルタが再構成される必要があり得る場合も存在し得る。
【００５７】
再構成信号は、遷移決定信号と同一でも、そうでないこともあり得る（例えば、以下でより詳細に説明される、図３の段階３０４における信号を参照）。例えば、１つの状況において、遷移決定信号は、ＣＲＳ／ＣＳＩ−ＲＳ送信のみをオンにし得る。ＰＤＳＣＨ送信（ＲＳ送信単独より大きな干渉をもたらし得る）が生じるかどうかは、ＣＳＩフィードバック及びスケジューリングなどの他の要素に依存し得る。ｅＮＢがそのＰＤＳＣＨアクティビティレベルを著しく変更する（ＵＥ  ＣＳＩフィードバックに基づいてＰＤＳＣＨをオンにするなど）場合、ｅＮＢは再構成信号を送信し得る。言い換えれば、遷移決定と突然の干渉の急増との間に何らかの関連があるにもかかわらず、異なる時間において遷移決定及び突然の干渉の急増が生じ得る。再構成信号を遷移決定信号から分離することはまた、システムの変動を低減又は防止し得る。例えば、ｅＮＢが休止状態からアクティブ状態へ遷移した後に、ｅＮＢは、ＵＥ測定フィードバックレポートを受信し得て、ＵＥにサービス提供しないことを決定し得て、更に、オフにし得る。そのような場合、近隣ｅＮＢが、再構成についてこれらのＵＥにシグナリングする、及び／又は、これらのフィルタをリセットすることは、適切であることも、適切でないこともあり得る。再構成信号は、上層によって、又は、ＰＤＣＣＨ若しくはＥＰＤＣＣＨにおいて、又は、共通チャネルにおいてシグナリングされ得る。タイミング情報はまた、再構成がいつ有効になるかを指示するために再構成信号と共に送信され得る。
【００５８】
［遷移調整期間］
ネットワークコンポーネントは多くの場合、そのアクティビティを適合する、又は、遷移を経ることがあり得る。ネットワークノードが遷移を経験又は予測したとき、ネットワークノードは、遷移に関してＵＥ及び他のネットワークノードにシグナリングし得て、その結果、ＵＥ及び他のネットワークノードは、いつどのように適合するかを認識し得る。このシグナリングは、遷移調整期間と呼ばれる一定期間にわたる過渡的ダイナミクスをトリガし得て、そのいくつかの手順は以下で詳細に説明する。
【００５９】
ｅＮＢは、ネットワーク再構成信号を近隣ｅＮＢへ送信し得る。再構成信号を受信したとき、近隣ｅＮＢの動作は、ＣＳＩ−ＲＳリソース、ＣＳＩ−ＩＭリソース、及び／又は、ＣＳＩプロセスについて、これらのＵＥを再構成すること、これらのＵＥ  ＣＳＩ／ＲＲＭ／ＲＬＭレポートを受信すること、及び、これらの送信／受信及び／又はこれらのＵＥのアソシエーション構成を変更することを含み得る。遷移したｅＮＢの効果は、ネットワークによって評価される。いくつかの状況において、ｅＮＢは更に、収束が生じるまで、又は、１又は複数の終了ルールに従って、これらの送信／受信及びこれらのＵＥアソシエーション／構成を調整する。
【００６０】
ｅＮＢにおける遷移は、収束が生じるまで、複数のｅＮＢが、これらの送信／受信及びこれらのＵＥアソシエーション／構成を更に調整することを引き起こし得る。上述の段階は、遷移後にネットワークが調整又は微調整する手順を形成し得て、この手順は、遷移調整プロセスと称され得る。このプロセスについて、ｅＮＢ及びＵＥの組に通知することが適切であり得る。プロセスは、リソース（例えば、以下で説明されるプローブリソース）の特定のサブセットに対して、又は、全ての関連リソースに対して実行され得る。プロセスが（時間／周波数リソースのサブセットであり得る）プローブリソースに対してのみ実行されるか、又は、より大きいスケールのリソースに対して実行されるかは、再構成信号において指示され得る。
【００６１】
図３は、本開示の特定の実施形態に係る、遷移調整プロセスの方法３００を図示する。段階３０１において、第１ｅＮＢは、（例えば、ＰＤＣＣＨ又はＥＰＤＣＣＨを介して）アップリンク送信の情報についてＵＥにシグナリングする。段階３０２において、ＵＥは、第１ｅＮＢによってシグナリングされる情報に基づいて送信を実行する。段階３０３において、第２ｅＮＢは、ＵＥによって送信された信号の受信を実行する。段階３０４において、第３ｅＮＢは、例えば、送信及び受信の可能な適合など、第４ｅＮＢの送信又は受信について決定し、再構成信号を他のｅＮＢへ送信する。
【００６２】
遷移調整プロセスの一部として、段階３０５において、第４ｅＮＢは、信号（例えば、Ｔｘ  ＣＳＩ−ＲＳ、位置決定基準信号（ＰＲＳ）又は他の基準信号）を送信又は受信する。言い換えれば、第４ｅＮＢは、起動を開始しているオフ状態のｅＮＢであり得る、又は、より一般的には、第４ｅＮＢは、オン／オフ、電力適合、キャリア適合又はキャリアタイプ適合などの遷移を経ているネットワークエンティティであり得る。段階３１０（概して、遷移調整プロセスの最後）において、第４ｅＮＢは信号（例えば、Ｔｘ  ＰＤＳＣＨ、又は、信号を搬送する他のデータ）を送信又は受信する。すなわち、第４ｅＮＢは、ＵＥへサービス提供してデータ通信に関与することを開始し得て、第４ｅＮＢを伴う遷移が完了し得る。
【００６３】
段階３０５と並行して実行され得る段階３０６において、第５ｅＮＢは、（例えば、ＲＲＭ（ＲＳＲＰ／ＲＳＲＱ）又はＣＳＩ測定のために、段階３０５で送信開始された、第４ｅＮＢからのＣＳＩ−ＲＳを）受信又は送信するように第２ＵＥにシグナリングする。段階３０８において、第２ＵＥは、ＣＳＩ／ＲＲＭ／ＲＬＭを測定して第５ｅＮＢにレポートする。この時点で、第２ＵＥは、第４ｅＮＢに接続されていないので、（制御情報又はデータのいずれかの）通信は、第５ｅＮＢで発生し得る。段階３１１において、第２ＵＥは、遷移調整プロセスの結果として、（例えば、第４ｅＮＢに関連する測定レポートがそのような決定をもたらした場合は第４ｅＮＢからのＲｘ  ＰＤＳＣＨを）受信（Ｒｘ）又は送信する。一般的に、第５ｅＮＢ及び第２ＵＥは、遷移を経ている第４ｅＮＢに近いことがあり得て、第５ｅＮＢ及び第２ＵＥは遷移によって影響され得る。例えば、第２ＵＥは、オン状態の第４ｅＮＢに接続されてサービス提供され得て、第５ｅＮＢは、第２ＵＥを第４ｅＮＢに接続するプロセスに参加し得る。
【００６４】
段階３０７において、第６ｅＮＢは、第３ＵＥを再構成し、再構成に関してシグナリングする。段階３０９において、第３ＵＥは、ＣＳＩ／ＲＲＭ／ＲＬＭを測定して第６ｅＮＢにレポートする。一般的に、第６ｅＮＢ及び第３ＵＥは、遷移プロセスを経ている第４ｅＮＢに近くないことがあり得るので、第６ｅＮＢ及び第３ＵＥは、段階３０６／３０８／３１１に説明されたコンポーネントのように大きく影響されないことがあり得るが、第４ｅＮＢがオンになるとき、第３ＵＥが干渉遷移を経験するにつれて、第６ｅＮＢ及び第３ＵＥはなお影響され得る。干渉変化に対処するべく、又は、この変化を見越して、段階３０７／３０９に示されるように、第６ｅＮＢ及び第３ＵＥの再構成が実行され得る。
【００６５】
段階３１０、３１１、３０９から、ｅＮＢは、段階３１２に示されるように、バックホールで情報を交換し得る。段階３１３において、第４ｅＮＢは、送信又は受信（例えば、異なる電力レベルのＴｘ  ＣＳＩ−ＲＳ）を調整する。例えば、ネットワークによって、様々なフィードバック及び測定レポートに基づいて、第４ｅＮＢ送信電力が高すぎるとみなされる場合、第４ｅＮＢは、その送信電力を低減し得て、遷移調整プロセスは、収束が生じるまで、又は、特定の基準が達成されるまで、継続し得る。
【００６６】
遷移調整プロセスが完了した後に、段階３１４において、第７ｅＮＢは、新しい干渉状況（又は、より一般的には、ネットワーク構成）が整ったとき、再構成信号を第４ＵＥへシグナリングする。段階３１５において、第４ＵＥは、再構成（例えばそのフィルタをリセットする）を実行する。
【００６７】
図３に関する用語、タイミング、タイミング順序は、厳格でないことがあり得て、いくつかの段階はスキップされる、並び替えられる、又は、変更されることがあり得て、いくつかの用語は、一般化又は特殊化され得る。例えば、段階３０４は、遷移調整プロセスに含まれ得る。遷移調整プロセス（段階３０５−３１３）は、意思決定プロセス（段階３０１−３０４）と関連し合っていることがあり得て、（例えば、他の通常の送信と並行に）プローブリソースのみ、又は、全ての関連リソースに対して実行され得る。ＣＳＩ−ＲＳリソース構成変更信号（段階３０６）及び再構成信号（段階３１４）は一般的に異なり得る。
【００６８】
［プローブリソース］
プローブリソースプロセスは、例えば遷移調整プロセスの間に提供され得る。遷移調整プロセスの間に、オンになったばかりのそのポイントのｅＮＢは、いくつかの異なる構成を試験し得る。試験は、電力レベルを調整する（送信ポイント及び／又はキャリアをオン又はオフにすることを含む）、ポートの数を調整する、帯域幅を調整する、キャリアを変更することなどによって実行され得る。そのような動作は反復的に生じ得る。例えば、ｅＮＢは、ある電力レベルで送信し得て、ＵＥのフィードバックに基づいて、ｅＮＢは電力レベルを増加又は減少させ得る。各電力レベルは、他のｅＮＢ及び／又はＵＥに対して異なる干渉をもたらし得て、故に、他のｅＮＢ及び／又はＵＥは、これらの構成、送信、及び／又は受信を調整する必要があり得る。これらの調整は、元のｅＮＢにも影響する連鎖反応を引き起こし得て、従って、より多くの調整が必要となり得る。このプロセスにおいて、ＵＥのＰＤＳＣＨ送信は影響され得る。各調整について、ｅＮＢはＵＥのフィードバックをモニタリングする。調整及びフィードバックは、ＵＥが数百ミリ秒など、通常のＰＤＳＣＨ送信レートより低いものを経験し得るなど、ネットワークオペレーションが望ましくない方式で変動することを引き起こし得る。言い換えれば、ネットワークが好適かつ望ましい性能の構成を実現するには長い時間がかかり得て、そのプロセスの間、通常のデータ送信が影響され得る。
【００６９】
代替的には、先を見越した、又は、準備された方式で、同様の手順を実行し得る。例えば、システム影響又は性能は、遷移前により小さいスケールのリソースについて予測され得る。そのような手順は、ネットワークの通常のオペレーションと並行して実行され得て、従って、通常のオペレーションは影響されないことがあり得る。これらの通常のオペレーションは、通常のデータ送信、通常の制御又はシステム情報送信、通常ＲＲＭ／ＲＬＭ／ＣＳＩ測定及びフィードバックなどを含み得る。調整プロセス又はプローブ期間により好適なリソースが規定及び／又は割り当てられ得る。ｅＮＢは、プローブリソースを構成し得て、構成されたプローブリソースを、選択されたＵＥにシグナリングし得る。選択されたＵＥは、同一期間中に、（信号及び／又は干渉について）プローブリソースで測定されるように構成され得て、ＣＱＩ／ＲＲＭ／ＲＬＭ測定レポートをレポートし得る。ネットワークは、プローブリソースでの様々な送信及びフィードバックレポートに基づいて、好適な遷移、及び、遷移後の好適な構成を発見するまで反復し得る。最後に、ネットワークは遷移を実行する。決定された最終構成が望ましい性能を有するように、及び／又は、安定状態に対応するように試験されたので、最後の遷移は、中断がより小さく、時間がより短いことが予想される。そのような手順は、ネットワークに対する影響、及び、調整又はプローブプロセスに費やされる時間を著しく低減し得る。
【００７０】
従って、遷移調整プロセスの間、プローブリソースのみで遷移調整を実行することなどのためにプローブリソースを利用することは有益であり得る。ネットワークは、より小さいスケールのリソースでの測定に基づいて、遷移前にシステム影響及び／又は性能を予測し得る。予測に関連する測定は、ネットワークの通常のオペレーションに影響することなく、ネットワークの通常のオペレーションと並行に行われ得る。選択されたＵＥは、同一期間中に（信号及び／又は干渉について）プローブリソースを測定するよう構成され得て、ＣＱＩ、ＲＲＭ測定、ＲＬＭ測定などをレポートし得る。ネットワークは、プローブリソース及びフィードバックレポートに基づいて送信の調整を継続することによって、好適な遷移、及び、遷移後の好適な構成を発見するまで反復し得る。複数の構成は、並行方式で、又は、逐次的にプローブされ得る。最後に、ネットワークは遷移を実行する。そのような手順は、ネットワークに対する影響、及び、調整又はプローブプロセスに費やされる時間を著しく低減し得る。プローブリソースを使用する概念及び手順は、一般的なネットワーク再構成、反復ネットワーク最適化などにおいて採用及び利用され得る。
【００７１】
プローブリソースは、プローブ基準信号（Ｐ−ＲＳ）及びプローブ干渉測定リソース（Ｐ−ＩＭＲ）を含み得る。ＬＴＥ及びＬＴＥ−Ａにおいて、Ｐ−ＲＳは、Ｐ−ＣＳＩ−ＲＳと呼ばれ得る特殊なＣＳＩ−ＲＳとみなされ得る。ＵＥは、Ｐ−ＣＳＩ−ＲＳを他のＣＳＩ−ＲＳと区別する必要がないことがあり得る。Ｐ−ＩＭＲは、Ｐ−ＣＳＩ−ＩＭＲと呼ばれ得る特殊なＣＳＩ−ＩＭリソースとみなされ得る。ＵＥは、Ｐ−ＣＳＩ−ＩＭＲを他のＣＳＩ−ＩＭリソースと区別する必要がないことがあり得る。ＬＴＥ又はＬＴＥ−Ａにおける基準信号又は干渉測定リソースの任意の一般化若しくは特殊化、又は、バリエーションもプローブに使用され得る。ＲＲＭ／ＲＬＭ又はＣＳＩレポートは、Ｐ−ＲＳ及びＰ−ＩＭＲに基づいて構成され得る。故に、プローブリソースは、場合により、ＵＥ透過的であり得る。ｅＮＢが構成の試験を開始又は完了すると、フィルタ状態がリセットされ得る。リセットは、信号測定及び干渉測定の両方を含み得る。干渉測定再開は、ＵＥへの再構成信号によってトリガされ得る。しかしながら、信号測定再開は、別の再構成信号によってトリガされ得る。代替的に、このリセットは、Ｐ−ＲＳ又はＰ−ＩＭＲ又は対応するＣＳＩに関連する特定のタイミングウィンドウに従って自動的に実行され得る。タイミング構成は、シグナリング又は仕様によって構成され得る。代替的に、プローブプロセスの開始、間隔及び終了についてＵＥに通知するべく、トリガのシグナリングがＵＥへ送信され得る。既存の標準的仕様において、複数のＣＳＩプロセス（ＣＳＩレポート構成、その各々は概して１つの信号干渉状況に関連する）がサポートされ得るが、１つのＲＲＭ測定プロセスのみがサポートされる。Ｐ−ＲＳ及びＰ−ＩＭＲベースのＲＲＭ測定を導入することにより、複数のＲＲＭ測定プロセスがシステムに導入され得る。
【００７２】
しかしながら、一般的に、プローブリソースは、Ｐ−ＣＳＩ−ＲＳ又はＰ−ＣＳＩ−ＩＭＲに基づくことも、そうでないこともあり得る。リソースは、プローブの目的で割り当てられた任意の時間／周波数ＲＳリソース及びＣＳＩ−ＩＭリソースであり得る一般的なＰ−ＲＳ及びＰ−ＩＭＲに基づき得る。更に、リソースは、別個のＰ−ＲＳ又はＰ−ＩＭＲに基づかないことがあり得る。代わりに、リソースは、プローブ目的で使用可能な任意の一般的な時間／周波数リソースであり得る。例えば、ＣＲＳと同様の基準信号は、プローブのために使用され得て、ＵＥは、まず信号を検出し、次に、同一時間／周波数リソースでの干渉を推定するべく信号を除去し、最後にＣＱＩレポートを生成する必要があり得る。例えば、ｅＮＢは、いくつかのｅＮＢがデータ及び／又はＤＭＲＳを送信し得るいくつかの時間／周波数リソースを割り当て得る。ＵＥはデータ及び／又はＤＭＲＳを復号し得て、ＣＳＩ（例えば、ＣＱＩ、ＰＭＩ、ＲＩ、変調及び符合化スキーム（ＭＣＳ）レベル、ＲＳＲＰ、ＲＳＲＱ、信号対干渉＋ノイズ比（ＳＩＮＲ）、チャネル共分散マトリクス、干渉レベル、干渉共分散マトリクス、デルタＣＱＩ、デルタＲＳＲＰ、デルタＲＳＲＱ、及び／又は、デルタ干渉）を測定及びレポートし得る、又は、ＵＥは、送信の一般的条件（例えば、肯定応答／否定応答（ＡＣＫ／ＮＡＣＫ）又は復号エラーの可能性）を測定及びレポートし得る。ｅＮＢは（例えば、周波数次元を使用してプローブ時間長を低減することを助けるために）複数のプローブリソースで、１又は複数の構成を同時にプローブし得て、ＵＥは１又は複数のＣＳＩを測定及びレポートし得る。プローブリソースはプローブ目的のみの専用であっても、そうでないこともあり得る。ｅＮＢは代わりに、ＣＳＩ−ＲＳ及びＣＳＩ−ＩＭリソースのサブセットを再使用してプローブを実行し得て、ＣＳＩレポート構成のサブセットを再使用してチャネルステータスをレポートし得る。ｅＮＢはまた、いくつかのプローブされる構成を使用してＵＥフィードバックをチェックして、ダミーデータを送信するためにいくつかの物理リソースブロック（ＰＲＢ）をスケジューリングし得る。ｅＮＢはまた、特定のリソースをプローブに割り当て、特定のパラメータをプローブのために構成し得て（測定タイミング及び／又はレポートタイミングなど）、リソース及び／又はパラメータをＵＥにシグナリングし得る。ＵＥは、指定されたリソースのシグナリングパラメータを用いて規定のプローブ手順に従い得て、この場合、プローブはＵＥ透過的でない。ｅＮＢによって確保されているプローブリソースは、ＵＬ時間／周波数リソースに存在し得て、この場合、プローブはアップリンクにおいて行われ得る。
【００７３】
プローブリソースは主に、調整、プローブ、及び／又は予測の目的で使用され得て、ポイントのオン又はオフの遷移に限定されるものではない。そのようなリソースは、一般的なネットワークリソース適合及び遷移、又は、反復的な送信スキーム変更（例えば、ＣｏＭＰスキーム変更）に適用され得る。そのようなリソースは、セルアソシエーション、電力レベル、キャリア選択、キャリア／ポイントのオン／オフ決定、負荷分散／アグリゲーション／シフト、アンテナポートの数、アンテナ構成、帯域幅、アンテナの傾き、コードブック構造及びパラメータ、ランク適合、又はプリコーディングの調整又は微調整に使用され得る。そのようなリソースは、プローブリソースを使用するフィードバックに基づいて異なる送信スキームを動的に使用する能力をｅＮＢに提供するために使用され得る。プローブリソースは、同時に実験するためにサブバンドに対して異なる様に構成され得る。プローブリソースに基づくフィードバックは、他のフィードバックより加重が小さいことがあり得て、例えば、精度がより低く、オーバヘッドがより低く、及び／又は、ＰＭＩ／ＲＩを伴うなどである。プローブリソースに基づく測定及びフィードバックレポートは、ＣＱＩ、ＰＭＩ、ＲＩ、ＭＣＳレベル、ＲＳＲＰ、ＲＳＲＱ、チャネル共分散マトリクス、干渉レベル、干渉共分散マトリクス、デルタＣＱＩ、デルタＲＳＲＰ、デルタＲＳＲＱ、デルタ干渉を含み得る。そのようなレポートはまた、ＵＬ調整又はプローブ又は性能予測に使用され得る。更に、ネットワークがプローブによって好適な送信スキームを決定することが可能であるようにするべく、ネットワークは、プローブリソースの送信モードの大部分又は全てをサポートする必要があり得る。例えば、通常のデータ送信は、送信モード８（ＴＭ８）であり得て、一方、プローブ送信は、ＴＭ１０と一致するように設定される。例えばＴＭ１０のためにプローブによってデータＳＩＮＲを決定するべく、ネットワークは、プローブリソースの基準信号リソース及び干渉測定リソースに基づいて、ＣＱＩ／ＰＭＩ／ＲＩ／ＭＣＳを最初にレポートするようＵＥを構成し得る。最初のレポートの後に、ＵＥは、プローブリソースで受信されたデータ（又はダミーデータ）に基づいてＳＩＮＲをレポートする。
【００７４】
Ｅ−ＵＴＲＡにおいて、ＲＳＲＱは、Ｎ×ＲＳＲＰ（Ｅ−ＵＴＲＡキャリアＲＳＳＩ）の比であり、ここで、Ｎは、Ｅ−ＵＴＲＡキャリアＲＳＳＩ測定帯域幅のＲＢの数である。分子及び分母の測定は同一のＲＢの組に対して行われる。Ｅ−ＵＴＲＡキャリアＲＳＳＩは、同一チャネルサービング及び非サービングセル、隣接チャネル干渉、熱雑音などを含む、全てのソースからのＵＥによるＮ個のＲＢについての、測定帯域幅におけるアンテナポート０についての基準シンボルを含むＯＦＤＭシンボルのみにおいて確認された合計受信電力（Ｗ）のリニア平均を含む。上位層シグナリングがＲＳＲＱ測定の実行についての特定のサブフレームを指示する場合、ＲＳＳＩは指示されたサブフレームにおけるＯＦＤＭシンボル全てに対して測定される。将来のリリースにおいて、ＲＳＳＩは、ｅＮＢによって指定される特定のＲＥで測定され得る。一般的に、合計受信電力は、仕様において指定された、又は、ネットワークコントローラによって指示された時間／周波数リソースにおける、サービングセルからの信号、干渉、ノイズなど、ＵＥによって受信された全ての無線周波数（ＲＦ）信号を含む。
【００７５】
図４は、本開示の特定の実施形態に係る、プローブリソースに基づく遷移調整期間４０２のオペレーション４００のタイムラインを図示する。第１列４０４において、ｅＮＢ、例えばｅＮＢ１４０６及びｅＮＢ２４０８は、プローブリソースを確保し、プローブ送信及びタイミングを協調させる。第２列４１０において、ｅＮＢは、プローブ送信及び調整を試験する。第３列４１２において、プローブリソースで収束が達成される。第４列４１４において、ネットワークは選択された再構成に従って動作する。様々な実施形態の更なる詳細が以下で説明される。
【００７６】
図５は、本開示の特定の実施形態に係る、プローブリソースに基づく遷移決定及び遷移調整プロセス５０２についてのオペレーション５００のタイムラインの例を図示する。５０４において、ネットワークは、遷移のために準備し、安定化するまで遷移に適合する、又は、異なる構成で実験して望ましい又は最適な構成を発見する。５０６において、収束した及び／又は望ましい挙動はプローブリソースで達成され、５０８において、ネットワークは再構成を選択し、選択された再構成に従って動作する。
【００７７】
様々な実施形態において、遷移を経験する、又は、遷移を予測するｅＮＢは、以下の段階を行い得る。ｅＮＢは、バックホールを通して、タイミング情報と共に再構成信号を他のｅＮＢへ送信し得る。ｅＮＢは、タイミング情報と共に、再構成信号をＵＥへ送信し得る。ｅＮＢは、Ｐ−ＲＳ及びＰ−ＩＭＲを含むプローブリソースをＵＥに対して構成し得て、プローブリソースで他のｅＮＢと協調して送信スキームを構成し得る。遷移及び再構成の効果は、プローブリソースのみについて、ネットワークによって反復的に評価及び／又は予測される。次に、評価期間の最後に取得される最終構成は全ての関連リソースに適用される。関連リソースは、プローブが行われた同一タイプキャリアにあっても、そうでないこともあり得る。例えば、最終構成は新しいキャリアタイプ（ＮＣＴ）に適用され得て、一方、プローブはリリース８互換性キャリアに対して行われ得る。
【００７８】
様々な実施形態は、無線ネットワークにおける再構成のために、送信、受信及びシグナリング方法及びシステムを提供する。実施形態は、遷移の後、又は、遷移と共同で、再構成をサポートする信号及びプロセスを提供する。そのような信号及びプロセスは、複数のノード、並びに、Ｐ−ＲＳ及びＰ−ＩＭＲを含むプローブリソースなどの基準リソースの間の再構成を協調してＵＥによる遷移及び再構成の効果を測定するためのバックホールシグナリングと、遷移及び再構成の発生をＵＥに指示するための、ＵＥへの再構成シグナリングとを含み得る。例えば、ＵＥは、更新された構成のためにこれらの測定プロセスを再開し得る。
【００７９】
実施形態において、遷移及び適合の発生の前、間、及び／又は後に、遷移及び適合の影響が複数のノード及び／又はＵＥによって評価され得る。遷移、適合及び／又は再構成がＰＤＳＣＨに適用される前に、ＣＳＩ−ＲＳ及び干渉測定に基づくプローブリソースが、遷移、適合及び／又は再構成の影響を評価するために使用され得る。実施形態において、ネットワーク及びＵＥは、これらの構成を調整し得る。ｅＮＢからＵＥ又は別のｅＮＢへのシグナリングは、遷移及び／又は再構成が生じることを指示し得て、それにより、ＵＥ及び他のｅＮＢは、それに従って動作し得る。実施形態は、ネットワークがトポロジ及び／又は送信を適合するとき、再構成信号及びプロセスを提供する。実施形態は、無線通信システムにおいて使用されるハンドセット及びネットワークにおいて実装され得る。
【００８０】
プローブプロセスは、常にＵＥを伴うことも、そうでないこともあり得る。例えば、図２に関して説明されるように、プローブプロセスは、無線によるマクロとリレーとの間の送信を再構成するために使用され得る。プローブは、ｅＮＢ再構成を常に伴うことも、そうでないこともあり得る。例えば、デバイス−デバイス（Ｄ２Ｄ）又はダイレクトモバイル通信（ＤＭＣ）ネットワークにおいて、プローブはＵＥ間の送信を再構成するために使用され得る。これらの場合において、様々な実施形態において説明された一般的手法は、適切な修正を伴ってなお適用され得る。
【００８１】
例として、ネットワークは、減少したトラフィック負荷を経験し得て、エネルギーを節約する、又は、エミッションを低減するために、いくつかのピコをオフにすることを試行し得る。ネットワークは、オフにする候補のピコをいくつか決定し得る。しかしながら、これらの候補のピコは、ＵＥにサービス提供していることがあり得て、いくつかのピコが実際にオフにされる場合、当該ピコによってサービス提供されているＵＥは、他のアクティブなピコにオフロードされる必要があり得る。そのようなオフロードは、干渉状況、ピコ／ＵＥのアソシエーション、ピコの負荷など、ネットワークオペレーションの様々な特徴を著しく変化させ得る。例えば、ＵＥが現在のサービングピコから第２ピコにオフロードされる場合、第２ピコは負荷の増加を経験し得る。負荷の増加が閾値を超える場合、ＵＥのＱｏＳは著しく悪化し、従って、ネットワークは、第２ピコにオフロードしないことを決定し得る、又は、第１ピコをオフにしないことを決定し得る。遷移決定する前にネットワークがオペレーション条件を予測する必要があり得るこの特定の例から、さもなければ深刻な問題が引き起こされ得ることが分かり得る。そのような予測は非常に有益であるが、ネットワークにおいて実際に試験されること無しでは非常に困難である。この状況において、プローブは有益であり得る。例えば、いくつかのプローブリソースにおいて、第１ピコは、オフにされる（従って、近隣ポイントのＵＥへの干渉が低減される）状態を「エミュレート」し、そのＵＥは第２ピコにオフロードされる。ＵＥはこのプローブ設定に関連するＣＱＩをレポートし、これは、第１ピコをオフにする決定が結果的にネットワークにとって有益又は問題かをネットワークが決定することを助け得る。第２ピコは、プローブリソースでＵＥの実際の送信及び／又はスケジューリングを実行し得て、従って、ネットワークはピコをオフにする、及び、ＵＥのサービスをオフロードすることを影響に関する多くの情報を取得し得る。
【００８２】
任意選択で、ＤＬ又はバックホールシグナリングについて、ｅＮＢはタイミングと共に再構成信号をＵＥ及び他のｅＮＢへ送信し得る。ＵＥは、例えば信号測定及び／又は干渉測定についての新しい測定条件が、指示されたＣＳＩ−ＲＳリソース構成、ＣＳＩ−ＩＭリソース構成及び／又はＣＳＩプロセス構成について有効になると想定し得る。ｅＮＢは、指示されたリソース構成に基づいてこれらのＵＥのフィードバックに従って再構成することが想定され得る。
【００８３】
任意選択で、ＤＬ又はバックホールシグナリングについて、ｅＮＢは遷移調整期間の開始及び／又は完了を指示するべく信号を送信し得る。この期間において、プローブリソースは、いくつかの構成を用いて実験するために使用され得る。ＵＥは、この期間中に測定タイミングウィンドウを適用し得る。各測定タイミングウィンドウの後に、ＵＥはプローブリソースで測定プロセスを再開し得る。
【００８４】
ＵＥ再構成信号設計に関して、再構成信号がＰＤＣＣＨ又はＥＰＤＣＣＨにある場合、遅延は小さいことがあり得るが、再構成インジケーションを含めるために、ダウンリンク制御情報（ＤＣＩ）フォーマットが修正される必要があり得る。再構成は、ＤＬ／ＵＬグラントに論理的に関連していないことがあり得る。なぜなら、ｅＮＢが再構成信号をＵＥへ送信する必要があるとき、ｅＮＢにはＵＥのためのＤＬ／ＵＬグラントが無いということが起き得るからである。次に、再構成信号は、ＤＣＩフォーマットのフィールドであり得る、又は、再構成のための特殊な軽量のＤＣＩであり得る。再構成信号が上層シグナリングにある場合、遅延は大きくなり得るが、ＤＣＩフォーマットを修正する必要が無いことがあり得る。再構成信号が共通チャネルにある場合、全てのＵＥが再構成される必要が無いことがあり得る。
【００８５】
ＵＥの挙動に関して、一般的に、ＵＥレイヤ１フィルタリング設計及びオペレーションは、明細書において指定されない実装問題である。しかしながら、ネットワーク遷移が生じた場合、ＵＥはシグナリングされ得て、これは、仕様のサポートを必要とし得る。ＵＥが反応するかどうか、及び／又は、どのように反応するかは概して実装に任されていて、これは、仕様のサポートを要求しない。ＲＳＳＩ／ＲＳＲＱのためのＵＥレイヤ３フィルタリングは、リセットされる必要があり得て、その場合、フィルタリングはネットワークについて標準化される必要があり得る。
【００８６】
ＵＥの挙動に関して、プローブリソースが主に、プローブされたＣＳＩを生成するのに使用される場合、ＵＥは、リソースがＰ−ＲＳ又はＰ−ＩＭＲとして使用されているかどうかに関係なく、及び、プローブリソースがＣＳＩ−ＲＳ／ＣＳＩ−ＩＭリソースであるかどうかに関係なく、プローブリソースに関してレートマッチングする必要があり得る。しかしながら、プローブリソースが実際のデータを搬送する（例えば、プローブリソースが測定用データの代わりにデータ送信に使用される）場合、ＵＥは、全てのプローブリソースについてレートマッチングを実行しないことがあり得る。代わりに、ＵＥは、測定用目的であるプローブリソースのサブセットでレートマッチングを実行し得る。ゼロ電力ＣＳＩ−ＲＳ構成のＵＥへのシグナリングなど、そのようなオペレーションをサポートするべく、適切なレートマッチングシグナリングが使用され得る。
【００８７】
測定プロセスを自動的に再開するために、プローブリソースは、トリガ又はタイミングウィンドウに関連し得る。プローブリソースに基づくＲＲＭ／ＣＳＩフィードバックレポート構成は、他のフィードバックレポートとは異なり得る。故に、複数の測定プロセス又は構成のために複数のタイミング構成が使用され得る。
【００８８】
無線ネットワークにおける適合のための、実施形態に係る方法において、ｅＮＢは、プローブ目的で、時間／周波数リソースの組を協調させて確保し、ｅＮＢは、ｅＮＢ及びＵＥの動作を同期させるのに使用されるオペレーションの組（プローブ送信）及びタイミングを協調させ、ｅＮＢは、リソース及びタイミングをＵＥにシグナリングし、ｅＮＢは、タイミングに従ってリソースで協調されたオペレーションを実行し、ｅＮＢは、シグナリングされたタイミングに従って、シグナリングされたリソースでＵＥ測定に基づいてＵＥからフィードバックレポートを受信する（ｅＮＢがプローブの影響を収集する）。ｅＮＢは更に、より広い時間／周波数リソースで更にプローブ送信をプローブ又は適用するためにオペレーションを協調させる。
【００８９】
無線ネットワークにおける適合のための、実施形態に係る方法は以下の段階を含む。ｅＮＢ１はＵＥ１に対し、測定プロセスの構成、測定プロセスに関連する測定リソースの構成、測定プロセスに関連する時間間隔、及び、測定プロセスに関連するレポート構成を送信する。これらの項目は、全体として、プローブ関連構成と称され得る。これらの構成の１又は複数は、１つの構成として組み合わされ得る、又は、別の構成に含まれ得る。例えば、測定リソースの構成は、測定プロセスの構成に含まれ得る。測定プロセスは、チャネル及び／又は干渉測定リソース（例えばＣＳＩ−ＲＳリソース及びＣＳＩ−ＩＭリソース）の構成を含み得る、３ＧＰＰリリース１１において規定されるＣＳＩプロセスであり得る。レポート構成は、周期レポート（この場合、レポートサブフレームの周期及びサブフレームオフセットがシグナリングされる）又は非周期レポート（この場合、レポートトリガ情報がシグナリングされ得る）を指示し得る。時間間隔は、時間間隔内に測定が実行され得ることを指定する。
【００９０】
更に、ｅＮＢ１は、ＵＥ２に関連するプローブ関連構成を指示するためにシグナリングをＵＥ２へ送信し得る。ＵＥ２へ送信される時間間隔は概して、ＵＥ１へ送信されたものと同一であり得る。ＵＥ２へ送信された他の構成は、ＵＥ１へ送信されたものと同一であることも、そうでないこともあり得る。ｅＮＢ１によってサービス提供される全てのＵＥがそのような構成を受信するわけではないことがあり得る。
【００９１】
構成を受信すると、ＵＥ１は、構成された時間間隔において、構成された測定リソースに基づいて、測定プロセス構成に従って測定を実行し得る。例えば、ＵＥ１は、ＣＳＩ−ＲＳリソース及びＣＳＩ−ＩＭリソースに基づいてＳＩＮＲ測定を実行し得て、時間間隔の開始から始まって、時間間隔の最後に終わる。次に、ＵＥは、測定に基づく測定プロセス構成及びレポート構成に従ってレポートを生成し得る。
【００９２】
ｅＮＢ１は、時間間隔情報及び／又は測定リソース構成情報をｅＮＢ２へ送信し得る、一般的に、測定リソース構成情報は、ＵＥ１及び／又はＵＥ２に、又は、プローブ関連構成をｅＮＢ１から受信するＵＥの一部又は全てに関連し得るが、測定リソース構成情報は、任意のＵＥによってｅＮＢ１から受信される測定リソース構成と同一であることも、そうでないこともあり得る。言い換えれば、ｅＮＢ１は、ＵＥへ送信された測定リソース構成を集約及び／又は選択し、集約及び／又は選択された測定リソース構成をｅＮＢ２へ送信し得る。ｅＮＢ１はまた、時間間隔情報及び／又は測定リソース構成情報をｅＮＢ３へ送信し得る。一般的には、時間間隔情報は同一であるが、ｅＮＢ３へ送信された測定リソース構成情報は、ｅＮＢ２へ送信されたものと同一であっても、そうでないこともあり得る。ｅＮＢ２は、プローブ関連構成をそのＵＥへ送信し得て、ここで、一般的には、時間間隔情報は全てのＵＥ及び全てのｅＮＢで同一である（ただし、例えば、いくらかの伝播アイソレーションがある場合、ネットワークは、異なるｅＮＢ及び／又はＵＥについて異なる様に時間間隔を構成する柔軟性を有する）。
【００９３】
時間間隔は、開始時刻、時間長及び／又は終了時刻として構成され得る。開始時刻は、時間オフセット（受信サブフレームより後の特定のサブフレームの数など）として、又は、将来における時間（特定のシステムフレーム数を有する無線フレーム内のサブフレームなど）として、又は、開始時刻トリガによって指示され得る。終了時刻は同様に指示され得る。代替的に、終了時刻は、開始時刻及び時間長から間接的に指示され得る。時間的に隣接し得る、複数の時間間隔があり得る。時間間隔は、上述の方法を使用して、開始時刻及び周期によって指示され得る。代替的に、周期シグナリングは、第１時間間隔の開始時刻において送信され得て、その結果、ＵＥは、周期及び開始時刻の両方を１つのシグナリングから取得し得る。
【００９４】
複数の時間間隔をＵＥに指定する別の方式は、開始時刻トリガに基づく。ＵＥが第１開始時刻トリガを受信するとき、ＵＥは測定を開始する。ＵＥが第２開始時刻トリガを受信するとき、ＵＥは、第１時間間隔が終了し、第２時間間隔が開始することを理解し、ＵＥはそれに従って測定プロセスをリセットする。いずれかの１又は複数の時間間隔で、ＵＥは、測定プロセス構成及びレポート構成に従って１又は複数の測定レポートを生成する。各レポートは、１又は複数の時間間隔の１つの時間間隔内の構成された測定リソースでの測定に基づく。タイミング構成はまた、ＵＥが測定を実行しない１又は複数のタイミングギャップを含み得る。タイミングギャップの構成は、上述の実施形態と組み合わされ得る。ＵＥは、ＲＲＭ及びＣＳＩ測定の異なる時間間隔、又は、信号及び干渉測定の異なる時間間隔など、１タイプの測定の時間間隔の組と、別のタイプの測定の時間間隔の別の組とを受信し得る。
【００９５】
ポイントは、バックホール接続のみの状態、限定されたモニタリング状態、プローブ状態又はアクティブ状態をとり得る。バックホール接続のみの状態において、ポイントは、その無線Ｔｘ／Ｒｘを完全にオフにしており、限定されたバックホールでＴｘ／Ｒｘシグナリングを行うのみであり得る。限定されたモニタリング状態において、ポイントは、無線の限定されたＲｘを実行し得て、無線のＴｘは行わず、Ｔｘ／Ｒｘは、限定されたバックホールでシグナリングし得る。プローブ状態において、ポイントは、限定されたバックホールで、基準信号の無線Ｒｘ、無線Ｔｘ、及び、Ｔｘ／Ｒｘを実行し得る。ポイントは、この状態の間にその送信パラメータ（例えばＲＳ電力）を調整し得る。アクティブ状態において、ポイントは、データの無線Ｔｘ／Ｒｘ及びＴｘ／Ｒｘをおそらく高速であるバックホールで実行し得る。
【００９６】
図６は、本開示の特定の実施形態に係る、ネットワークのポイントのための状態遷移６００を図示する。ポイントは、バックホール接続のみの状態６０２、限定されたモニタリング状態６０４、プローブ状態６０６、及び、アクティブ状態６０８の間で遷移し得る。状態遷移を経るポイントは、無線又はＸ２インタフェースでＵＥ及び近隣ポイントにシグナリングする必要があり得て、これは、複数のｅＮＢ及びＵＥにおいて遷移調整プロセスをトリガし得る。ここで、ポイントは、セル、アンテナセット、周波数帯／キャリア、マクロ／ピコ／フェムト／リレーなどであり得る。加えて、ポイントは、完全に電源オフの状態との間で遷移し得て、再構成及び遷移調整プロセスも適用され得る。
【００９７】
図７は、本開示の特定の実施形態に係る、複数のｅＮＢ７０４を協調する協調エンティティ（ＣＥ）７０２を有するシステム７００の図である。ＣＥ７０２は、マクロｅＮＢ又は他のネットワークエンティティであり得る。ＳｅＮＢ７０４は、通常は非理想的バックホールで、Ｘｎインタフェースを介してＣＥ７０２によって協調され得る二次的（又はスモールセル）ｅＮＢを表す。ＳｅＮＢ７０４は、通常は非理想的バックホールで、Ｘ２インタフェースを介して接続され得る。ＣＥ７０２は、ＳｅＮＢ７０４のオン／オフ、キャリア選択、負荷分散／シフト／アグリゲーション、及び、他の一般的な干渉管理及び協調オペレーションを協調し得る。ＵＥ７０６及び７０８はＳｅＮＢ７０４に接続される。
【００９８】
図８は、本開示の特定の実施形態に係る、このシステムアーキテクチャでのプローブオペレーション８００の例を示す。本開示の特定の実施形態に係るフローチャートが図９〜図１１に示されている。
【００９９】
図９〜図１１において、括弧内の注釈は、シグナリングがどのインタフェースで送信されるかを指示する。Ｘｎは、Ｘｎインタフェースで送信されるシグナリングを指示し、一方、ＡＩは、無線インタフェースで送信されるシグナリング又はデータを指示する。ＣＥオペレーション９００のフローチャートが図９に示されている。段階９０２において、ＣＥは、複数のｅＮＢに対してプローブリソースを協調する。段階９０４において、ＣＥは、プローブリソースについてｅＮＢに通知する。段階９０６において、ＣＥは、１又は複数のプローブ送信をタイミングと協調させる。段階９０８において、ＣＥは、プローブ送信及びタイミングについてｅＮＢに通知する。段階９１０において、ＣＥは、１又は複数のｅＮＢから測定レポートを受信する。段階９１２において、ＣＥは、適合決定を行い、段階９１４において、ＣＥは決定についてｅＮＢに通知する。
【０１００】
図１０は、本開示の特定の実施形態に係るｅＮＢオペレーション１０００についてのフローチャートを示す。段階１００２において、ｅＮＢはプローブリソース割り当てをＣＥから受信する。段階１００４において、ｅＮＢはＵＥ測定リソース及び／又はプロセスを構成する。段階１００６において、ｅＮＢは、ＣＥからタイミングと共にプローブ送信を受信する。段階１００８において、ｅＮＢは、測定タイミングを１又は複数のＵＥにシグナリングする。段階１０１０において、ｅＮＢは、タイミングに従って、プローブリソースでプローブ送信を実行する。段階１０１２において、ｅＮＢは、ＵＥから測定レポートを受信する。段階１０１４において、ｅＮＢは、測定レポートをＣＥへ送信する。段階１０１６において、ｅＮＢは、決定をＣＥから受信する。段階１０１８において、ｅＮＢは、決定に従ってデータをＵＥへシグナリングする。
【０１０１】
図１１は、ＵＥオペレーション１１００のフローチャートを示す。段階１１０２において、ＵＥは本開示の特定の実施形態に係る測定リソース及び／又は構成をｅＮＢから受信する。段階１１０４において、ＵＥは測定タイミングシグナリングをｅＮＢから受信する。段階１１０６において、ＵＥはタイミングに従って、割り当てられたリソースで測定を実行する。段階１１０８において、ＵＥは測定レポートをｅＮＢへ送信する。段階１１１０において、ＵＥは、新しい構成についてのシグナリングをｅＮＢから受信する。段階１１１２において、ＵＥは、新しい構成に従ってデータを受信する。
【０１０２】
前述の説明は、プローブベースのネットワーク適合に関するものである。これは、ネットワークにおいて使用される送信スキーム、ネットワークにおいて使用される送信電力レベル、オン又はオフになるネットワークノード、ＣｏＭＰ又は同様の高度な送信技法が使用されるかどうか、又は、同様の内容などの、ネットワーク全体の構成を扱う。ここで、プローブベースのネットワーク適合の特殊な場合とみなされ得る、プローブベースのリンク適合について説明する。
【０１０３】
無線ネットワークにおいて、プローブは、（例えば、多ユーザ多入力、多出力（ＭＵ−ＭＩＭＯ）のための）ＭＣＳレベル、ランク、ＵＥペアリングを含む適切なリンク適合を決定するために使用され得る。実施形態において、そのようなプローブベースのリンク適合において、サービングｅＮＢ及び１又は複数の潜在的に干渉するｅＮＢは、実際のデータ信号を送信する前に、プローブ信号をＵＥへ送信する。ｅＮＢは、プローブ信号を同時に、同一の時間／周波数リソースで送信する。従って、ＵＥがプローブ送信において経験する干渉は、実際のデータの送信においてＵＥが経験する干渉と同様である。プローブ信号が送信されるＲＥは、実際のデータの送信に使用されるＲＥのサブセットである。すなわち、プローブ信号によって占められるＲＥの数は、サブフレームにおけるＲＥの数未満である。ＵＥは、測定に基づいて、プローブ信号のＣＱＩ又はいくつかの他のチャネル品質パラメータを測定し、現在のチャネル状態に適切なＭＣＳレベルを決定する。ＵＥは次に、そのＭＣＳレベルについてｅＮＢに通知する。ｅＮＢは次に、実際のデータをＵＥへ送信するとき、そのＭＣＳを使用する。このようにして、ｅＮＢは、現在のチャネル状態に適切なＭＣＳレベルで送信し得る。
【０１０４】
特に、実施形態において、複数のｅＮＢは、仮のＭＣＳを使用してＰ−ＲＳの同一時間／周波数リソースで送信する。これらの送信は、プレ送信、プローブ送信、又はＰ−ＴＸと呼ばれ得る。Ｐ−ＴＸを受信するＵＥは、Ｐ−ＲＳで測定を実行し、例えば、更新されたＭＣＳを計算する。代替的に、ＣＱＩ又は他のチャネル品質パラメータは、ＭＣＳに基づいて導出され得る。複数の層が使用される場合、複数のＭＣＳが計算される必要があり得る。更新されたＭＣＳは、ｅＮＢにレポートされる。代替的に、ＭＣＳは、ＭＣＳと、ｅＮＢ及びＵＥの少なくとも１つに知られている基準ＭＣＳとの間の差によって指示され得る。ｅＮＢは次に、更新されたＭＣＳを使用して、Ｐ−ＴＸに関連する実際のデータの送信を実行する。実際のデータの送信は、実際の送信、ポストプローブ送信、又はＡ−ＴＸと呼ばれ得る。送信スキーム、及び、Ａ−ＴＸに関連する他のパラメータは、ＭＣＳを除いて、Ｐ−ＴＸに関連するものと同一である。ＭＣＳの変化はＵＥのＳＩＮＲにほとんど影響が無いので、ＵＥは、Ａ−ＴＸにおいて、Ｐ−ＴＸとほぼ同一のＳＩＮＲを経験することが分かり得る。従って、Ｐ−ＴＸ中に決定されたＭＣＳは、Ａ−ＴＸにおけるＳＩＮＲと合理的によく一致するであろう。言い換えれば、プローブは、リンク適合におけるミスマッチを著しく低減させるために使用され得る。リンク適合において大きく改善された精度は、次に、スループット性能のゲインに変換し得る。
【０１０５】
図１２は、本開示の特定の実施形態に係るプローブベースのリンク適合手順の実施形態を図示する。１２０２において、ｅＮＢは、スケジューリング、リソース割り当て、及び、対応するプローブ信号を送信する。１２０４において、ＵＥは、スケジューリング、リソース割り当て、及び、対応するプローブ信号を受信する。１２０６において、ＵＥは、信号及び干渉を測定し、ＭＣＳレベルを推定する。１２０８において、ＵＥは、推定されたＭＣＳレベルを含む測定レポートを送信する。１２１０において、ｅＮＢは、測定されたレポートを受信する。１２１２において、ｅＮＢは、ＭＣＳレベルを決定する。１２１４において、ｅＮＢは、対応するスケジューリング、リソース割り当て、及び、ＭＣＳ情報に基づいてデータを送信する。１２１６において、ＵＥはデータ送信を受信する。代替的に、１２０８において、ＵＥは、測定された信号及び干渉に基づいて決定されたＭＣＳレベルを送信し、１２１０において、ｅＮＢはＭＣＳを受信する。１２１２において、ｅＮＢは、受信されたＭＣＳレベルを使用することを決定し、１２１４において、ｅＮＢは、受信されたＭＣＳレベルを使用して送信する。
【０１０６】
Ｐ−ＴＸに基づく１つのプローブ結果は、１つより多くのＡ−ＴＸに適用され得ることに留意されたい。Ｐ−ＴＸに対する複数のＡ−ＴＸの場合、ｅＮＢは、Ｐ−ＴＸと一致する全てのＡ−ＴＸサブフレームにおいて、スケジューリング及びプリコーディングを実行し得る。一般的に、リソース割り当て情報送信、プローブリソース、プローブフィードバック、ＭＣＳ情報送信、及び、データ送信の間のタイミングは、図１２に示されるように最大で４送信時間間隔（ＴＴＩ）かかり得るが、ＵＥが（例えば第５及び第６ＯＦＤＭシンボルでＣＳＩ−ＲＳを使用して）十分早くＰ−ＲＳを受信して、十分速く測定を処理し得る（例えば、Ｎ＋１でレポートを送信する）場合、及び、ｅＮＢが十分速くＡ−ＴＸ（送信ブロック（ＴＢ）サイズなど）を準備し得る場合、３、又は、更には２ＴＴＩでも十分であり得る。時分割複信（ＴＤＤ）システムにおいて、プローブは同様に使用され得るが、タイミング及び／又は遅延は、周波数分割複信（ＦＤＤ）とは異なり得る。
【０１０７】
図１３は、本開示の特定の実施形態に係る、リンク適合のためのプローブの実施形態を示す。図１３において、サブフレームｎ１３０２において、ｅＮＢ１１３０４は、Ｐ−ＲＳでＰ−ＴＸを実行する（例として、Ｐ−ＲＳ及びＣＳＩ−ＲＳは特に、非ゼロ電力（ＮＺＰ）ＣＳＩ−ＲＳであり得る）。すなわち、ｅＮＢ１１３０４は、サブフレームｎ１３０２において使用可能な全ての時間／周波数リソースのサブセットである、プリコーディング１、プリコーディング２、及び、プリコーディング３と表される時間／周波数リソースで、プローブ信号を送信する。同時に、ｅＮＢ２１３０６は、時間及び周波数において、プリコーディング１、プリコーディング２、及び、プリコーディング３と表される時間／周波数リソースに対応するプリコーディング４、プリコーディング５、及び、プリコーディング６と表される時間／周波数リソースで、プローブ信号を送信する。ｅＮＢ１１３０４及びｅＮＢ２１３０６によって送信されたＰ−ＲＳは、ＲＢ固有のプリコーディングでプリコーディングされ得る。すなわち、各ＲＢは、異なるプリコーディング及びランクを有することが可能であり得るが、いくつかのＲＢは、同一のプリコーディング及びランクを共有し得る（詳細は以下を参照されたい）。
【０１０８】
これらのＰ−ＲＳの変調レベルは、ＵＥ測定を簡単にするために、４位相シフトキーイング（ＱＰＳＫ）に固定され得るが、より高次の変調も、より高い精度のリンク適合のために可能である。符号化レートは、関連する変調レベルについて、最低の符号化レートとなるように選択され得る、又は、ＵＥに知られている予め決定された符号化レートに固定され得る、又は、動的に変動し得る。すなわち、プローブ送信に使用されるＭＣＳレベルは、ＵＥが経験するチャネル状態に対して最適であることも、そうでないこともあり得るが、プローブ送信は、その条件に適切なＭＣＳレベルを決定するのに使用され得る。
【０１０９】
１つより多くのＣＳＩ−ＲＳ構成がＰ−ＲＳとして使用され得ることは可能である。これは、プローブのための処理ゲインを増加させることを助け得る。また、１つのＲＢにおける複数のプローブが、異なるプリコーディングベクトル又はマトリクスに対して可能であり得る。Ｐ−ＲＳは、帯域幅全体に及ぶ必要が無いことがあり得る。言い換えれば、いくつかのＲＢのＣＳＩ−ＲＳは、リンク適合のためのプローブに使用されないことがあり得る。ＵＥは、そのようなＲＢを、測定用の通常のＣＳＩ−ＲＳとして扱い得る。
【０１１０】
ｅＮＢ１１３０４によってサービス提供されるいくつかのＵＥは、プローブについてのシグナリングをｅＮＢ１１３０４から受信し得る。そのようなシグナリングは、ＵＥ固有プローブが実行される時間／周波数リソースをＵＥに指示し得る。例えば、ＵＥ１は、プリコーディング１及び２に関連するリソースがＵＥ１のプローブのためのものであることをシグナリングされ得る。この場合、一般的には、プリコーディング１及び２は同一である。ＵＥ２は、プリコーディング３に関連するリソースがＵＥ２のプローブのためのものであることをシグナリングされ得る。同様に、ｅＮＢ２１３０６によってサービス提供されるいくつかのＵＥは、プローブについてのシグナリングをｅＮＢ２１３０６から受信し得る。ＵＥ３はプリコーディング４に関連するリソースがＵＥ３のプローブのためのものであることをシグナリングされ得る。ＵＥ４は、プリコーディング５及び６に関連するリソースがＵＥ４のプローブのためのものであることをシグナリングされ得る。この場合、一般的に、プリコーディング５及び６は同一であり得る。すなわち、どのＲＢがどのＵＥに使用されるかは、異なるｅＮＢに対して、異なる様に区分され得る。
【０１１１】
次に、ＵＥは、プローブのための測定用のｅＮＢの命令に従い得る。ＵＥのための信号測定は、そのＵＥに割り当てられた全てのプローブリソースから取得され得る（適切なフィルタリングを伴う）。ＵＥのための干渉測定は、そのＵＥのための全てのプローブリソースから取得され得て、信号の効果を除去する。次に、ＵＥは、そのＵＥに割り当てられた全てのプローブリソースについての混成ＳＩＮＲ（適切な処理を伴う）、及び／又は、そのＵＥに割り当てられた全てのプローブリソースについての混成ＣＱＩ及び／又はＭＣＳ（適切な処理を伴う）を取得し得る。取得された測定結果は次に、ｅＮＢにフィードバックされる。複数の測定プロセス（例えばＣＳＩプロセス）がプローブのために構成されている場合、ＵＥは、異なるプロセスのために信号測定を混合することを許可されないことがあり得て、異なるプロセスのために干渉測定を混合することを許可されないことがあり得る。しかしながら、同一プロセスにおいて、信号測定は組み合わされ得て、干渉測定は、ｅＮＢインジケーションに従って組み合わされ得る。
【０１１２】
Ｐ−ＲＳの変調レベルは、単純に、一般的なＲＳ設計と一致するＱＰＳＫであり得て、単純な復調の利点を有する。更に、Ｐ−ＲＳの変調レベルは概して、信号統計又は干渉統計のいずれかの観点から、プローブのＳＩＮＲに影響しない。しかしながら、干渉除去を伴う最尤推定（ＭＬ）受信機など、より複雑な受信機アルゴリズムが使用される場合、ＱＰＳＫは、全てのプローブに対して適切でないことがあり得て、Ｐ−ＴＸ及びＡ−ＴＸは、正確なリンク適合のために、同一変調レベルを使用し得る。
【０１１３】
サブフレームｎ＋ｋ１３０８など、後の時間において、ｅＮＢはＡ−ＴＸを実行する。すなわち、ｅＮＢ１１３０４及びｅＮＢ２１３０６は、サブフレームｎ１３０２におけるプローブ送信に使用されなかった時間／周波数リソースにおけるサブフレームｎ＋ｋ１３０８においてデータを送信する。各ＵＥのためのリソース割り当ては概して、Ｐ−ＴＸと同一である。実施形態において、サブフレームｎ１３０２とサブフレームｎ＋ｋ１３０８との間の時間間隔は、ｅＮＢ１  １３０４とｅＮＢ２  １３０６について共通に構成される。各ＵＥについてのＡ−ＴＸにおける（新しい）ＭＣＳレベルは、ＵＥプローブフィードバックに従う。例えば、プリコーディング１は、ＵＥ１の全てのＲＢで、ＵＥ１のためのｅＮＢ１  １３０４によって使用され、関連する新しいＭＣＳが使用される。同様に、プリコーディング３は、ＵＥ２のための全てのＲＢで、ＵＥ２のためのｅＮＢ１  １３０４によって使用され、関連する新しいＭＣＳが使用される。プリコーディング４は、ＵＥ３のための全てのＲＢで、ＵＥ３のためのｅＮＢ２  １３０６によって使用され、関連する新しいＭＣＳが使用される。プリコーディング５は、ＵＥ４のための全てのＲＢで、ＵＥ４のためのｅＮＢ２  １３０６によって使用され、関連する新しいＭＣＳが使用される。Ｐ−ＴＸにおいて、ｅＮＢ１のプリコーディングがＲＢでｅＮＢ２のプリコーディングと共に送信される場合、Ａ−ＴＸにおいて、ｅＮＢ１のプリコーディングが、ＲＢのデータ送信で、ｅＮＢ２のプリコーディングと共に送信されることが（少なくとも簡単にするために）望ましいことがあり得る。
【０１１４】
プリスケジューリングからの実際のスケジューリングのいくつかの変更が可能であり得るが、各ＵＥが同一の量の干渉を経験し続けるような方式で変更が行われることが望ましいことがあり得る。例えば、変更は、全てのｅＮＢによるＲＢの位置の一斉入れ替え、又は、全てのｅＮＢによるＵＥのサブセットについてのＲＢの数の一斉スケーリングであり得る。全体として、サブフレームｎ＋ｋ１３０８における干渉が「予測可能」になると、正確なリンク適合が達成され、ＵＥへの送信が１回で成功し得る。より積極的な送信は復号の失敗をもたらし得る。レートマッチング及び／又はパンクチャリングは固有であり得て、その結果、ＵＥは非ＰＤＳＣＨ  ＲＥを除去し得る。レートマッチングしたＲＥ又はパンクチャリングされたＲＥは、ＵＥによって使用されるＰ−ＲＳ  ＲＥより多いことがあり得る。一般的に、ＣＳＩ−ＲＳがプローブに使用される場合、レートマッチングは、ゼロ電力（ＺＰ）−ＣＳＩ−ＲＳに基づき得て、従って、追加のレートマッチングシグナリングが必要無いことがあり得る。しかし、非ＣＳＩ−ＲＳがプローブに使用される場合、レートマッチングが指定される必要が無いことがあり得る。
【０１１５】
Ｐ−ＴＸシグナリングは以下のように設計され得る。第１に、シグナリングは、ＤＣＩ（例えば、Ｐ−ＴＸと同一サブフレームにおいて、ＰＤＣＣＨ又はＥＰＤＣＣＨにおいて搬送される物理（ＰＨＹ）層シグナリング）であり得る。シグナリングは、ＵＥ固有又はＵＥグループ固有であり得る。シグナリングは、（該当する場合）サブフレームにおける実際のスケジューリングについてのシグナリングとは別個であり得る。シグナリングは、ＣＳＩ−ＲＳ構成のうちの１又は複数がプローブに使用される（例えば、特定のＲＢ、サブバンド及び／又はリソースブロックグループ（ＲＢＧ）に制限され得るＰ−ＲＳとして使用される）ことをＵＥに指示し得る。Ｐ−ＴＸシグナリングは、ＣＳＩ−ＩＭＲを含める必要が無いことがあり得る。層及び／又はアンテナポートの数が指示され得る。シグナリングは、ＵＥがＰ−ＲＳに基づいてプローブ測定を実行する、ＲＢ、サブバンド、ＲＢＧ、及び／又は、仮想コンポーネントキャリア（ＣＣ）をＵＥに指示し得る。シグナリングは、平均化がプローブリソースに実行されないことをＵＥに指示し得る。シグナリングは、ＵＥがＰ−ＲＳに基づいて測定を実行しない、ＲＢ、サブバンド、ＲＢＧ、及び／又は仮想ＣＣをＵＥに指示し得る。それらのＣＳＩ−ＲＳ  ＲＥについて、通常のＣＳＩ−ＲＳベース測定が、指示されるように実行され得る、又は、ＵＥは、指示されるような測定用のために、それらのＣＳＩ−ＲＳを無視し得る。
【０１１６】
特定の実施形態によれば、ＵＥが全てのＲＢ、サブバンド、ＲＢＧ、及び／又は、仮想ＣＣについて測定をレポートする必要があるが、ＵＥが、ＲＢ、サブバンド、ＲＢＧ、及び／又は、仮想ＣＣのいくつかでの測定を実行するためのプリスケジューリングシグナリングによって通知されなかった場合、ＵＥは、それらのリソースでの通常のＣＳＩ−ＲＳベース測定を想定し、それらの測定についてレポートし得る、又は、ＵＥは、ＩＮＶＡＬＩＤをレポートし得る。複数のプローブプロセスが指示され得る。測定レポートが生成される方式も指示され得る。Ｐ−ＴＸシグナリングはまた、ＵＥがＰＵＣＣＨ又はＰＵＳＣＨでの測定をレポートすべきかどうか、及び、ＵＥがその測定をレポートすべきサブフレーム及び／又はＲＢなど、アップリンクに関連する情報を含み得る。Ｐ−ＴＸシグナリングは、Ｐ−ＲＳと同一サブフレーム及び／又は同一キャリアにあることも、そうでないこともあり得る。すなわち、クロスサブフレーム及び／又はクロスキャリアプリスケジューリングが可能であり得る。そのような情報を含むＰ−ＴＸシグナリングは、トリガと称され得る。なぜなら、そのようなシグナリングは、ＵＥがプローブ信号の測定を実行することをトリガするからである。同様に、そのような情報を含むＤＣＩは、トリガと称され得る。
【０１１７】
ＵＥは、シグナリングによって指示される全てのプローブリソースに基づいて１つのプローブ測定レポートを生成し得る。すなわち、シグナリングによって指示される全てのプローブリソースのための共通ＭＣＳ及び／又はＳＩＮＲが生成及びレポートされ得る。代替的に、シグナリングによって指示されるような、ＲＢ、サブバンド及び／又はＲＢＧのための（又は、全ておＲＢ、サブバンド、ＲＢＧ、及び／又はキャリアにおける仮想ＣＣのための）複数のプローブ測定が生成され得る。すなわち、シグナリングによって指示されるプローブリソースの各周波数単位のための（又は、キャリアの帯域幅全体のための）別個のＭＣＳ及び／又はＳＩＮＲが生成及びレポートされ得る。プローブ測定レポートは、従来のＣＱＩレポートより少ない情報を含み得る。特に、プローブ測定レポートは、プローブ信号に基づいて、ＵＥによって選択されたＭＣＳレベルのみを含み得る。
【０１１８】
Ａ−ＴＸスケジューリングシグナリングは、Ｐ−ＴＸプリスケジューリングシグナリングに関連し得る。例えば、ＵＥは、ｅＮＢが割り当てを修正しない限り、２つのサブフレームにおけるリソース割り当てが同一であることを想定し得る。一般的に、ランク、層、ポート、及び／又は、ＰＭＩ（非ＤＭＲＳベースＴＭなど、ＵＥにシグナリングする必要がある場合）は、Ｐ−ＴＸと同一であり得るので、シグナリングはそれらのフィールドを搬送する必要が無いことがあり得る。しかしながら、更新ＭＣＳ又は新しいデータインジケータなどの情報がシグナリングされる必要があり得る。代替的に、Ａ−ＴＸスケジューリングシグナリングは、Ｐ−ＴＸプリスケジューリングシグナリングとは別個であり得て、ｅＮＢは、Ａ−ＴＸリソース割り当ての修正においてより大きな柔軟性を有し得る。
【０１１９】
プローブベースのリンク適合において、複数のｅＮＢは、同一周波数リソースにおいて同時にプローブ信号を送信し得る。従って、ＵＥは、信号に影響する干渉を経験し得る。実施形態において、この問題に対処するべく、周波数単位バンドルが使用され得る。周波数単位は、ＲＢ、サブバンド、ＲＢＧ又は仮想ＣＣであり得る。以下の実施形態は、ＲＢバンドルで図示されるが、同様の周波数単位に適用され得る。ＲＢバンドルにおいて、いくつかのＲＢ（例えば、２、３、５、６、１０、１２又はそれ以上）は、１つのプレスケジューリングユニット又はスケジューリングユニットとしてバンドルされ得る。その結果、ｅＮＢは、同一のプリコーディングで、バンドルされたＲＢを１つのＵＥに割り当て得る。例えば、ｅＮＢ１の場合、ＲＢ０、１、２のＰ−ＲＳはＵＥ１に割り当てられ得て、１つの共通プリコーディングは、これらのＰ−ＲＳに使用され得て、ＲＢ３、４、５のＰ−ＲＳはＵＥ２に割り当てられ得て、１つの共通プリコーディングはこれらのＰ−ＲＳのために使用され得るなどである。ＲＢの１つより多くのバンドルが１つのＵＥに割り当てられ得る。ｅＮＢ２の場合、ＲＢ０、１、２のＰ−ＲＳはＵＥ３に割り当てられ得て、１つの共通プリコーディングは、これらのＰ−ＲＳに使用され得て、ＲＢ３、４、５のＰ−ＲＳはＵＥ４に割り当てられ得て、１つの共通プリコーディングはこれらのＰ−ＲＳのために使用され得るなどである。ｅＮＢのためのバンドルは揃えられ得る。バンドルは、プローブ中にｅＮＢ及びこれらのＵＥの両方に知られ得る。ＵＥは、各バンドルでの干渉が同一であると想定し得る。例えば、プローブを実行する主要な干渉物の各々について、バンドルにおけるＰ−ＲＳでのプリコーディングは同一である。従って、ＵＥは、ＳＩＮＲ、ＣＱＩ及び／又はＭＣＳのより良好な推定のために、各バンドルのＰ−ＲＳで、干渉、例えば、干渉統計及び干渉共分散マトリクスを、より正確に推定し得る。ＵＥのバンドル全体で、ＵＥは、別の方法でｅＮＢにより通知されない限り、干渉が同一であることを想定することが可能でないことがあり得る。また、バンドルは、プローブのためのシグナリングオーバヘッドを低減することを助け得る。
【０１２０】
上記例は、プリスケジューリング又はＰ−ＴＸのためのものである。Ａ−ＴＸについて、バンドルが使用されることも、そうでないこともあり得て、使用される場合、同一又は異なるバンドルが使用され得る。いずれの場合も、ｅＮＢは、各ＵＥによって認識される干渉（又は、少なくとも、主要な干渉物からの干渉）がＰ−ＴＸと同一であることを保証する必要があり得る。例えば、Ｐ−ＴＸにおいて、ｅＮＢ１のＵＥ１が、プリコーディングｘで、ＲＢ０、１及び３が割り当てられ、ｅＮＢ２のＲＢ０、１及び３がプリコーディングＡ、Ａ、Ｂを有する場合、Ａ−ＴＸにおいて、ｅＮＢ１は、ＵＥ１にプリコーディングｘでＲＢ０、１及び３を割り当て得て、ｅＮＢ２は、プリコーディングＡ、Ａ、ＢをＲＢ０、１及び３に割り当て得る。代替的に、Ａ−ＴＸにおいて、ｅＮＢ１は、プリコーディングｘで、ＵＥにＲＢ０〜５を割り当て得て、ｅＮＢ２は、プリコーディングＡ、Ａ、Ａ、Ａ、Ｂ、ＢをそれぞれＲＢ０〜５に割り当て得る。後者は、ｅＮＢ間の協調から利益を受け得る。すなわち、ｅＮＢは、バックホールを介して、Ａ−ＴＸのためのこれらのリソース割り当てを協調させる必要があり得る。全てのｅＮＢがＡ−ＴＸのためのＰ−ＴＸからのこれらのリソース割り当てを続ける場合、協調が必要無いことがあり得る。Ａ−ＴＸ  ＲＢバンドルが使用される場合、ｅＮＢは、ＵＥに通知し、その結果、干渉推定及びチャネル推定は、より正確になり得る。
【０１２１】
実施形態において、ｅＮＢは、互いに協調し得て、その結果、ｅＮＢは、同一リソースにおいて同時にプローブ信号を送信し、その結果、ｅＮＢは、プローブ信号を送信後、実際のデータを同時に送信する。特に、ｅＮＢは、プローブのためにリソースについて協調する（例えば、全てのｅＮＢに共通のＰ−ＲＳリソースを確保する）ことが必要であり得る。そのようなリソースは、Ｐ−ＲＳ周期性、サブフレームオフセット、サブフレームにおけるＰ−ＲＳの場所、及び／又は、Ｐ−ＲＳの層の最大数を含み得る。また、ＲＢバンドルが使用される場合、全てのｅＮＢは、同一バンドルに設定される必要があり得る。加えて、Ａ−ＴＸリソース割り当てがＰ−ＴＸリソース割り当てとは異なる場合、リソース割り当ては、ｅＮＢの間で協調する必要があり得る。いくつかの場合において、ｅＮＢは、ピアとして動作し、分散方式で、それらの間で協調情報を交換し得る。他の場合において、ｅＮＢの１つは、コーディネータとして動作するように選出され得る。更に他の場合において、ｅＮＢと通信するいくつかの他のエンティティは、コーディネータとして動作し得る。
【０１２２】
プローブの使用は、プローブが無い場合と比較してオーバヘッドを増加させ得る。プローブのオーバヘッドを低減することを助けるべく、いくつかのオーバヘッドが最小限に抑えられ得る。例えば、ここではＰ−ＲＳがリンク適合に使用されるので、ＣＲＳに起因するオーバヘッドは最小限に抑えられ得る。ｅＮＢは、サブフレームがマルチキャストブロードキャスト単一周波数ネットワーク（ＭＢＳＦＮ）であることを従来のＵＥにシグナリングし得て、その結果、ＣＲＳは、他の場所ではなく、第１ＯＦＤＭシンボルに現れる必要がある。ｅＮＢは、ＣＲＳベース測定ではなく専用基準信号（ＤＲＳ）ベース測定でＵＥを構成し得て、ＣＲＳは送信されないことがあり得る。ｅＮＢは、従来のＵＥのためにキャリアを非アクティブ化し、新しいＵＥのためにＤＲＳを送信し得る。ｅＮＢは、高速キャリアオン／オフを適用し得て、ＣＲＳは、キャリアがデータ送信についてオンになった場合のみ、送信され得る。ＥＰＤＣＣＨがＰＤＣＣＨを置き換えるために使用され得て、その結果、ＵＥはＣＲＳに依存する必要が無い。しかしながら、ＥＰＤＣＣＨが使用される場合、Ａ−ＴＸにおけるＥＰＤＣＣＨプリコーディングと、Ｐ−ＴＸにおけるプローブプリコーディングとの間に不一致があり得る。この問題を解消するべく、ＥＰＤＣＣＨプリコーディングが、Ｐ−ＲＳでも使用され得る、又は、ｅＮＢは、ＵＥのためのＥＰＤＣＣＨがＵＥのためのＲＢバンドルにおいて送信されることを保証し得る。また、ＣＲＳはプリコーディングされず、特定の実施形態において、プローブされないことがあり得るので、ＣＲＳの低減は、プローブ精度の改善を助け得る。
【０１２３】
割り当てられたリソースからＰ−ＴＸを受信すると、ＵＥは後のデータ送信のために、同一タイプの受信機を使用して、受信されたチャネル品質、例えばＳＩＮＲを計算し得る。低密度のＰ−ＴＸ信号に起因して、特定の受信機、例えばＭＬ受信機で、受信されたチャネル品質を導出することが困難である場合、ＵＥは、計算において、最小平均二乗誤差と干渉抑圧との組み合わせ（ＭＭＳＥ−ＩＲＣ）受信機に関連するパラメータを適用し得る。チャネル品質結果は、異なる方式で、プローブ推奨をレポートするために使用され得る。１つの方式において、ＵＥは、データ復調受信機とプローブＭＭＳＥ−ＩＲＣ受信機との間の性能差を考慮することによっても、チャネル品質結果を特定のＣＱＩ値にマッピングし得る。ネットワークは次に、Ａ−ＴＸ送信において、ＭＣＳを適切に調整し得る。別の方式において、ネットワークは、最初のデータ送信スケジューリングを行う。ＵＥがチャネル品質推定をＰ−ＴＸ送信から取得した後に、結果はスケジューリング送信条件と比較される。ＵＥは、ＵＥの推奨ＭＣＳ調整、例えば最初のスケジューリング値からの＋１又は−１をネットワークにレポートし得る。
【０１２４】
Ｐ−ＴＸ送信を構成するべく、ネットワークにおいて異なる数の層をサポートするＵＥがある場合、ネットワークは、構成がＡ−ＴＸ送信において最大可能数の層を収容し得ることを確実にする必要があり得る。例として、２及び４層のデータ送信をサポートする、２つのｅＮＢによってサービス提供される２つのＵＥが、システムにおいてアクティブであり、同一サブフレームの２つのｅＮＢの同一ＲＢで予めスケジューリングされる。ネットワークは、４層データ送信を対象とするＵＥへのＰ−ＴＸの送信のために４ポートＣＳＩ−ＲＳリソースを構成し得て、２層データ送信を対象とするＵＥへのＰ−ＴＸの送信のために２つの２ポートＣＳＩ−ＲＳリソースを構成し得る。２ポートＣＳＩ−ＲＳリソースは、４ポートＣＳＩ−ＲＳリソースと完全に重複し得る。これら２つの２ポートＣＳＩ−ＲＳリソースにおいて送信されるＰ−ＴＸ信号は、異なり得るが、同一のプリコーディングをなお有し得る、又は、単純繰り返され得る。前者の場合、ＵＥは、プローブのために、第２の２ポートＣＳＩ−ＲＳリソースを認識する必要があることも、そうでないこともあり得るが、ＵＥは、レートマッチングのために、第２の２ポートＣＳＩ−ＲＳリソースを認識する必要があり得る。後者の場合、２つの２ポートＣＳＩ−ＲＳリソースを有するＵＥは、同一の信号を想定し得て、プリコーディングは、２つの２ポートＣＳＩ−ＲＳリソースで使用され得る（シグナリング又は指定された場合）。しかしながら、近隣ｅＮＢの同一のＲＢにおけるＰ−ＲＳが完全に重複するＰ−ＲＳリソースを有する限り、ｅＮＢの同一サブフレームでのＰ−ＲＳは、異なるＲＢ（又はＲＢバンドルなど）において、異なる最大可能数の層を有し得る。
【０１２５】
推奨されるＣＱＩ又はＭＣＳ調整値をレポートするＵＥに加えて、ＵＥはまた、推奨される送信ランクをレポートするよう構成され得る。典型的には、ランクは、Ｐ−ＴＸの送信前にスケジューリングされ、Ｐ−ＴＸ及びＡ−ＴＸの間、同一であり続ける。Ｐ−ＴＸの処理後、同一ランクが維持される場合、ＵＥは、次のＡ−ＴＸのために、好ましい、又は、望ましくないチャネル状態を発見し得るが、ＵＥはまた、その好ましいランクをネットワークにレポートし得る。レポートランクは、元のスケジューリングランクより高い、又は、より低いことがあり得る。フォーマットをレポートするランクは、インデックス、又は、スケジューリングされたランクからのオフセットを有する絶対ランクであり得る。例えば、ＵＥは、ランク２送信についてスケジューリングされ得て、チャネル品質からＰ−ＴＸを導出すると、ＵＥは、ＵＥが第２層におけるランク１送信を好むことを示唆するようにネットワークにレポートし得る。ネットワークは、Ａ−ＴＸの送信について、ＵＥの示唆されたランクに従うことも、そうでないこともあり得る。ネットワークがＵＥの示唆に従いランクを変更する場合、ｅＮＢの送信の間にいくつかの協調が必要であり得る。
【０１２６】
プローブ信号により、ＵＥは、データ送信において経験される実際の干渉に対して、遥かにより良好な推定を有する。故に、ＵＥは、平均チャネル及び干渉状況を対象とし得る通常のＣＳＩレポートより小さいブロックエラー率を対象とし得る（例えば、２％対１０％）。精度をレポートするＵＥの試験において、従来の試験方法及び測定基準が再使用され得る。
【０１２７】
プローブベースのリンク適合は、複数の状況に適用され得る。例えば、そのような適合は、プローブリソース及びバンドルのプレ協調で、Ｐ−ＴＸシグナリングで、及び、追加のオペレーションで、現在のＬＴＥシステムに使用され得て、Ａ−ＴＸ及びＰ−ＴＸが一致することを保証する。Ｐ−ＲＳ干渉推定のためのリソースがより少ないという問題を克服することを助けるべく、十分な数のＲＢのＲＢバンドルが使用され得る。これは、ワイドバンドシステム（例えば、Ｃ帯、ｍｍＷａｖｅ帯などに当てはまる、１つのキャリアにおける数百のＲＢ）においてプローブが特に効果的であり得ることを示唆する。大きいＲＢバンドルはまた、より少ないＵＥがサブフレームにおいて多重化され得ることを示唆するが、この限定は、いくつかＵＥ多重化のみを有し得るワイドバンドシステム、特に、ｍｍＷａｖｅシステムについては、問題でないことがあり得る。また、より短いＴＴＩのシステムは、プローブによって引き起こされる遅延が低減され得るので、プローブに好適である。また、プローブは、同様の理由で、無線バックホール送信に効果的に使用され得る。更に、ＵＥ対は、これらＣＱＩ、ＳＩＮＲ、及び／又は、ペアリング後にＭＣＳをより正確に推定し得るので、プローブは、ＭＵ−ＭＩＭＯ送信を著しく助け得る。この目的で、ｅＮＢは、ＵＥへのプリコーディングで、及び、ＵＥについての仮のＭＣＳレベルで、Ｐ−ＴＸでの共通Ｐ−ＲＳリソースで、ＵＥをペアリングし得る。次に、ＵＥは、これらの関連するシーケンス、層、及び／又は、ポート、並びに、ペアリングされた層情報（この場合、非透過的ＭＵ−ＭＩＭＯ）でシグナリングされ得て、それらのプローブ結果を取得し得る。次に、ｅＮＢは、プローブに基づいて更新されたＭＣＳレベルで、Ａ−ＴＸにおいて、ＵＥ対へ送信し得る。ＭＵ−ＭＩＭＯプローブにおいて、Ｐ−ＴＸ及びＡ−ＴＸにおけるＵＥ対は一致し得る。同様に、プローブは、ＣｏＭＰに有益であり得て、Ｐ−ＲＳ信号及びこれらのプリコーディングは、異なる（仮想）セルからのものであり得る。
【０１２８】
プローブ構成、及び、ｅＮＢからＵＥへの構成シグナリングは、複数の項目を含み得る。測定プロセス構成は、例えば、複数の通常及び／又はプローブプロセス並びにこれらのＩＤ、通常及び／又はプローブプロセスのためのアンテナポート、及び／又は、通常及び／又はプローブプロセスのための層を含み得る。プローブリソース構成は、例えば、Ｐ−ＲＳ周期性（非周期プローブには存在しないことがあり得る）、Ｐ−ＲＳサブフレームオフセット（非周期プローブについて存在しないことがあり得る）、Ｐ−ＲＳ  ＲＥの場所、ＣＳＩ−ＲＳ構成、プローブプロセスのアンテナポート、及び／又は、プローブプロセスの層を含み得る。プローブ信号構成は、例えば、サービングセルのシーケンス、サービングセル信号及び干渉セル信号の干渉セル、層及び／又はポートのシーケンス、及び／又は、層のＭＣＳレベル、及び／又は、サービングセル信号及び干渉セル信号のポートを含み得る。プローブトリガ構成は、例えば、プリスケジューリングシグナリング、関連ＤＣＩ情報、無線ネットワーク一時識別子（ＲＮＴＩ）、リソース割り当てタイプ及び／又はリソース割り当て粒度に基づき得る。プローブ測定構成は、例えば、時間における信号測定及び干渉測定制限、周波数、アンテナポート、及び／又は、層を含み得て、該当する場合はバンドルを含む。レポート構成は、各周波数単位及び／又は全ての指定されたリソース、各層についての、例えば、ＰＵＣＣＨを介する周期レポート、関連する時間／周波数リソースを有するＰＵＳＣＨを介する非周期レポート、及び／又は、ＭＣＳ、ＣＱＩ、ＳＩＮＲ、推奨ＲＩ、ビットエラー率（ＢＥＲ）、ブロックエラー率（ＢＬＥＲ）、フレームエラー率（ＦＥＲ）、対数尤度比（ＬＬＲ）、ＡＣＫ／ＮＡＣＫ、デルタＭＣＳ、デルタＣＱＩ、デルタＳＩＮＲ、デルタランクなどのうち１又は複数のレポートを含み得る。Ｐ−ＴＸ及びＡ−ＴＸの可能なアソシエーションの構成は、例えば、（キャリアスイッチのための）同一のＣＣ又は異なるＣＣでの、Ｐ−ＴＸとＡ−ＴＸとの間、Ｐ−ＴＸとＡ−ＴＸとの間のサブフレームオフセット、Ｐ−ＴＸとＡ−ＴＸとの間のリソース割り当て関係、及び／又は、Ｐ−ＴＸ及びＡ−ＴＸのアンテナポート間の準共有場所関係を含み得る。
【０１２９】
プローブプロセスの実施形態は、第１送信が成功裏に生じることが多いので、再送信及び複合自動再送要求（ＨＡＲＱ）機能を著しく簡略化することを助け得る。例えば、ＤＣＩは、新しいデータインジケータが既定の「新しいデータ」である、又は、更には除去されるように変更され得て、新しいデータインジケータは、再送信が必要となる珍しいイベントでのみ指示され得る。ＨＡＲＱプロセスＩＤは同様に扱われ得る。ＵＥソフトバッファ管理はまた、事実上存在しない再送信に対処するべく、簡略化され得る。複雑なＨＡＲＱタイミングは、特にＴＤＤシステムについて、維持される必要が無いことがあり得る。
【０１３０】
３ＧＰＰは近年、垂直ビームフォーミング／全次元ＭＩＭＯ（ＥＢＦ／ＦＤ−ＭＩＭＯ）を伴う研究を完了した。この研究は、垂直次元を利用して、都市及び／又は高密度デプロイ状況におけるセルラーユーザのためにサービス品質を改善することを提案した。この研究において示唆される機能の１つは、ビームフォーミングされたＣＳＩ−ＲＳである。ビームフォーミング基準信号を使用する利益には、ビームフォーミングゲインに起因して、より多くのアンテナポート、及び、改善された信号推定品質を有するＥＢＦ／ＦＤ−ＭＩＭＯをより良好にサポートすることを含む。
【０１３１】
図１４は、本開示の特定の実施形態に係る、基準信号のビームフォーミングのための具現手順１４００を図示する。イベント１４０２において、ＵＥ１及びｅＮＢ１は、無線リソース制御（ＲＲＣ）接続を確立し、イベント１４０４において、ＵＥ２及びｅＮＢ２はＲＲＣ接続を確立する。イベント１４０６において、ｅＮＢ１及びｅＮＢ２は共同で、周期、及び、どのＲＥがどのサブフレームに存在するかなど、両方のｅＮＢに共通のビームフォーミング基準信号構成を決定する。図１４における丸で囲まれた番号は、図１５において更なる詳細が提供される段階を指示する。イベント１４０８において、ｅＮＢ１は、ＵＥ１のためにビームフォーミング基準信号を構成し、イベント１４１０において、ｅＮＢ２は、ＵＥ２のためにビームフォーミング基準信号を構成する。イベント１４１２において、ｅＮＢ１は、ＵＥ１のためにビームフォーミング基準信号測定レポートを構成し、イベント１４１４において、ｅＮＢ２は、ＵＥ２のためにビームフォーミング基準信号測定レポートを構成する。イベント１４１６において、ｅＮＢ１は、ビームフォーミング基準信号でのプローブリソース及びプリコーディングベクトル（ｖ１）を決定し、イベント１４１８において、ｅＮＢ２は、ビームフォーミング基準信号でのプローブリソース及びプリコーディングベクトル（ｖ２）を決定する。イベント１４２０において、ｅＮＢ１は、決定されたプローブリソースでビームフォーミング基準信号を送信し、プリスケジューリングを送信してＵＥ１にシグナリングし、イベント１４２２において、ｅＮＢ２は決定されたプローブリソースでビームフォーミング基準信号を送信し、プリスケジューリングされたシグナリングをＵＥ２へ送信する。イベント１４２０及び１４２２は、同時に生じ得る。イベント１４２４において、ＵＥ１は、シグナリングリソースでＣＳＩ測定を実行し、イベント１４２６において、ＵＥ２は、シグナリングされたリソースでＣＳＩ測定を実行する。イベント１４２８において、ＵＥ１は、ＭＣＳ調整をｅＮＢ１へレポートし、イベント１４３０において、ＵＥ２は、ＭＣＳ調整をｅＮＢ２へレポートする。イベント１４３２において、ｅＮＢ１は、プリコーディングベクトルｖ１及び調整されたＭＣＳで、スケジューリングＤＣＩ及びビームフォーミングＰＤＳＣＨをＵＥ１へ送信し、イベント１４３４において、ｅＮＢ２は、プリコーディングベクトルｖ２及び調整されたＭＣＳで、スケジューリングＤＣＩ及びビームフォーミングＰＤＳＣＨをＵＥ２へ送信する。イベント１４３２及び１４３４は同時に生じ得る。
【０１３２】
図１５は、本開示の特定の実施形態に係る、図１４に図示された基準信号のビームフォーミングのための具現手順１４００に関する更なる詳細の実施形態を提供する。ブロック１５０２は、図１４におけるイベント１４０６に関する詳細を提供し、ここで、ｅＮＢ１及びｅＮＢ２は共同で、両方のｅＮＢに共通のビームフォーミング基準信号構成を決定する。そのイベントにおいて、ｅＮＢ１は、５ｍｓなどの周期、例えばＰＳＳサブフレーム又はサブフレーム０に関するサブフレームオフセット、及び、ＲＥリソースを含み得るビームフォーミング基準信号構成要求をｅＮＢ２へ送信する。ｅＮＢ２は次に、要求を承認、要求を拒否、又は、異なる構成を要求する。ブロック１５０４は、図１４におけるイベント１４１０に関する詳細を提供する。ここで、ｅＮＢ２は、ＵＥ２のためにビームフォーミング基準信号を構成する。構成は、周期、サブフレームオフセット、ＲＥリソース、関連物理セルＩＤ／仮想セルＩＤ（ＰＣＩＤ／ＶＣＩＤ）、電力オフセット、基準信号ＭＣＳ、及び、レートマッチング情報を含み得る。ブロック１５０６は、図１４におけるイベント１４１４に関する詳細を提供し、ここで、ｅＮＢ２は、ビームフォーミング基準信号測定レポートを構成する。レポートは、周期レポート、プローブトリガに基づく非周期レポート、サブバンドレポート、及び／又は、ワイドバンドレポートであり得る。構成は、ＣＳＩ、ＭＣＳ、ＭＣＳ調整及び／又はＲＩなどのレポート内容を指定し得る。構成はまた、衝突の取り扱い手順を指定し得る。ブロック１５０８は、図１４におけるイベント１４３０に関する詳細を提供し、ここで、ＵＥ２は、ＭＣＳ調整をｅＮＢ２へレポートする。そのイベントにおいて、ＵＥ２は、ＭＣＳレベル又はＣＱＩ（ＰＭＩ無し、及び、ＲＩあり又は無し）、又は、固定ＭＣＳ、又は、プローブトリガにおいて指示されるＭＣＳなど、プローブＭＣＳに関するＭＣＳ調整を指示し得る。ブロック１５１０は、図１４におけるイベント１４３４に関する詳細を提供し、ここで、ｅＮＢ２は、プリコーディングベクトルｖ２及び調整されたＭＣＳで、スケジューリングＤＣＩ及びビームフォーミングＰＤＳＣＨをＵＥ２へ送信する。そのイベントにおいて、ｅＮＢ２は、ＰＤＣＣＨ又はＥＰＤＣＣＨによってＰＤＳＣＨをスケジューリングするためにＤＣＩを送信する。ｅＮＢ２は、プリコーディングベクトルｖ２で、ＥＰＤＣＣＨ  ＤＭＲＳ及びＥＰＤＣＣＨ  ＲＥをビームフォーミングし得る。ＣＣＥアグリゲーションレベルは、プローブされたＣＱＩ／ＭＣＳによって決定され得る。ｅＮＢ２は次に、プリコーディングベクトルｖ２で、ＰＤＳＣＨ及びそのＤＭＲＳを送信する。ＰＤＳＣＨのＭＣＳレベルは、プローブされたＣＱＩ／ＭＣＳによって決定される。ＰＤＳＣＨ／ＥＰＤＳＣＨ  ＲＢは、プローブされたＭＣＳ（例えば、ビームフォーミング基準信号測定レポート）がベースとするプローブＲＢに対応する。例えば、プローブの場合、ビームフォーミング基準信号は、ＲＢ５及び８で送信され、ＵＥ２は測定を実行し、ＲＢ５及び８に基づいてＣＱＩ／ＭＣＳをレポートし、次に、ｅＮＢ２は、ＲＢ５及び８で、ＰＤＳＣＨスケジューリングをＵＥ２のために行い得る。
【０１３３】
ＣＳＩプロセスは、クラスＡ  ＣＳＩレポート、クラスＢ  ＣＳＩレポート又は、その両方で構成され得る。クラスＡにおいて、ＵＥは、｛［８］，１２，１６｝ＣＳＩ−ＲＳポートに基づいて、Ｗ＝Ｗ１Ｗ２コードブックに従ってＣＳＩをレポートする。これは基本的には従来の挙動である。クラスＢにおいて、ＵＥは、例えばビーム選択のためのインジケータ、及び、選択されたビームについてのＬポートＣＱＩ／ＰＭＩ／ＲＩに基づいて、ＬポートＣＳＩをレポートし得て、ここで、ＣＳＩプロセスにおける全てのＣＳＩ−ＲＳリソースの構成されたポートの合計数はＬより大きい。代替的に、ＵＥは、２つの偏波におけるコフェージング、およびビーム選択の両方を反映するコードブックからＬポートプリコーダをレポートし得て、ここで、ＣＳＩプロセスにおける構成されたポートの合計数はＬである。代替的に、ＵＥは、ビーム選択を反映したコードブック、及び、選択されたビームについてのＬポートＣＳＩをレポートし得て、ここで、ＣＳＩプロセスにおける全てのＣＳＩ−ＲＳリソースでの、構成されたポートの合計数はＬより大きい。代替的に、ＵＥは、ＬポートＣＱＩ／ＰＭＩ／ＲＩをレポートし得て、ここで、ＣＳＩプロセスにおける構成されたポートの合計数はＬである。
【０１３４】
ＵＥによるビーム選択は、単一のＣＳＩ−ＲＳリソースにおけるアンテナポートのサブセットの選択、又は、リソースの組からのＣＳＩ−ＲＳリソースの選択のいずれかを構成する。ビームが選択され、ビームに関連するインデックスがＵＥによって送信されるとき、これは、ビームインデックス（ＢＩ）レポートと称され得る。しかしながら、ビームは実際には特定のＣＳＩ−ＲＳリソース（又はリソース構成）に対応するので、ＵＥによって認識及び選択されるものは、ビームに関連するＣＳＩ−ＲＳリソース（又はリソース構成）だけである。この理由で、ＢＩは、ＣＳＩリソースインジケータ（ＣＲＩ）などとも称され得る。
【０１３５】
信号／チャネル測定及び干渉測定（ＩＭ）のための測定制限、並びに、ＦＤ−ＭＩＭＯにおいて干渉測定を実行するための方法をここで説明する。
【０１３６】
例として、（時間及び／又は周波数、又は、干渉測定に使用されるＲＥにおいて）ＣＳＩ−ＩＭ  ＲＥとは異なる干渉測定を使用すると、異なるプリコーディング加重を経験し得る。これは特に、プリコーディング加重がＵＥ固有であり、時間／周波数において変動し得るという理由からである。異なるプリコーディング加重に対応する、時間領域及び／又は周波数領域補間及び／又は平均化に基づく干渉測定は、何らかの明確な物理的意味を有さないことがあり得る。同様の問題は信号／チャネル測定にも存在する。ｅＮＢは、異なるＵＥ、ＵＥモビリティサポート、鉛直セクタ（これは、ｅＮＢ２Ｄアンテナアレイアナログ／デジタル／複合ビームフォーミング／ステアリングの種々の方式によって形成される、仮想セクタの特殊な形態であり得る）の適合などについて、時間／周波数領域においてビームフォーミングを変更し得る。故に、測定制限（ＭＲ）は、（非依存的又は依存的に）時間及び／又は周波数領域において、（非依存的又は依存的に）信号／チャネル測定及び干渉測定のために適用される必要があり得る。
【０１３７】
所与のＣＳＩプロセスについて、チャネル測定でのＭＲがオンである場合、ＣＳＩ計算に使用されるチャネルは、Ｘ  ＮＺＰ  ＣＳＩ−ＲＳサブフレームから、ＣＳＩ基準リソースまで（これを含む）推定され得る。チャネル測定はＮＺＰ  ＣＳＩ−ＲＳから導出される。ＭＲは、動的ＣＳＩ要求についてのＬ１トリガ及び／又は上位層シグナリングに基づき得る。ＣＳＩ−ＩＭの所与のＣＳＩプロセスについて、干渉測定のＭＲがオンである場合、ＣＳＩ計算に使用される干渉は、Ｙ  ＣＳＩ−ＩＭサブフレームから、ＣＳＩ基準リソース（これを含む）まで推定され得る。干渉測定は、ＣＳＩ−ＩＭから導出される。ＭＲは、動的ＣＳＩ要求についてのＬ１トリガ及び／又は上位層シグナリングに基づき得る。ＣＳＩプロセスが、ＣＳＩ−ＩＭ無しの所与のＣＳＩプロセスのために、ＣＳＩ−ＩＭ無しで構成され得る場合、干渉測定のＭＲがオンである場合、ＣＳＩ計算に使用される干渉は、サブフレームから、ＣＳＩ基準リソース（これを含む）まで推定され得る。
【０１３８】
第１の代替形態（Ａｌｔ１）において、固定ＭＲは、より上位層の構成を介してオン又はオフにされ、Ｘ及びＹは各々、単一の値に固定される。
【０１３９】
第２の代替形態（Ａｌｔ２）において、構成可能なＭＲは、より上位層の構成を介してオン又はオフにされ、Ｘ＝｛オフ，１，...，ＮＸ｝はより上位層で構成可能であり、Ｙ＝｛オフ，１，...，ＮＹ｝はより上位層で構成可能である。
【０１４０】
第３の代替形態（Ａｌｔ３）において、ＣＳＩ測定は周期的にリセットされ、ここで、リセット期間及びサブフレームオフセットはより上位層で構成される。Ｘは、ＵＥによって１からＺＸの間で選択され、ここで、ＺＸは、最新の測定リセットとＣＳＩ基準リソースとの間のＣＳＩ−ＲＳサブフレームの数である。Ｙは、ＵＥによって１からＺＹの間で選択され、ここで、ＺＹは、最新の測定リセットとＣＳＩ基準リソースとの間のＣＳＩ−ＩＭサブフレームの数である。
【０１４１】
上の説明において、Ｘは、ＵＥが信号／チャネル測定平均化／フィルタリングを実行するために使用されるＣＳＩ−ＲＳサブフレームの数であり、Ｙは、ＵＥが干渉測定平均化／フィルタリングを実行するために使用されるサブフレームの数である。ＣＳＩ−ＲＳ  ＲＥはＩＭに使用される場合、サブフレームはＣＳＩ−ＲＳサブフレームである。ＣＳＩ−ＩＭリソースがＩＭに使用される場合、サブフレームはＣＳＩ−ＩＭリソースサブフレームである。ＣＲＳ  ＲＥがＩＭに使用される場合、サブフレームはＣＲＳ保持サブフレームである。
【０１４２】
ＣＳＩプロセスは、例えば３ＧＰＰ  ＴＳ  ３６．２１１の定義に従って、Ｋ個のＣＳＩ−ＲＳリソース／構成に関連し、第ｋのＣＳＩ−ＲＳリソースのＮｋポートを伴う（Ｋ≧１であり得る）。２つのサブフレームセットを有する従来の測定制限もＣＳＩプロセスにおいて構成されるとき、クラスＡ及びクラスＢ、並びに、Ｋの全ての値について、ＭＲは各サブフレームセットに対して別個に構成可能である。（クラスＢについての）チャネル測定のための１つのＲＲＣパラメータ、及び、（クラスＡ及びＢについての）干渉測定のための１つのＲＲＣパラメータが提供され、ＭＲを有効化又は無効化する。ＭＲは、周期的及び非周期ＣＳＩレポートの両方に、又は、非周期レポートのみに適用し得る（例えば、周期レポートに有効化されたことが無いＭＲを用いる）。Ｋ＝１のクラスＡ及びクラスＢについて、Ａｌｔ１（Ｘ＝Ｙ＝１）がサポートされる。Ｋ＞１のクラスＢについて、Ａｌｔ１（Ｘ＝Ｙ＝１）又はＡｌｔ３が実装され得て、既存のＲＲＣパラメータ（例えば、リセット期間はＢＩ期間に等しく、オフセットは固定される）がＡｌｔ３に再使用され得ると理解され、非周期リセットの考慮も除外されない。
【０１４３】
ＣＳＩ測定が周期的又は非周期的にリセットされるＡｌｔ３をここでより詳細に説明する。
【０１４４】
図１６は、本開示の特定の実施形態に係る、ＵＥの観点からのＡｌｔ３の例１６００を図示する。信号測定が図において示されるが、干渉測定は同様に行われ得る。簡単にするために、説明の大部分は、測定リセットが周期的に、ＢＩ期間及びレポートに従って実行されると想定している。しかしながら、手順は、非周期リセットの場合に、及び／又は、（信号／チャネル測定及び干渉測定について別個であり得る）いくつかのトリガシグナリングに従って、容易に一般化され得る。
【０１４５】
ＢＩ期間１６０２は、ＵＥがＢＩ１をレポートするサブフレーム１６０４で開始し、ＵＥがＢＩ２をレポートするサブフレーム１６０６で終了する。ＵＥは、ＵＥがＢＩをレポートするサブフレーム１６０４及び１６０６で指示されるＢＩ周期（又は、サブフレームオフセットと共に、時間長）情報を受信し得る。ＵＥは、ＣＳＩ測定リセット期間がＢＩ期間１６０２に等しく、ＢＩレポートサブフレーム１６０４に関する潜在的にオフセット１６０８を有すると想定する。オフセット１６０８は指定され得る。リセット期間１６１０はＢＩ期間１６０２に等しいことがあり得る。新しいＢＩ（例えば、ＢＩ１）は、ＢＩ１レポートより後に、サブフレーム１６１２でＤＬ送信／受信において適用され始め、ＵＥはこのサブフレーム１６１２でそのＣＳＩ測定プロセスをリセットする。ＵＥは、１からＺｘ１６１６までの間の値Ｘ１６１４を選択し、ここで、Ｚｘ１６１６は、測定リセットサブフレーム１６１２と基準リソース１６１８との間のＣＳＩ−ＲＳサブフレームの数である、２つのＣＳＩレポートインスタンス１６２０及び１６２２が示される。第１インスタンス１６２０について、Ｚｘ１６１６はより小さく、一方、Ｚｘ１６１６は、第２インスタンス１６２２について、より大きい。同一のＸ値１６１４又は異なるＸ値１６１４がＵＥによって選択され得る。ＢＩ２は、ＢＩ２レポートより後に、サブフレーム１６２４でのＤＬ送信／受信に適用され得る。
【０１４６】
更なる平均化が同一の特徴の測定プロセスに適用されるため、Ａｌｔ３の利益には、より良好な測定精度が含まれる。例えば、各ＢＩ期間における時不変系ビームフォーミングのネットワーク（時変系ビームフォーミングと対照的に）において、ＵＥは、各ＢＩ期間におけるサブフレームに対して平均化を実行し得て、これは、より高い測定精度をもたらし得る。
【０１４７】
Ｘの値は、指定される必要が無いことがあり得る。ＵＥの観点からは、ＵＥは、リセットがいつ実行されるか、及び、基準リソースがどこに位置するかを認識する必要のみがあり得る。これらの値に基づいて、ＵＥは、Ｚｘを認識し、ＵＥは、適切かつ自律的に、柔軟にＸを選択し得る。Ｘ値は、それぞれのＺｘについて、同一又は異なり得て、それぞれのリセット期間などについて、同一又は異なり得る。加えて、ＵＥフィルタリング挙動は、偶発的測定リセットを除き、（測定制限が無い）従来のフィルタリング挙動と類似し得る。故に、フィルタリングが行われる方式は、ＵＥ実装問題である。すなわち、Ｘの言及は必要なく、ＵＥがその測定プロセスをリセットタイミングに従ってリセットし得ることは十分であり得る。これはまた、影響を最小化することを助ける。ＵＥは、少なくとも３つのタイプの挙動をサポートし得る。
【０１４８】
第１挙動の例はＡｌｔ１（Ｘ＝Ｙ＝１）を伴い、測定は１つのサブフレームのみに基づいて制限される。この代替形態は、動的ビームフォーミングの場合、又は、サービス提供又は干渉するｅＮＢビームフォーミングがどのように、又は、いつ変化するかについての十分な情報をＵＥが有さないことがあり得る場合に好適である。この代替形態は、ビームフォーミングに適合するべく、ネットワークに対して最高の柔軟性を提供し、一方で、シグナリングオーバヘッドを大幅に増加させない。
【０１４９】
第２挙動の例は、Ａｌｔ３（測定リセット）を伴い、測定プロセスは、例えばＢＩレポートによって、ネットワークインジケーション又はトリガに従ってリセットされる。この代替形態は、半静的ビームフォーミングの場合、又は、ビームフォーミングが一定のままであり続けるサブフレームについての十分な情報をＵＥが有する場合、又は、（例えば、いくつかのＢＩレポートのための干渉測定における）より長期間の測定が有益である場合に好適である。この代替形態は、Ａｌｔ１より高い測定精度を提供し得る。
【０１５０】
第３挙動の例では、測定制限（例えば、従来の測定挙動）が無い。これは、非プリコーディングＣＳＩ−ＲＳに基づくＣＳＩなど、従来の測定について既にサポート及び使用されている。
【０１５１】
Ａｌｔ１（例えば、１つのサブフレーム測定制限（すなわち、Ｘ＝Ｙ＝１））がサポートされることが好ましいことがあり得る。より多くのオプションをネットワーク／ＵＥオペレーションに提供するべく、Ａｌｔ３も考慮され得る。これは、ビームフォーミングの変更の柔軟性と測定精度との間の異なるトレードオフを実現し得る。
【０１５２】
結論として、ＵＥは、Ｋ＞１のクラスＢについて、Ａｌｔ１（Ｘ＝Ｙ＝１）及びＡｌｔ３（測定リセット）をサポートし得て、Ａｌｔ３（測定リセット）では、例えば、ＢＩレポートなど、リセットイベント及び瞬間のみが指定される必要があり得て、他のパラメータはＵＥ実装のために残され得る。
【０１５３】
リセットは、潜在的にオフセットを伴ってＢＩレポートに関連し得る。ＢＩレポートは周期的又は非周期であり得る。非周期な場合において、ＢＩレポートは、ＰＨＹ層におけるシグナリングによってトリガされ得る。シグナリングは、ＢＩレポートトリガのみ、又は、ＢＩ＋ＲＩ（両方とも長期測定であるため）、又は、ＢＩ＋ＲＩ＋ＣＱＩ（ＣＳＩプロセスに関連するＰＭＩが無いことがあり得る）、又は、ＢＩ＋ＲＩ＋ＣＱＩ＋ＰＭＩに使用され得る。トリガは、どの測定数がレポートされるか、及び、どの測定数が、どのＢＩ（古いＢＩ又は新しいＢＩ）及び／又はＲＩに対応するかを指定し得る。代替的に、トリガは、どのＣＳＩプロセスがレポートされるべきかを指定するのみであり得て、関連するレポート数は、ＲＲＣを介して構成され得る。代替的に、トリガされるシグナリングは、新しいシグナリングでないことがあり得て、レポートするクラスＢが構成される場合、ＲＩについての既存の非周期トリガが代わりに再使用され得る。代替的に、リセットは、ＲＩレポート、ＢＩ及びＲＩレポート、ＢＩレポートに関連しないが信号／干渉リセットの目的で使用される新しいトリガシグナリング、又は、これらのオプションの組み合わせに関連し得る。ネットワークはこれらのオペレーションを構成及びサポートし得る。
【０１５４】
信号測定及び干渉測定のためのリセットは、ＢＩレポートなどの、同一のイベント又はシグナリングによってトリガされ得る。この場合、ｅＮＢは、ＣＳＩ−ＲＳ及び／又はデータでビームフォーミングのこれらの適合（又は、オン／オフなど他の適合）を協調させ得て、その結果、ｅＮＢは同時に適合する。そのようなトリガが制限的とみなされる場合、別個のリセットトリガが信号測定及びＩＭに使用され得る。例えば、ＵＥは、プリコーディングが８０サブフレームごとに変化する干渉セクタを有するセクタにあり得て、ＵＥのサービングセクタは、２４０サブフレームごとにそのプリコーディングを変化させ得る。そのような場合、信号測定は、２４０ｍｓごとにリセットし得るが、ＩＭは８０ｍｓごとにリセットする必要があり得る。言い換えれば、主要な干渉物がその送信を適合し、異なる干渉状況を引き起こすときはいつも、ＩＭリセットのためにシグナリングがサービングセクタからＵＥへ送信され得ることがあり得る。
【０１５５】
ＢＩレポートとＢＩアプリケーションの間に（例えば、ＵＥ測定リセットの瞬間）、サブフレームの数として測定されるオフセットがあり得る。ｅＮＢは切り替わるための処理及び準備に約４つのサブフレームを要し得るので、また、ＵＬとＤＬとの間のタイミング差を考慮して、このオフセットは、４つのサブフレームである可能性がある。代替的に、オフセットは、ＭＲ構成のためのＲＲＣシグナリング、又は、Ｌ１トリガなどで、ＵＥへシグナリングされ得る。
【０１５６】
ＣＳＩ又はＣＳＩの一部が、ＢＩでレポートされるようにトリガされる場合（特に、Ｋ＞１の場合）、ＵＥが新しいＢＩに関連するＣＳＩ測定結果を生成するのに十分な時間が無いことがあり得る。この問題に対処するべく採用され得る１つの技法は、トリガ後に、ＢＩレポートに対して、より長い遅延を可能にすることである。すなわち、ＵＥは、リセット後（例えば、ＢＩレポート時間＋リセットオフセット）まで待機し、次に、新しいＢＩに関連するＣＳＩをレポートし得る。この問題に対処するために採用され得る別の技法は、ＵＥが、新しいＢＩではなく古いＢＩに関連するＣＳＩをレポートすることである。すなわち、リセット前に、ＵＥはなお、古いＢＩに基づいてそのＣＳＩ計算及びレポートを行い得る。ＢＩの周期レポートについて、この問題はより重要でないことがあり得るので、ＵＥは、新しいＢＩに関連するＣＳＩをレポートすることが可能であり得る。しかしながら、ＵＥの複雑性を低減するべく、リセットまで、古いＢＩに関連するＣＳＩをレポートすることがなお望ましいことがあり得る。
【０１５７】
ここで、干渉測定が考慮される。干渉測定の手法は、ＣＳＩ−ＩＭリソースを有する干渉測定（ＩＭＲとしても知られている）、及び、ＣＳＩ−ＩＭリソースが無い干渉測定を含む。
【０１５８】
ＣＳＩ−ＩＭが構成される干渉測定では、ＵＥには、１又は複数のＣＳＩプロセス（例えばＣｏＭＰ）があり得て、各ＣＳＩプロセスは、ＣＳＩ−ＲＳ及びＣＳＩ−ＩＭで構成され得る。関連する送信モードは、ＴＭ１０又はその更なる発展型であり得る。ＣＳＩプロセスは、１又は複数のＣＳＩ−ＲＳ及び１又は複数のＣＳＩ−ＩＭに関連し得る。簡単にするために、説明は主に、ＣＳＩプロセスに従う１つのＣＳＩ−ＲＳ／ＣＳＩ−ＩＭに関連し得て、ＣＳＩプロセスに従う複数のＣＳＩ−ＲＳ／ＣＳＩ−ＩＭがある場合に同様に適用し得る。ＣＳＩ−ＩＭが構成される２つの場合がある。それには、ＣＳＩ−ＩＭが隣接ｅＮＢ及び／又は仮想セクタのＺＰ  ＣＳＩ−ＲＳリソースによってカバーされる、及び、カバーされないことが含まれる。
【０１５９】
図１７は、本開示の特定の実施形態に係る、ＣＳＩ−ＩＭが隣接ｅＮＢのＺＰ  ＣＳＩ−ＲＳリソースによってカバーされない場合におけるＣＳＩ測定のためのリソース１７００の例を図示する。そのような場合、隣接ｅＮＢは、ＵＥのＣＳＩ−ＩＭに対応する時間／周波数リソースでＺＰ  ＣＳＩ−ＲＳを構成せず、ＣＳＩ−ＩＭ  ＲＥにおけるどのｅＮＢ協調も適切でないことがあり得る。
【０１６０】
ＵＥによってＣＳＩ−ＩＭ  ＲＥで認識される干渉は、非ＣＳＩ−ＩＭ  ＲＥで認識される干渉と概して同一であることがあり得る。そのような干渉は、ＵＥが経験している現在の干渉を反映し、ＵＥが経験し得る予想される干渉を反映しないことがあり得る。これは特に、干渉セル又は仮想セクタがこれらのビームフォーミングを変化させているとき、及び、干渉測定が後のサブフレームにおけるリンク適合に使用されるときに当てはまる。
【０１６１】
図１７において、ｅＮＢあたり１６個のＣＳＩ−ＲＳ  ＲＥ、すなわち、信号のための４個のＲＥ、隣接ｅＮＢ信号のミュートのための８個のＲＥ、及び、ＣＳＩ−ＩＭのための４個のＲＥがある。仮想セクタの場合（例えば、各ｅＮＢは実際に仮想セクタであり、仮想セクタは実際に同一ｅＮＢによって制御される）、ＵＥは、全てのＣＳＩ−ＲＳ／ＣＳＩ−ＩＭで構成される必要があり得て、合計で２４個のＲＥに達するそれらについてレートマッチングを実行し得る。
【０１６２】
図１８は、本開示の特定の実施形態に係る、ＣＳＩ−ＩＭが隣接ｅＮＢのＺＰ  ＣＳＩ−ＲＳリソースによってカバーされる場合における、ＣＳＩ測定のためのリソース１８００の例を図示する。特に、ｅＮＢ０  １８０２のＣＳＩ−ＩＭは、ｅＮＢ１  １８０４及びｅＮＢ２  １８０６のＺＰ  ＣＳＩ−ＲＳと重複する、ＣＳＩ−ＩＭで、ｅＮＢ０のＵＥによって測定された干渉は、ｅＮＢ１  １８０４及びｅＮＢ２１８０６がそれらのＺＰ  ＣＳＩ−ＲＳで送信するものであり、これは、ｅＮＢ１  １８０４及びｅＮＢ２  １８０６のＰＤＳＣＨ送信と同一でないことがあり得て、概して、ｅＮＢ１  １８０４及びｅＮＢ２  １８０６に関連するＵＥによってレートマッチングされる必要があり得る。
【０１６３】
図１８において図示される場合では、隣接ｅＮＢは、ＵＥのＣＳＩ−ＩＭに対応する時間／周波数リソースでゼロ電力ＣＳＩ−ＲＳを構成する必要があり得て、リソースでのこれらの送信は、協調された送信の仮定と一致する必要があり得る。結果として、それらＺＰ  ＣＳＩ−ＲＳリソースは、隣接ｅＮＢによってデータ送信に使用されないことがあり得る（例えば、レートマッチングが必要であり得る）。
【０１６４】
ＺＰ  ＣＳＩ−ＲＳはミュートされることも、そうでないこともあり得ることに留意されたい。ｅＮＢ１  １８０４のＣＳＩ−ＩＭがｅＮＢ０  １８０２のＺＰ  ＣＳＩ−ＲＳによってカバーされると想定し、ｅＮＢ０  １８０２がＵＥ０にサービス提供し、ｅＮＢ１  １８０４がＵＥ１にサービス提供すると更に想定する場合、ＵＥ０の観点から、ＵＥ０は単にＺＰ  ＣＳＩ−ＲＳ  ＲＥについてレートマッチングを実行する。次に、ｅＮＢ０  １８０２は、ＺＰ  ＣＳＩ−ＲＳ  ＲＥで、協調された仮定に従って、信号をミュート又は送信し得て、後者の場合、ｅＮＢ０  １８０２によって送信される信号は、ＣＳＩ−ＩＭでの干渉としてＵＥ１によって認識される。故に、ＺＰ  ＣＳＩ−ＲＳはここで、特定の送信仮定に従って、干渉を測定する柔軟な性能をｅＮＢに提供する機構である。
【０１６５】
ＣＳＩ−ＩＭでＵＥによって認識される干渉は、非ＣＳＩ−ＩＭ  ＲＥ（例えば、データＲＥ）で認識される干渉に直接関連しないことがあり得る。ｅＮＢ協調がどのように行われるかに応じて、そのような干渉は、ＵＥが経験するであろう予想される干渉を反映し得る。すなわち、隣接ｅＮＢのＺＰ  ＣＳＩ−ＲＳで、ネットワークによって決定された送信仮定に従って送信が生じ得て、仮定は、いくつかのサブフレームの後の実際の送信に適用され得る。
【０１６６】
図１８において、ｅＮＢあたり２４個のＣＳＩ−ＲＳ  ＲＥ、すなわち、信号のための４個のＲＥ、隣接ｅＮＢ信号のミュートのための８個のＲＥ、隣接セルＵＥの干渉測定のための送信のための８個のＲＥ、及び、ＣＳＩ−ＩＭのための４個のＲＥがある。ＵＥは、少なくともこれら２４個のＲＥについてレートマッチングを実行する必要があり得る。
【０１６７】
ＦＤ−ＭＩＭＯを効率的にサポートするべく、リリース１３において、ＴＭ１０（又は潜在的に、新しい送信モード）及び／又はＣＳＩ−ＩＭベース干渉測定の発展が必要であり得る。加えて、以下の強化、すなわち、測定制限が考慮され得る。
【０１６８】
ＣＳＩ−ＩＭがＥＢＦ／ＦＤ−ＭＩＭＯにおいて動作するＵＥに使用され、ＣＳＩ−ＩＭが隣接ｅＮＢのＺＰ  ＣＳＩ−ＲＳによってカバーされる場合、（時間及び／又は周波数における）異なるＣＳＩ−ＩＭ  ＲＥは、異なるプリコーディング加重を経験し得る。これは特に、プリコーディング加重がＵＥ固有であり、時間／周波数において変動するという理由からである。異なるプリコーディング加重に対応する、時間領域及び／又は周波数領域補間及び／又は平均化に基づく干渉測定は、何らかの明確な物理的意味を有さないことがあり得る。故に、測定制限は、時間及び／又は周波数領域において適用される必要があり得る。しかしながら、ＣＳＩ−ＩＭが、概してどのｅＮＢ協調にも関連しない隣接ｅＮＢのＺＰ  ＣＳＩ−ＲＳによってカバーされない場合、測定制限は適用可能でないことがあり得る。故に、ＣＳＩ−ＩＭが隣接ｅＮＢのＺＰ  ＣＳＩ−ＲＳによってカバーされる場合は、そうでない場合より、干渉測定のための測定制限が、より適切であり得る。
【０１６９】
別の手法において、干渉測定は、ＣＳＩ−ＩＭ構成を有さないことがあり得る。この手法は、ＦＤ−ＭＩＭＯの典型的状況であり得る任意の非ＣｏＭＰ状況に適用可能である。この手法では、ＣＳＩプロセスは、どのＣＳＩ−ＩＭでも構成されず、関連する送信モードは、ＴＭ９又はその拡張など、ＴＭ１０以外の任意の他のものであり得る。（参照によって本明細書に全体が記載されるように組み込まれる３ＧＰＰ  ＴＳ  ３６．２１３  Ｖ１２．７．０  Ｒ１２  （２０１５−０９）は、７．２．１項において、「所与のサービングセルについて、ＵＥが送信モード１−９において構成される場合、表７．２．１−１Ｂ及び表７．２．１−１Ｃにおける「ＣＳＩプロセス」は、所与のサービングセルにおけるＵＥのために構成された非周期ＣＳＩを指す」と記述する。故に、ＴＭ１−９は、規定された「ＣＳＩプロセス」の概念も有するとみなされ得る。）干渉測定は、ＣＳＩ−ＲＳ  ＲＥ又はＣＲＳ  ＲＥに対して実行され得る。ＣＳＩ−ＲＳ  ＲＥに対して干渉測定を実行することが好ましいことがあり得る。以下の説明は、干渉測定がＣＳＩ−ＲＳ  ＲＥに対して行われると想定する。
【０１７０】
図１９は、本開示の特定の実施形態に係る、ＣＳＩ−ＩＭが無い、重複するＣＳＩ−ＲＳがあるＣＳＩ測定１９００を図示する。ＵＥは最初に、ＣＳＩ−ＲＳ  ＲＥでの信号を検出し、次に、合計の受信信号から信号を減算し、干渉推定を取得する。この場合は、ＣＳＩ−ＩＭの場合より多くの干渉測定の段階を伴う。しかしながら、そのような性能は、ＣＲＳベース干渉測定のためにＵＥによって既にサポートされ得る。この例示的場合のために、オーバヘッドは、ｅＮＢあたり４個のＲＥ（ＣＳＩ−ＲＳ）であり、ＵＥはこれらの４個のＲＥについてレートマッチングを実行する。
【０１７１】
すなわち、実施形態において、複数のｅＮＢは重複するＲＥで基準信号を送信する。特に、複数のｅＮＢは、ＮＺＰ  ＣＳＩ−ＲＳに使用するために指定されたＲＥで、本明細書に説明されるプローブ基準信号又はＰ−ＲＳを送信する。基準信号は重複するので、ＵＥは、同一リソースで、信号及び干渉の両方の測定を実行し得る。そのようなスキームは、別個のＲＥが信号及び干渉に使用される場合より小さいオーバヘッドを使用し得て、また、測定精度を改善し得る。ｅＮＢからの重複送信は、異なるスクランブルＩＤ又はスクランブルシーケンスを有することによって、互いに区別され得る。
【０１７２】
ＣＳＩ−ＲＳがｅＮＢについて重複していないことを許可することも可能であるが、そのような手法は、何らかの利益をもたらさないことがあり得て、潜在的な将来の干渉ではなく、現在の干渉のみを捕捉し得る（隣接ｅＮＢのＣＳＩ−ＲＳでのプリコーディング加重は、隣接ｅＮＢによって、後の送信のために使用され得て、従って、プリコーディング加重は、潜在的な将来の干渉を反映することが可能であり得る）。
【０１７３】
この手法はまた、ＣＳＩプロセスが複数のＣＳＩ−ＲＳを可能にし得る。各ＣＳＩ−ＲＳのための干渉測定リソースは、ＣＳＩ−ＲＳ  ＲＥである。
【０１７４】
主に、干渉推定を取得する前に（ＲＥミュート無しで）ＣＳＩ−ＲＳ信号を最初に推定及び減算する必要に起因して、ＣＳＩ−ＩＭ無しの干渉測定の精度は低減し得ると考えられ得る。しかしながら、解析から、測定精度が問題でないことが明らかになり得る。
【０１７５】
第１に、ＲＥミュートは、導入されたとき、ＣｏＭＰにおける弱い信号の測定に主に適用された。信号は典型的には十分強いので、ＲＥミュートは概して、非ＣｏＭＰに必須でない。第２に、上記例において、ＤＭＲＳを使用する復調が実行されるとき、干渉測定に使用されるＲＥの数は、ＲＥの数と比較され得る。ＤＭＲＳの場合、ＲＢあたり１２個のＲＥがある。上記例では、ＲＢあたり４個のＲＥがある。しかしながら、適切な補間／平均化及び測定制限（例えば、フィードバック粒度に従って３又は６個のＲＢ）により、概して、複数のＲＢからのＣＳＩ−ＲＳ  ＲＥが使用され得る。このように、ＣＳＩ−ＲＳ測定の精度は、復調に適切な精度と少なくとも一致し得るが、干渉測定におけるより多くのオペレーションと引き換えに、十分な測定精度が達成され得る。加えて、ＣＳＩ−ＲＳがＥＢＦ／ＦＤ−ＭＩＭＯにおいてプリコーディングされるので、ビームフォーミングゲインに起因して精度は更に増加し得る。故に、ＣＳＩ−ＩＭ無しの測定精度が懸念されないことがあり得る。
【０１７６】
ＣＳＩ−ＩＭベース干渉測定と同様に、非ＣＳＩ−ＩＭベース干渉測定のために、時間／周波数領域において適切な測定制限を導入することも重要であり得る。故に、十分な測定精度を有する干渉測定にＣＳＩ−ＲＳ  ＲＥが使用され得て、ＣＳＩ−ＲＳ  ＲＥに対して実行される干渉測定が測定制限によって強化型され得る。表１は、上述の３つの干渉測定機構を比較する。  表１
【表１】
0006777342.tif 000003
【０１７７】
特定の状況において、機構ＣがＦＤ−ＭＩＭＯに好適な選択肢であり得るが、この開示は、適切な場合、他の機構を使用することを予期することが分かり得る。
【０１７８】
適切なＵＥの挙動が明確化され、ＣＳＩ−ＩＭがＣＳＩ−ＲＳと重複することが可能である場合、機構Ｂは機構Ｃをカバーし得ることに留意されたい。より具体的には、以下の潜在的な統合解決策が採用され得る。
【０１７９】
第１に、ＵＥはＮＺＰ  ＣＳＩ−ＲＳで構成される。ＵＥは更に、ＣＳＩ−ＲＳと重複するＣＳＩ−ＩＭで（例えば、ＴＭ１０又はその発展）、又は、ＣＳＩ−ＩＭ無しで（例えば、ＴＭ９又はその発展）構成され得る。第２に、ＵＥはＮＺＰ  ＣＳＩ−ＲＳに基づいて信号／チャネル測定を実行する。第３に、ＵＥは、ＮＺＰ  ＣＳＩ−ＲＳ  ＲＥでＮＺＰ  ＣＳＩ−ＲＳをキャンセルし、それにより、干渉のみがそれらのＲＥに残る。第４に、ＵＥは、それらのＲＥに対して干渉測定を実行する。
【０１８０】
故に、ＮＺＰ  ＣＳＩ−ＲＳ  ＲＥでの干渉測定を可能にし、上のＵＥの挙動を採用することにより、機構Ｃに関連する利益も機構Ｂによって達成され得る。ような場合、機構Ｂ及びＣにおけるＵＥの挙動は同一になり、これは、標準化の取り組みを簡略化にし得る。複数のＮＺＰ  ＣＳＩ−ＲＳが（例えば複数の仮想セクタのために）重複ＲＥで構成される場合、ＵＥは、各ＮＺＰ  ＣＳＩ−ＲＳについて、上の第２及び第３段階を実行する必要があり得る。例えば、ＵＥが、同一ＲＥでの３個の異なる仮想セクタに関連する３個のＮＺＰ  ＣＳＩ−ＲＳで構成される場合、ＵＥは、信号／チャネル測定のために、３個のＮＺＰ  ＣＳＩ−ＲＳの各々を検出し得て、３個の送信、Ｓ１、Ｓ２及びＳ３を取得し得る（プレ受信機又はポスト受信機を組み合わせる）。次に、ＵＥは、第１ＮＺＰ  ＣＳＩ−ＲＳ信号をＲＥの受信信号から減算し、Ｓ１送信に関連する干渉推定Ｉ１を取得する。（該当する場合、適切な組み合わせが適用される、電力ドメインにおける）Ｓ１とＩ１＋ノイズとの比は、Ｓ１送信に関連するＳＩＮＲである。他のＳＩＮＲが同様に取得され得る。また、これらに限定されるものではないが、ＣＱＩ、ＣＳＩ、ＰＭＩ、ＲＩ、ＢＩ及びＲＲＭ測定を含む、他の測定数が取得され得る。
【０１８１】
結論として、ＮＺＰ  ＣＳＩ−ＲＳ  ＲＥは干渉測定に使用され得る。ＵＥの挙動は、そのような場合に明確化される必要があり得る。これらの概念は、ＣＳＩ−ＲＳと重複するＣＳＩ−ＩＭを有するＴＭ１０又はその発展、及び、構成されたＣＳＩ−ＩＭが無い、ＴＭ９又はその発展という２つの場合に適用され得る。
【０１８２】
無線ネットワークにおけるダウンリンクシグナリングのための、実施形態に係る方法は、タイミング及び／又は期間と共に、ＣＳＩ−ＩＭリソースのインデックス、ＣＳＩ−ＲＳリソース、又は、ＣＱＩレポート／ＣＳＩプロセスをＵＥへシグナリングする段階を備え、ＵＥはインデックス及びタイミングに関連するリソースに基づいて測定及びフィードバックし、ＵＥは、指示されたタイミング以降、及び／又は、指示された期間に従って、指示されたＣＳＩ−ＩＭリソース、ＣＳＩ−ＲＳリソース、又は、ＣＱＩレポート／ＣＳＩプロセスについての新しい測定条件が有効になると想定し、ｅＮＢは、指示されたタイミング及び／又はタイミング期間に従って、指示されたＣＳＩ−ＩＭリソース及び／又はＣＳＩ−ＲＳリソースに基づいて、その送信を適合する（例えば、プリコーディング、ミュート又は非ミュート）。
【０１８３】
タイミング及び／又は期間と共に、ＣＳＩ−ＩＭリソース及び／又はＣＳＩ−ＲＳリソースの第２ｅＮＢへシグナリングすることを含む、無線ネットワークにおけるバックホールシグナリングのための方法の実施形態が開示され、ここで、第２ｅＮＢは、ＤＬシグナリングをＵＥへ送信する。同一のタイミング及び／又は期間と共に、ＣＳＩ−ＩＭリソース及び／又はＣＳＩ−ＲＳリソースの第２ｅＮＢへシグナリングすることを含む、無線ネットワークにおけるバックホールシグナリングのための方法の別の実施形態が開示され、ここで、第２ｅＮＢは、ＤＬシグナリングをＵＥへ送信する。
【０１８４】
無線ネットワークにおけるバックホールシグナリングの、実施形態に係る方法は、タイミングと共に、ＣＳＩ−ＩＭリソース及び／又はＣＳＩ−ＲＳリソースのｅＮＢへのシグナリングを含み、ここで、複数のｅＮＢは、指示されたタイミングでの、指示されたＣＳＩ−ＩＭリソース及び／又はＣＳＩ−ＲＳリソースでの送信に従ってこれらのＰＤＳＣＨ送信を適合し（例えば、プリコーディング、ミュート又は非ミュート）、ｅＮＢは、タイミングに従って測定及びフィードバックを停止するためにＵＥにシグナリングする。いずれの場合も、タイミングがシグナリングされる場合、プローブプロセスの開始時にタイミングは１回シグナリングされ得る（例えば、ｔ０，ｔ１，...，ｔｋのタイミングのシーケンス、ｋは予め決定されている）、又は、必要なときに経時的にシグナリングされ得る。
【０１８５】
実施形態に係る方法において、ｅＮＢによって交換されるタイミング、及び／又は、ｅＮＢとＵＥとの間で交換されるタイミングは存在しない。この実施形態は、シグナリングオーバヘッドがより小さいという利益を有する。しかしながら、プローブは時間と共に長くなり得て、変動する可能性がより高い。一方、タイミングは、予め規定される、又は、部分的に予め規定されるかのいずれかであり得て、その結果、タイミングについてのシグナリングが使用されない、又は、タイミングについての簡略化されたシグナリングが使用され得るかのいずれかである。従って、シグナリングオーバヘッドが低減され得る。
【０１８６】
本開示の様々な実施形態は、無線ネットワークにおけるチャネル測定のためのシステム及び方法を提供する。特に、無線ネットワークにおけるチャネルの干渉測定のための方法及びシステムが提供される。
【０１８７】
無線ネットワークにおける性能は、ＱｏＳの指標を指し得て、種々の方式のＱｏＳの指標によって指示され得る。例えば、無線ネットワークのＱｏＳ、及び、従って性能は、帯域幅、スループット、遅延、ジッタ、エラー率、及び、ネットワークの他の好適な測定基準を測定することによって指示され得る。特定の例として、エラー率は、送信中のノイズ、干渉、歪み又は同期に起因して変更され得る通信チャネルでのデータ送信の複数の受信ビットに基づいてカウントされ得る。データ送信の変更を引き起こし得る要因のうち、干渉は基本的問題であり得る。干渉は、通信プロセスにおいて、送信機と受信機との間のチャネルに沿って伝わる信号を遮断又はさもなければ改変し得るものを指し得る。例えば、干渉は、これに限定されるものではないが、ノイズ、歪み又は他の要素を含み得る。特定の実施形態において、干渉は、不要な信号の有益な信号への追加を指す。干渉測定（ＩＭ）は、チャネル干渉の低減及び制御を含むリソース管理のために重要であり得る。
【０１８８】
無線ネットワークにおける適合のための方法は、第１基地局が、第１リソースセットの情報を第１ＵＥ及び／又は第２基地局へシグナリングする段階と、第２基地局が、第２リソースセットの情報を第２ＵＥへシグナリングし、リソースセットについて、第１及び第２ＵＥからフィードバックを受信する段階とを備え得る。方法は、第１基地局が、第１タイミングを第１ＵＥ及び／又は第２基地局へシグナリングする段階と、第２基地局が、第１タイミングを第２ＵＥへシグナリングし、第１タイミングに従って、リソースセットについてのフィードバックを第１及び第２ＵＥから受信する段階とを備える。方法は更に、第１基地局が、第１タイミングに従って、第１リソースセットの第１サブセットで第１信号を送信する段階と、第２基地局が、第１タイミングに従って、第２リソースセットの第２サブセットで第２信号を送信し、送信された第１信号、第１リソースセット及び第１タイミングについてのフィードバックを第１ＵＥから受信する段階とを備える。方法は更に、第１基地局が、第１タイミングに従って、第１リソースセットの第３サブセットで第３信号を送信する段階と、第２基地局が、第１タイミングに従って、第２リソースセットの第４サブセットで第４信号を送信する段階と、第１基地局が、第２タイミングを第１ＵＥ又は第２基地局へシグナリングする段階と、ＵＥが測定を停止した後に、第２基地局が、第２タイミングを第２ＵＥへシグナリングし、第２タイミングに従って、ＵＥからフィードバックを受信する段階とを備える。
【０１８９】
リソースセットは、ＲＥの組を含むリソースブロックであり得る。特定の実施形態にいて、ＲＥは、サブキャリアにおける時間及び周波数リソース及びＯＦＤＭシンボルによって規定され得る。例えば、スロットにおける１２個のサブキャリアはリソースブロックを形成し得る。
【０１９０】
無線ネットワークにおけるダウンリンクシグナリングのための方法は、ＵＥが、タイミングと共に、ＣＳＩ−ＲＳリソース、ＣＳＩ−ＩＭリソース、ＣＱＩレポート、又は、ＣＳＩプロセスのインデックスのシグナリングを基地局から受信する段階を備え得る。方法は更に、インデックス化リソースの新しい測定条件はタイミングに従って有効になると想定して、インデックス化リソース及びタイミングに従って、フィードバックを測定して基地局へ送信する段階と、タイミングに従って、インデックス化されたＣＳＩ−ＩＭリソース及び／又はＣＳＩ−ＲＳリソースで、基地局から適合された送信を受信する段階とを備える。
【０１９１】
電力容量は、ネットワークにおけるチャネルについて、ゼロ電力（ＺＰ）又は非ゼロ電力（ＮＺＰ）で機能し得る。ノードは、ネットワークにおける他のノードからの送信をリッスンするべく、オン状態を維持するための電力を消費し得る。
【０１９２】
多くの場合、チャネルの電力容量がＺＰで機能するとき、干渉測定が行われる。チャネルは、チャネルの電力容量がＮＺＰで機能するとき、データを送信し得る。特定の実施形態において、データ送信と関連して（例えば、チャネルの電力容量がＮＺＰで機能するとき）干渉測定が実行されることが有益であり得る。それにより、チャネル干渉を低減及び制御するべく、より多くの情報が、リソース管理のために収集され得る。
【０１９３】
例えば、干渉測定は、２個より多くのＲＥで実行され得て、２個より多くのＲＥのＩＭ値が取得され得る。干渉推定のための基準を提供し得る、取得されたＩＭ値の平均値が計算され得る。追加的又は代替的に、完全な基準数の送信品質を有するように、全てのＩＭ値が共に収集及び追加され得る。追加的又は代替的に、基準数の送信品質を生じさせるべく、ＩＭ値の一部が収集及び追加され得る。追加的又は代替的に、複数のＩＭ値の平均値及び相対的加算の両方が同様の目的のために生成され得る。そのような解決策は、ＵＥ又はネットワークの観点から実行され得る。ＣＭ及びＩＭのいくつかの実施形態が以下で説明される。
【０１９４】
チャネル測定（ＣＭ）及びＩＭの構成のための一般的のガイドラインは以下の通りであり得る。非ゼロ電力（ＮＺＰ）ＣＳＩ−ＲＳリソースの組が、チャネル及び干渉測定のためにＵＥに対して構成され、ＺＰ  ＣＳＩ−ＲＳリソースの組がＩＭのためにＵＥに対して構成される。ＮＺＰ  ＣＳＩ−ＲＳリソースの組のサブセットがチャネル測定のために構成される。ＮＺＰ  ＣＳＩ−ＲＳリソースの組の別のサブセット、及び、ＺＰ  ＣＳＩ−ＲＳリソースの組のサブセットが干渉測定のために構成される。無線ネットワークは、ＤＣＩ又はＭＡＣ及びＤＣＩの組み合わせを介して、チャネル測定のためのＮＺＰ  ＣＳＩ−ＲＳリソースのサブセット、並びに、干渉測定のためのＮＺＰ  ＣＳＩ−ＲＳリソースのサブセット及びＺＰ  ＣＳＩ−ＲＳリソースのサブセットを指示する。いくつかの実施形態において、ＤＣＩインジケーションは、１又は複数のＣＳＩレポート設定の動的トリガであり得る。いくつかの実施形態において、２つのＮＺＰ  ＣＳＩ−ＲＳリソースサブセットからのいくつかのＣＳＩ−ＲＳリソースは重複し得る。
【０１９５】
特定の実施形態において、ＵＥは、ＰＭＩ及びＲＩフィードバックが構成又は指示されない場合、チャネル測定ＮＺＰ  ＣＳＩ−ＲＳリソースの各ポートは、望ましい干渉送信層に対応すると想定し得る。いくつかの実施形態において、ＵＥは、ＩＭのためのＮＺＰ  ＣＳＩ−ＲＳリソースがＣＭのためのＮＺＰ  ＣＳＩ−ＲＳリソースと重複しない場合、ＮＺＰ  ＣＳＩ−ＲＳリソースでの干渉測定の各ポートが、特定の干渉送信層に対応すると想定し得る。ＵＥの挙動及び／又はＵＥの想定を指定するための複数の方式があり得る。第１例として、ＵＥが実行するオペレーションは直接指定され得る。ＵＥによって実行されるオペレーションを直接指定する特定の例として、直接指定されるオペレーションは、以下の通りであり得る。ＵＥは、第１段階として、ＩＭのための各ＮＺＰ  ＣＳＩ−ＲＳリソースで干渉信号を抽出し、ＵＥは、第２段階として、干渉信号を合計して、加重を適用するなどである。このようにして、特定の実施形態において、ＵＥは、ＵＥの想定を行う必要が無いことがあり得て、又は、ＵＥの想定は、標準化される必要はないが、ＵＥの挙動は標準化され得る。一方で、ＵＥの想定は、どのＵＥが動作するために十分な情報を有し得るかに基づいて提供され得る。ＵＥの想定は、ＵＥの挙動を推定し得て、その逆も同様である。
【０１９６】
上述の干渉送信層はまた、干渉層、階層化干渉、干渉物からの送信層、プリコーディング／ビームフォーミング干渉、干渉物からのストリーム、干渉ストリーム、干渉送信ストリームなどと称され得る。特定の実施形態において、干渉送信層は、サービングネットワークポイントからの送信層（例えばストリーム）と同様であるが、干渉送信層の場合、送信（例えば、ストリーム）は、別の受信側を意図そ、従って、この層は、干渉されたＵＥに干渉するようになる。言い換えれば、ネットワークポイントがストリームをサービス提供されるＵＥへ（例えば、ＭＩＭＯプリコーディング又はビームフォーミングを介して）送信するとき、このストリームは、ストリームのメッセージを受信することが意図されない別のＵＥへの干渉送信層になる。ＺＰ  ＩＭＲ又は従来のＣＲＳベースＩＭがＩＭに使用される場合、干渉送信層は、他の干渉と混合し得るが、ＵＥによって認識されないことがあり得る（例えば、ＵＥが、この層についての情報を有さないが、集約された干渉を認識し得る）。ＮＺＰ  ＩＭＲで、ＵＥは、干渉送信層を認識するための十分な情報及び性能を有し得る。特定の実施形態において、各干渉送信層は、干渉送信信号及び干渉チャネルと関連する。  例として、
【数２】
0006777342.tif 000004
（以下を参照）の
【数３】
0006777342.tif 000005
における各層は、干渉送信層であり、Ｙ＝ＨＳＳ＋Ｈ１Ｓ１＋Ｈ２Ｓ２＋Ｉ０（以下を参照）におけるＨ１Ｓ１及びＨ２Ｓ２における各層は、干渉送信層である。ＮＺＰ  ＩＭＲにおける各ポートは、干渉送信層に対応し得る。
【０１９７】
チャネル測定のためのＮＺＰ  ＣＳＩ−ＲＳリソースにおいて、ＵＥは、その望ましい信号が送信されると想定し得る。すなわち、ＣＭのためにＵＥによって使用されるＮＺＰ  ＣＳＩ−ＲＳリソースは、例えば、スクランブルＩＤ、層／ポート、ＣＤＭ、Ｐｃ（「ｐｏｗｅｒＣｏｎｔｒｏｌＯｆｆｓｅｔ」、又は、ＲＥでのＮＺＰ層エネルギーとＲＥでのＰＤＳＣＨエネルギーとの間のＥＩＲＰ比）などを含む、ネットワーク構成／インジケーションに従って送信される。特定の実施形態において、更なる想定がＵＥによって行われる必要は無いことがあり得る。結果として、ＵＥは、スクランブルＩＤ及びＣＤＭポートマッピング情報を使用して、関連するポートでＮＺＰ信号層の各々を抽出し得て、シグナリングされるとき信号がＰｃによって増幅されると想定する。特定の実施形態において、チャネルマトリクスＨｓを形成するとき、電力の増幅は除去され、その結果、Ｈｓは、実際のＰＤＳＣＨ送信電力に対応する。ＮＺＰ  ＣＳＩ−ＲＳについては、以下のＲＥパターンが考慮され得る。ＸポートＣＳＩ−ＲＳリソースのＲＥパターンは、１又は複数のコンポーネントＣＳＩ−ＲＳ  ＲＥパターンを含む。周波数におけるＹ個の隣接ＲＥ、及び、時間におけるＺ個の隣接ＲＥとして、単一のＰＲＢにおいて、コンポーネントＣＳＩ−ＲＳ  ＲＥパターン（Ｙ、Ｚ）が規定され得る。ＮＲにおいて、１、２、４、８のＣＤＭが、１、２、４、８、１２、１６、２４、３２のＮＺＰポートについてサポートされる。周波数領域ＣＤＭ、時間領域ＣＤＭ、及び、Ｆ／Ｔ領域ＣＤＭがサポートされ得る。
【表２】
0006777342.tif 000006
以下では、ＮＺＰがＩＭのためにどのように使用され得るかという２つの例を提供する。
【０１９８】
実施形態において、ＮＺＰ  ＣＳＩ−ＲＳ信号がＩＭに基づくとき、ＮＺＰがＩＭのためにどのように使用され得るかについての第１タイプが図示される。この場合、スクランブルＩＤ、ポート／層、電力増幅値などの干渉するＮＺＰ  ＣＳＩ−ＲＳ信号についての情報が、干渉されたＵＥにシグナリングされ、干渉されたＵＥは、シグナリングされた情報、及び、受信されたＮＺＰ  ＣＳＩ−ＲＳ信号に基づいてＩＭを実行する。
【０１９９】
実施形態において、ＮＺＰ  ＣＳＩ−ＲＳリソースがＩＭに基づくとき、ＮＺＰがＩＭのためにどのように使用され得るかについての第２タイプが図示される。この場合、干渉するＮＺＰ  ＣＳＩ−ＲＳ信号情報は、干渉されたＵＥへシグナリングされても、そうでないこともあり得るが、少なくともＮＺＰリソース情報が、干渉されたＵＥにシグナリングされ、その結果、干渉されたＵＥは、どのリソース（例えばＲＥ）でＩＭを実行するかを認識する。ＵＥは、ＩＭにおいて、ＮＺＰ  ＣＳＩ−ＲＳ信号情報の一部を利用し得る（シグナリングの場合）。
【０２００】
特定の実施形態において、第１タイプのＮＺＰベースのＩＭ（例えば、ＮＺＰ  ＣＳＩ−ＲＳ信号がＩＭに基づくとき）は、最も近い干渉物（例えば、最も近い干渉ＵＥ）からの干渉チャネルマトリクスＨを推定すること、及び、場合によっては、高度な受信機関連オペレーションを実行することなどによる、主要な干渉のより正確な推定という利点を有し得る。しかしながら、いくつかの状況において、第１タイプのプロセスの改善の問題が残る。第１に、ＵＥがＩＭのＮＺＰ  ＣＳＩ−ＲＳ信号を抽出するとき、ＵＥの挙動は、高度な受信機関連オペレーションを伴い得る。例えば、ＣＳＩは、抽出された干渉チャネルマトリクスで導出され得て、非主要な干渉＋ノイズが推定され得る（ＩＭのＺＰで、又は、ＮＺＰ  ＣＳＩ−ＲＳ信号が割引きされたこのＮＺＰ  ＣＳＩ−ＲＳリソースで取得されるなど）。第２に、ＵＥがＩＭのためにＮＺＰ  ＣＳＩ−ＲＳ信号を抽出しないとき、ＵＥは、ＮＺＰ  ＣＳＩ−ＲＳリソースで干渉エネルギー／電力を取得し得る。この状況において、第２タイプのプロセスは、いくつかの状況において、第１タイプのプロセスより良好に実行し得る。この場合、信号が抽出され得るとき、ＵＥの想定及び挙動は、それらの状況と異なり得る。
【０２０１】
ＵＥが干渉ＮＺＰ  ＣＳＩ−ＲＳ信号を抽出できない複数の理由があり得る。そのような理由は、限定されたＵＥの性能、干渉の不十分な強度（しかしやはり無視できない）、又は、他の好適な理由を含み得る。干渉電力は、干渉協調及び回避、直交パイロット／ＲＳ、又は、他の理由などに起因して低いことがあり得る。多ユーザ（ＭＵ）オペレーションにおいて、ユーザは多くの場合、空間的に分離しており（例えば、ユーザは、異なる空間プリコーディングに関連する）、ＵＥ１のビームフォーミングは、概ね分離し得て、又は、更にはＵＥ２のためのビームフォーミングからほぼ直交している。ネットワークにおけるビームフォーミングに起因して、ＵＥが経験する干渉は、ＵＥにおいて対象とされるそれらのＣＳＩ−ＲＳより弱く見え得る。いくつかの状況において、性能の低いチャネル推定は、そのようなオペレーションを実行不可能にし得る。
【０２０２】
ＩＭのためにＮＺＰがどのように使用され得るかについての第２タイプ（例えば、ＮＺＰ  ＣＳＩ−ＲＳリソースがＩＭに基づくとき）は、干渉信号スクランブルＩＤ、ポート／層、電力増幅値、及び、他の好適な情報などの情報が、ＵＥへ送信される、又は、ＵＥによって利用される必要が無いことがあり得るという点で、利点を有し得る。２つの例示的場合を以下で説明する。
【０２０３】
例示的場合１：ＩＭはサービング信号を抽出後に取得される。この場合、サービング信号は、少なくとも部分的に、干渉測定リソース（ＩＭＲ）と重複する。サービング信号が抽出された後に、ＮＺＰリソースＲＥでの残りのエネルギー／電力が、ＩＭを取得するべく利用される。
【０２０４】
例示的場合２：ＩＭが、サービング信号を抽出することなく、ＩＭＲで取得される。この場合、ＩＭＲ  ＲＥは、干渉のみを含み、ＵＥは、ＩＭを取得するべく、ＩＭＲ  ＲＥでのエネルギー／電力を推定し得る。このリソースでのＵＥの想定及び挙動は、後に説明されるＺＰベースのＩＭより高度であり得る。
【０２０５】
ＺＰ  ＣＳＩ−ＲＳに基づくＩＭの実施形態を提供する。いくつかの例示的場合がある。第１例において、ＩＭは、１つのＺＰ  ＣＳＩ−ＲＳに基づく。ネットワーク側において、セルのためのＺＰベースのＩＭは、１又は複数の近隣セルのデータ送信と重複し得る。この例におけるＺＰベースのＩＭは、現在の干渉状況を反映し得るが、潜在的に、将来又は予想される干渉条件を反映しない。ＵＥは、ＺＰ  ＣＳＩ−ＲＳ  ＲＥでのエネルギー／電力を測定することによって、ＺＰ  ＣＳＩ−ＲＳに対してＩＭを実行する。
【０２０６】
図２０は、本開示の特定の実施形態に係る、ＺＰ  ＣＳＩ−ＲＳに基づく、ＩＭのための例示的場合２０００を示す。４つのＩＭ値（ＩＭ１−ＩＭ４）を取得し得る、ＺＰ  ＣＳＩ−ＲＳの４個のＲＥ２００２（ＲＥ２００２ａ、ＲＥ２００２ｂ、ＲＥ２００２ｃ、ＲＥ２００２ｄ）を示す。特定の実施形態において、ＵＥは、４個のＲＥ２００２が同一である干渉状況を想定し、少なくとも４つのＩＭ値に基づいて、平均化オペレーションを実行することによって干渉値（Ｉ）を決定する。例えば、ＵＥは、Ｉ＝（ＩＭ１＋ＩＭ２＋ＩＭ３＋ＩＭ４）／４を生成する。ＺＰ  ＣＳＩ−ＲＳについて、４個のＲＥ２００２の複数の組があり得て、複数の組におけるＲＥ２００２は、同一のＩＭ測定制限条件を有し得る。特定の実施形態において、ＵＥは、全てのＲＥ２００２における干渉状況が同一であると想定し、全てのそのようなＲＥ２００２に平均化オペレーションを実行することによって、干渉値（Ｉ）を決定する。
【０２０７】
追加的又は代替的に、ネットワーク側において、セルのためのＺＰベースのＩＭは、１又は複数の近隣セルのＲＳ送信と重複し得る。近隣セルのＲＳ送信は、ＮＺＰ  ＣＳＩ−ＲＳ、ＤＭＲＳ、又は、他の好適なＲＳ送信を含み得る。ＺＰベースのＩＭは、ＲＳが現在のデータ送信又は将来のデータ送信に使用されるかどうかに応じて、現在又は将来の干渉状況を反映する。図２０において、ＮＺＰは、近隣セルによって送信され、各ＲＥ２００２は、１つの層に関連する（例えば、ＮＺＰのＣＤＭが無く、各ＲＥ２００２は、層又はポートのためのものである）。この解決策は、ＤＭＲＳ又はＣＤＭｅｄ  ＮＺＰに拡張され得る。特定の実施形態において、各層は互いに異なる様にビームフォーミングされ得るので、４層は、ＵＥに対する異なる干渉を有し得る。これは、同一時間及び周波数リソース、又は、同一周波数リソースでの、しかし、時間領域において別々である、複数のＵＥにサービス提供する同一セル又は異なるセルからの干渉に適用し得る（例えば、ＭＵ−ＭＩＭＯ）。
【０２０８】
図２１は、本開示の特定の実施形態に係る、ＺＰ  ＣＳＩ−ＲＳ  ＲＥでのエネルギー／電力を測定するＵＥの例を図示する（エレメント２１Ａ、２１Ｂ及び２１Ｃを参照）。ＺＰ  ＣＳＩ−ＲＳ２１００（エレメント２１Ａを参照）の４個のＲＥ２１０２（ＲＥ２１０２ａ、２１０２ｂ、２１０２ｃ及び２１０２ｄ）において、ＵＥは、４つのＩＭ値、ＩＭ１−ＩＭ４を取得し得る。いくつかの状況において、ＵＥがエネルギー／電力を合計して、実際の干渉（例えば、Ｉ＝ＩＭ１＋ＩＭ２＋ＩＭ３＋ＩＭ４）を取得することが適切でないことがあり得る。なぜなら、Ｉ０エネルギー／電力は、取得されたＩにおいて４回カウントされるからである。干渉状況についての更なる情報無しで、ＵＥは、データ送信に関連する干渉が、４個のＲＥ２１０２で取得されたエネルギー／電力の平均値に対応する（例えば、Ｉ＝（ＩＭ１＋ＩＭ２＋ＩＭ３＋ＩＭ４）／４）と想定する。
【０２０９】
しかしながら、平均化オペレーションの意義を潜在的に改善するべく、ネットワークは、平均が、同一ＲＥでの４層全てを伴うデータ送信に対応することを保証するよう試行し得る。故に、ＮＺＰ  ＣＳＩ−ＲＳ２１０４の各層２１０６は、ＰＤＳＣＨ送信の電力レベルと一致するように、（例として）４倍、又は、６ｄＢだけ電力増幅され得る。いくつかの状況において、他の電力増幅値は、正確なＩＭを提供しないことがあり得る。特定の実施形態において、ＵＥは、電力増幅値を認識する必要が無いことがあり得て、重複するＲＥ２１０２でのＮＺＰ／ＤＭＲＳ／ＰＤＳＣＨの存在を認識する必要が無いことがあり得るが、４個のＲＥ２１０２での干渉状況は、同一であることも、そうでないこともあり得て、４個のＲＥ２１０２での平均は、ＩＭＲ  ＲＥ２１０２に関連するＰＤＳＣＨの干渉状況に対応すると想定する。ＺＰ  ＣＳＩ−ＲＳのための４個のＲＥ２１０２の複数の組があり得て、ＲＥ２１０２は、同一のＩＭ測定制限条件を有し得る。ＵＥは、全てのＲＥ２１０２で平均化することによって取得される干渉状況は、望ましい干渉状況であると想定し得て、全てのそのようなＲＥ２１０２で平均化オペレーションを実行する。
【０２１０】
ＤＭＲＳベースＰＤＳＣＨ送信モード（例えば、３ＧＰＰ  ＬＴＥ規格において指定されるような送信モード９及び１０）では、対応するＰＤＳＣＨがマッピングされるＰＲＢにＵＥ固有ＲＳが存在する場合、ＵＥは、ＰＤＳＣＨのリソースエレメントあたりのエネルギー（ＥＰＲＥ）と、ＵＥ固有ＲＳを含む各ＯＦＤＭシンボルにおけるＵＥ固有ＲＳ  ＥＰＲＥとの比は、送信層の数が２以下である場合、０ｄＢ、さもなければ、−３ｄＢであると想定し得る。ここでは、同様の原則が採用され得る。特定の実施形態において、ＵＥは、干渉のための追加の電力増幅／共分散マトリクス／空間相関などの更なる知識無しで、干渉がＺＰ  ＲＥ２１０２で送信されると想定する。ＵＥは、ＺＰ  ＲＥ２１０２でのエネルギー／電力の加重和（又は平均）が望ましい干渉仮定に対応すると想定し得る。ＵＥは、望ましい干渉仮定を取得するべく、ＺＰ  ＲＥ２１０２でエネルギー／電力の加重和（又は平均）を実行し得る。このＵＥオペレーションは、干渉の更なる知識無しで、干渉がＺＰ  ＲＥ２１０２で送信されるというＵＥの想定の結果であり得る。特定の実施形態において、追加の電力増幅についての更なる知識無しで、ＵＥは、干渉が各ＲＥ２１０２について、０ｄＢ電力増幅を有すると想定し得る。
【０２１１】
複数のＺＰ  ＣＳＩ−ＲＳに基づくＩＭの実施形態が提供される。いくつかの実施形態において、ＵＥの挙動及び対応する設定は、１つのＺＰ  ＣＳＩ−ＲＳと同様であり（例えば、ＵＥは、全てのＲＥに対して平均化して取得された干渉状況が、望ましい干渉状況であると想定し得る）、全てのそのようなＲＥに対する平均化オペレーションを実行する。ＺＰ  ＣＳＩ−ＲＳのいくつかは、近隣セルのＰＤＳＣＨ領域と重複し得て、これは実際に、平均化され得る干渉状況に対応する。いくつかのＺＰ  ＣＳＩ−ＲＳが近隣セルのＲＳ領域と重複し得る場合、異なるＺＰ  ＣＳＩ−ＲＳは、異なる干渉状況に実際に関連する。
【０２１２】
しかしながら、いくつかの実施形態において、ＵＥは、差を認識する必要が無いことがあり得て、単純な平均化がなお有意義であり得る（例えば、全てのそのようなＺＰ  ＣＳＩ−ＲＳに対する再使用要素を満たすべくＲＳが適切に電力増幅されるとき）。例えば、ＲＳの層が、ＺＰ  ＣＳＩ−ＲＳについてのＭ個のＲＥのうちのｎ個のＲＥのみである場合、レイヤをＭ／ｎ倍増幅することが適切であり得て、これは、全てのＺＰ  ＣＳＩ−ＲＳで平均化を実行するためのＵＥの想定であり得るが、他のＵＥのＺＰ  ＣＳＩ−ＲＳパターンを考慮して、望ましくないことがあり得る。この場合、特定のオペレーションが、ネットワークによって指示され得る。例えば、ＵＥは最初に、各ＺＰ  ＣＳＩ−ＲＳにおいて平均化を実行し、次に、加算及び／又は減算を実行して、ＺＰ１＋ＺＰ２−ＺＰ３などの、干渉の実際の値を取得し得る。ここで、２つのＺＰ  ＣＳＩ−ＲＳでの干渉電力／エネルギーを合計するための加算、及び、減算は、全てのＺＰ１〜ＺＰ３に共通する、ノイズ及び干渉の二重カウントを解消し得る。ＺＰ１及びＺＰ２では、直交時間／周波数リソースでの干渉するＲＳ１及び干渉するＲＳ２との重複があり得て、各ＲＳは、自身の再使用要素に従って電力増幅され得て、ＺＰ３は、ＲＳ１又はＲＳ２を含まないことがあり得る。ネットワークは、各ＺＰ  ＣＳＩ−ＲＳについて、上記例では（＋，＋，−）などのオペレーション、平均化、加算及び／又は減算を指示し得る。ＺＰ３と同一の仮定を有する追加のＺＰ４がある場合、ＺＰ３／ＺＰ４は、減算前に最初に平均化されるように指示され得る（例えば、（ＺＰ１＋ＺＰ２−（ＺＰ３＋ＺＰ４）／２）又は（＋１，＋１，−１／２，−１／２））。ＺＰ１〜ＺＰ３が、時間／周波数領域において直交されるＲＳ１〜ＲＳ３に対するものであり、ＺＰ４が他の干渉に対するものである場合、（ＺＰ１＋ＺＰ２＋ＺＰ３−２ＺＰ４）又は（＋１，＋１，＋１，−２）が指示され得る。一般化された方式において、ＺＰがＭ回追加されるとき、ＺＰ  ＣＳＩ−ＲＳは、Ｍ−１回減算され、その結果、干渉測定のために冗長的加算が実行されない。この場合、例「ＺＰ１＋ＺＰ２＋ＺＰ３−２ＺＰ４」における加算部分では、Ｍは３であり、一方、「ＺＰ１＋ＺＰ２＋ＺＰ３−２ＺＰ４」における減算部分では、Ｍは２である。
【０２１３】
ＺＰ１−ＺＰ３が、時間／周波数領域において直交するＲＳ１−ＲＳ３に対するものであり、ＺＰ４／ＺＰ５が他の干渉に対するものである場合、（ＺＰ１＋ＺＰ２＋ＺＰ３−ＺＰ４−ＺＰ５）又は（＋１，＋１，＋１，−１，−１）が指示され得る。より多くのオーバヘッドが、−２又は−１／２、又は、他の分数をシグナリングするために使用され得て、これは、ＰＨＹ  ＤＣＩシグナリングより、ＲＲＣ／ＭＡＣ構成シグナリングに対してより好適であり得ることに留意されたい。追加的又は代替的に、ネットワークは、ＺＰ  ＣＳＩ−ＲＳのタイプをシグナリングし得て、タイプ１は、時間／周波数領域において直交するＲＳに関するものであり、タイプ２は、タイプ１ＲＳをブランク化するためのリソースに関するものであり、ＵＥは、タイプ１のＺＰ  ＣＳＩ−ＲＳ全てを合計し、１を減算して全てのタイプ２ＺＰ  ＣＳＩ−ＲＳの平均を乗算し得る。ＵＥの挙動が規定された特定の実施形態において、ネットワークは、＋又は−をシグナリングする必要がある（１又は−１、又は、同等のもの）。
【０２１４】
ＵＥは、干渉についての追加の電力増幅／共分散マトリクス／空間相関などに関する更なる知識無しで、ＩＭのための複数のＺＰ  ＣＳＩ−ＲＳのＲＥで干渉が送信されると想定する。ＵＥは、全てのＺＰ  ＣＳＩ−ＲＳのＲＥのエネルギー／電力の加重和（又は平均）が、望ましい干渉仮定に対応すると想定し得る。ＵＥは、望ましい干渉仮定を取得するべく、ＺＰ  ＣＳＩ−ＲＳ  ＲＥのエネルギー／電力の加重和（又は単純平均）を実行し得る。このＵＥオペレーションは、干渉の更なる知識無しで、干渉がＺＰ  ＣＳＩ−ＲＳ  ＲＥで送信されるというＵＥの想定の結果であり得る。追加の電力増幅の更なる知識無しで、ＵＥは、ＩＭの各ＺＰ  ＣＳＩ−ＲＳの各ＲＥについての０ｄＢ電力増幅を干渉が有すると想定し得ることに留意されたい。追加的又は代替的に、ネットワークがＵＥに対して、ＺＰ１が干渉の第１部分のもの、ＺＰ２が干渉の第２部分のものであるなどの情報を提供する場合、ＵＥは、ＺＰ  ＣＳＩ−ＲＳの意味エネルギーを合計し得て、望ましい干渉仮定に関連する干渉を取得する。ネットワークがＵＥに対して、ＺＰ１が干渉の第１部分のもの、ＺＰ２が干渉の第２部分のもの、ＺＰ３がＺＰ１及びＺＰ２の共通干渉のものであるなどの情報を提供する場合、ＵＥは、ＺＰ１／ＺＰ２の平均エネルギーを合計し、ＺＰ３の平均エネルギーを減算し、望ましい干渉仮定に関連する干渉を取得し得る。
【０２１５】
ＮＺＰ  ＣＳＩ−ＲＳがＣＭのＮＺＰ  ＣＳＩ−ＲＳと重複しない、ＮＺＰ  ＣＳＩ−ＲＳに基づくＩＭの実施形態を提供する。ＮＺＰ  ＣＳＩ−ＲＳリソース構成（ポート、時間／周波数リソースなど）に加えて、ＩＭのＮＺＰ  ＣＳＩ−ＲＳをＵＥにシグナリングするべく、スクランブルＩＤはシグナリングされ得て、その結果、ＵＥは、ＲＳ信号を抽出し得る（例えば、このＲＳ信号は、ＣＭについての意図した信号と混乱されるべきでなく、ここで、ＲＳ信号は、干渉信号としてサービス提供する）。干渉信号が抽出された状態で、ＵＥは、干渉チャネルマトリクスを推定し得る（例えば、この干渉チャネルマトリクスは、ＣＭについて意図したチャネルと混乱されるべきでなく、ここで、干渉チャネルマトリクスは、干渉チャネル測定としてサービス提供する）。
【０２１６】
この推定された干渉チャネルマトリクスに基づいて、ＵＥは、干渉抑圧を実行し得る。例えば、潜在的により正確な干渉共分散マトリクスは、干渉除去のために取得され得る。ＰＤＳＣＨ電力レベルに対するＮＺＰ電力増幅はシグナリングされ得る。例えば、４ポートＮＺＰ  ＣＳＩ−ＲＳにおいて、レイヤ１／２は、２個のＲＥでのＣＤＭｅｄであり、レイヤ３／４は、他の２つのＲＥでのＣＤＭｅｄである。各層は、３ｄＢだけ増幅され得て、結果として生じるＲＥあたりの電力は、各ＲＥ上の全ての４層を伴う関連するＰＤＳＣＨと同一である。既定で定義されたＵＥの想定が、ＰＤＳＣＨレベルへの電力増幅を想定する場合、電力増幅はシグナリングされないことがあり得る。次に、Ｎ個のＲＥのＮ層の合計（各ＲＥはｎ（≦Ｎ）層のみを搬送する）で、Ｎ／ｎ倍の電力増幅が想定され得る。これは、ＣＤＭ設計に関連する（例えば、この場合、ＣＤＭはあらゆるｎ層にわたる）。ＬＴＥ  ＮＺＰ  ＣＳＩ−ＲＳにおいて、ｎ＝２であり、ＤＭＲＳの場合、１／２／４である。ＮＲにおいて、１、２、４、８のＣＤＭは、１、２、４、８、１２、１６、２４及び３２のＮＺＰ  ＣＳＩ−ＲＳポートについてサポートされる。周波数領域のみのＣＤＭ、時間領域のみのＣＤＭ、Ｆ／Ｔ領域ＣＤＭがサポートされる。一般的に、ＣＤＭ値及びそのタイプは、ＮＺＰ  ＣＳＩ−ＲＳについて、ＵＥへシグナリングされ得る。ＣＤＭ情報及びＮＺＰ  ＣＳＩ−ＲＳポート情報は次に、黙示的な電力増幅を理解するためにＵＥによって使用され得る。例えば、３２ポートＮＺＰ  ＣＳＩ−ＲＳ及びＣＤＭ８について、各層は４増幅される。しかしながら、ネットワークが電力増幅においてより多くの柔軟性を必要とする場合、電力増幅値は、明示的にＵＥへシグナリングされる必要がある。更に、ＩＭのためのＮＺＰ  ＣＳＩ−ＲＳがＵＥへシグナリングされる場合でも、干渉が十分に強くない（しかし、それでもなお無視できない）ことがあり得るので、ＵＥは、十分な信頼性でＮＺＰ  ＣＳＩ−ＲＳ干渉信号を抽出することが可能でないことがあり得る。高度な受信機性能が無い、又は、ＮＺＰ  ＣＳＩ−ＲＳ測定性能の限定を有するいくつかのＵＥも、ＮＺＰ  ＣＳＩ−ＲＳを抽出することが可能でないことがあり得る。故に、ＩＭのためのＮＺＰ  ＣＳＩ−ＲＳは、ＵＥによって抽出可能であることも、そうでないこともあり得て、いずれの場合も、実施形態が提供される。
【０２１７】
第１に、ＩＭが１つのＮＺＰ  ＣＳＩ−ＲＳに基づき、ＮＺＰ  ＣＳＩ−ＲＳがＣＭのＮＺＰ  ＣＳＩ−ＲＳと重複しない場合が提供される。ＵＥがＩＭのＮＺＰ  ＣＳＩ−ＲＳを抽出できない場合、ＮＺＰ  ＣＳＩ−ＲＳについてのＵＥの挙動及び想定は、ＺＰ  ＣＳＩ−ＲＳのものと同一でないことがあり得る。ＵＥは、干渉信号がＩＭのＮＺＰ  ＣＳＩ−ＲＳで送信され、ＮＺＰ  ＣＳＩ−ＲＳの各ポートが１つの干渉層に対するものであることを想定し得る。ＵＥは、各干渉層が、＃ｐｏｒｔｓ／ＣＤＭの要素に従って電力増幅されると想定し得る。別の実施形態において、ＵＥは、各干渉層が、０ｄＢだけ電力増幅されること、及び、各ＲＥが干渉の全ての層を含むと想定し得る。いずれの場合も、ＵＥは、全てのＲＥの平均化によって取得される干渉状況が、好ましい結果であると想定し得る。
【０２１８】
ＵＥは、全てのそのようなＲＥに対して平均化オペレーションを実行し得る。これに応じて、ネットワークは、正確な電力増幅を保証し得る（例えば、＃ｐｏｒｔｓ／ＣＤＭに従う、ＰＤＳＣＨレベルへの増幅）。この値は、ＵＥへシグナリングされることも、そうでないこともあり得る。なぜなら、ＵＥはＮＺＰ  ＣＳＩ−ＲＳ構成／インジケーションから導出し得るからである。異なる値が受信される場合、ＵＥは上書き／無視し得る。追加的又は代替的に、電力増幅値が＃ｐｏｒｔｓ／ＣＤＭと同一である場合、ＵＥは、平均化を実行し得る。他の値がネットワークによって使用される場合、値がＵＥへシグナリングされても、ＵＥはなお、干渉の非偏向の推定を取得しないことがあり得る。なぜなら、ＮＺＰ  ＣＳＩ−ＲＳ  ＲＥにおいて、ＰＤＳＣＨレベルに増幅されない干渉（ＮＺＰ  ＣＳＩ−ＲＳ信号）、及び、ＰＤＳＣＨレベルに増幅される他の干渉及びノイズは、分離可能ではなく、重ね合わされるからである。一方、ＵＥがＩＭのＮＺＰ  ＣＳＩ−ＲＳを抽出し得る場合、ＵＥは、ＮＺＰ  ＣＳＩ−ＲＳと、残った干渉及びノイズＩ０とを分離し得る。例えば、ＵＥは、干渉チャネルＨＩ及び規定を推定し得る。
【０２１９】
Ｙ＝ＨＳＳ＋ＨＩＳＩ＋Ｉ０であり、Ｙは受信信号であり、ＨＳＳは（ＣＭリソースから取得された）意図したチャネルマトリクスと、意図した信号との積であり、ＨＩＳＩは、（ＮＺＰ  ＣＳＩ−ＲＳのＩＭＲから取得された）干渉チャネルマトリクスと、干渉信号との積であり、Ｉ０は、ノイズ及び他の干渉である（例えば、ＮＺＰ信号ＨＩＳＩに関連する干渉を除く、全ての干渉及びノイズ）。ＨＩは、層ごとに（例えば、ＵＥは、ＮＺＰ  ＣＳＩ−ＲＳの各ポートが干渉状況に関連すると想定する）、ただし、層を越えることなく、シグナリング測定制限を満たす複数のＮＺＰ  ＣＳＩ−ＲＳ  ＲＥを平均化することによって取得され得る。Ｉ０の場合、ＺＰ  ＣＳＩ−ＲＳと同一の干渉状況を想定して、全てのＩＭＲ  ＲＥで平均化され得る。上の式に基づいて、ＵＥは、ＣＳＩ測定及びＣＱＩ／ＲＩ／ＰＭＩ計算における干渉抑圧を実行し得る。性能は、信号が抽出可能でないＺＰベースのＩＭ及びＮＺＰベースのＩＭより良好であることが予想される。ＵＥはＮＺＰ  ＣＳＩ−ＲＳを抽出し得るので、任意の電力増幅値が使用され、ＵＥへシグナリングされ得る。潜在的に高い電力増幅で、ＨＩの推定は、より正確になり得るが、余分な増幅はＨＩで割引きされ得て、その結果、ＵＥは、より高い干渉を想定しないことがあり得る。しかしながら、いくつかの状況において、この方法は、特定の他の場合をカバーするほど十分にロバストでなく、特定の実施形態において、ＮＺＰ  ＣＳＩ−ＲＳをＰＤＳＣＨレベルに増幅することが望ましいことがあり得る。
【０２２０】
図２２は、本開示の特定の実施形態に係る、ＣＭＲと重複していない、複数のＮＺＰ  ＣＳＩ−ＲＳに基づく、ＩＭの例２２００を図示する。ＩＭの２つのＮＺＰ  ＣＳＩ−ＲＳが、この例において図示される（第１は、行２２０２ａに対応し、第２は、行２２０２ｂに対応する）。図２２は、それぞれ、サービングセル２２０６、干渉物１  ２２０８、干渉物２  ２２１０、及び、複数の遠隔干渉物２２１２の観点から、４つの列２２０４（列２２０４ａ、列２２０４ｂ、列２２０４ｃ、列２２０４ｄ）を示す。
【０２２１】
ＮＺＰ  ＣＳＩ−ＲＳにおいて、サービングセルはミュートし、一方で、干渉物（サービングセルと同一セル、又は、サービングセルとは異なるセルであり得る）は、ＮＺＰ  ＣＳＩ−ＲＳの１つで送信し、他でミュートする。この場合、ＵＥは、ＩＭのためのＮＺＰ  ＣＳＩ−ＲＳでサービング信号が送信されず、干渉信号がＩＭのＮＺＰ  ＣＳＩ−ＲＳで送信されると想定する。スクランブルＩＤ、層／ポート、ＣＤＭ、Ｐｃなど、ＮＺＰ  ＣＳＩ−ＲＳ干渉信号情報がＵＥへシグナリングされる場合、そのような情報はまた、ＵＥによって想定され得る（例えば、ＣＭ  ＮＺＰ  ＣＳＩ−ＲＳ信号と同様の想定であるが、代わりにＩＭについての想定である）。特定の実施形態において、干渉信号に関して、ＵＥによって他の想定が行われていない。特定の実施形態において、上の情報のいずれかがＵＥへシグナリングされない場合、ＵＥは、ＩＭのための関連する想定を行わない。
【０２２２】
特定の実施形態は、ＵＥがＮＺＰ  ＣＳＩ−ＲＳの両方を抽出可能であり得るか、又は、ＮＺＰ  ＣＳＩ−ＲＳのいずれも抽出可能でないか、又は、ＮＺＰ  ＣＳＩ−ＲＳの１つを抽出可能であり得るかに依存する。両方が抽出され得る場合、ＵＥは、両方の干渉チャネルマトリクスＨ１及びＨ２を推定し得て、ＮＺＰ  ＣＳＩ−ＲＳのエネルギー／電力を平均化することにより、残った干渉及びノイズＩ０を取得し得て、ＮＺＰ  ＣＳＩ−ＲＳ信号を割引きする。Ｉ０は、ノイズ及び他の干渉である（例えば、ＮＺＰ  ＣＳＩ−ＲＳ信号のいずれにも関連しない干渉を除く、全ての干渉及びノイズ）。ＵＥは以下を規定し得る。
Ｙ＝ＨＳＳ＋Ｈ１Ｓ１＋Ｈ２Ｓ２＋Ｉ０
【０２２３】
この例において、干渉抑圧／除去は、ＣＳＩ測定及び計算のために実行され得る。いずれのＮＺＰ  ＣＳＩ−ＲＳも抽出されない場合、いくつかの状況において、ＵＥは、ＮＺＰ１で（Ｉ１＋Ｉ０）を取得し得て、ここで、Ｉ１及びＩ０は、分離可能でなく、ＵＥは、ＮＺＰ２で（Ｉ２＋Ｉ０）を取得し得て、ここで、Ｉ２及びＩ０は分離可能でない。（Ｉ１＋Ｉ０）及び（Ｉ２＋Ｉ０）の加算は、Ｉ０の二重カウントをもたらし得て、潜在的に、適切な技法を平均化する。これは、（Ｉ１＋Ｉ２）／２＋Ｉ０が、実際のＰＤＳＣＨ干渉状況に対応し得ることを示唆する。マトリクスランクに基づく説明は、これは電力増幅の４倍では可能でなく（その干渉物のＰＤＳＣＨレベルへの増幅に対応する）、代わりに、これは、ＮＺＰ  ＣＳＩ−ＲＳの電力増幅の８倍を使用することを示し、ここで、８は、１つの干渉物からの１つのＮＺＰ  ＣＳＩ−ＲＳではなく、両方のＮＺＰ  ＣＳＩ−ＲＳを占めるＮＺＰ  ＣＳＩ−ＲＳ干渉信号の再使用要素に由来する。いくつかの状況において、しかしながら、この増幅は、ＩＭのためのＮＺＰ  ＣＳＩ−ＲＳの１つで構成された別のＵＥへのバイアスを引き起こ得て、従って、いくつかの状況においては望ましくないことがあり得る。ＮＺＰ  ＣＳＩ−ＲＳの１つが抽出される場合（例えば、ＮＺＰ１が抽出されるが、ＮＺＰ２は抽出されない）、ＵＥは、ＮＺＰ１のＩ１及びＩ０  を分離し得るが、ＮＺＰ２の（Ｉ２＋Ｉ０）は分離しない。ＵＥは以下を規定し得る。
Ｙ＝ＨＳＳ＋Ｈ１Ｓ１＋（Ｉ２＋Ｉ０）
【０２２４】
この例において、干渉抑圧／除去が実行され得る。故に、上述のようなＮＺＰ  ＣＳＩ−ＲＳの抽出性に基づいて、異なるＵＥの挙動を採用することが望ましいことがあり得て、非偏向の干渉推定が困難又は取得可能でない場合があり得る。故に、ＩＭのそのような構成は、実際の状況において、限定された利益を有し得る。
【０２２５】
何もＣＭのＮＺＰ  ＣＳＩ−ＲＳと重複していない、１又は複数のＮＺＰ  ＣＳＩ−ＲＳ及び１又は複数のＺＰ  ＣＳＩ−ＲＳに基づくＩＭの実施形態が提供される。特定の実施形態において、この手法は、上述の課題のいくつかを克服し得て、あり得るより高い測定のオーバヘッドと引き換えに、ＩＭ精度を改善し得る。いくつかの実施形態において、ＺＰ  ＣＳＩ−ＲＳは、ＮＺＰ  ＣＳＩ−ＲＳ  ＩＭＲでの干渉を全て含む干渉状況を含むように指定される。ＮＺＰ  ＣＳＩ−ＲＳのいずれかが抽出可能でない場合、ＺＰ  ＣＳＩ−ＲＳが干渉の測定及び平均化に使用され得る。全てのＮＺＰ  ＣＳＩ−ＲＳが抽出される場合、ＮＺＰ  ＣＳＩ−ＲＳ干渉信号は、個々に平均化され、次に、全てのＮＺＰ  ＣＳＩ−ＲＳで合計され得て、ＮＺＰ  ＣＳＩ−ＲＳのいずれか、又は、全ての残った干渉及びノイズは平均化され得て、Ｉ０を取得する。また、（電力増幅を除去した後に）ＮＺＰ  ＣＳＩ−ＲＳに関連する信号のエネルギー／電力を減算することによって、平均の残った干渉及びノイズを取得するためにＺＰ  ＣＳＩ−ＲＳが使用され得る。いくつかの他の実施形態において、ＺＰ  ＣＳＩ−ＲＳは、ＮＺＰ  ＣＳＩ−ＲＳ  ＩＭＲの全ての干渉を除く干渉状況を有するように指定される。
【０２２６】
ＮＺＰ  ＣＳＩ−ＲＳのいずれかが抽出可能でない場合、ＵＥは、全てのＮＺＰ  ＣＳＩ−ＲＳが、ＲＳと重複するＺＰ  ＣＳＩ−ＲＳであり、ＩＭの複数のＺＰ  ＣＳＩ−ＲＳと同様であり、全てのＮＺＰ  ＣＳＩ−ＲＳ及びＺＰ  ＣＳＩ−ＲＳは、非偏向の方式で干渉を取得するために、指定されたオペレーション（平均化、加算、減算）を実行するのに使用され得ると想定し得る。すなわち、全てのＮＺＰ  ＣＳＩ−ＲＳは、＋とみなされ、全てのＺＰ  ＣＳＩ−ＲＳは−とみなされる。一方、全てのＮＺＰ  ＣＳＩ−ＲＳが抽出される場合、ＮＺＰ  ＣＳＩ−ＲＳ干渉信号は個々に平均化され、次に、全てのＮＺＰ  ＣＳＩ−ＲＳで合計され、Ｉ０を取得するために、ＮＺＰ  ＣＳＩ−ＲＳ及びＺＰ  ＣＳＩ−ＲＳのいくつか又は全ての残った干渉及びノイズは平均化され得る。ネットワーク側では、ネットワークは、ＮＺＰ  ＣＳＩ−ＲＳ／ＺＰ  ＣＳＩ−ＲＳ／ＩＭＲ／ＣＭＲを協調し得て、シグナリング（構成／インジケーション）が望ましいＩＭ／ＣＭ／ＣＳＩ／仮定／条件に対応することを保証することを試行する。適切に直交化するべく、ＮＺＰ  ＣＳＩ−ＲＳ及び場合によりＺＰ  ＣＳＩ−ＲＳは、ネットワーク協調及び比較的高い測定オーバヘッドを使用し得る。
【０２２７】
上述した実施形態は、重複していないＣＭＲ及びＩＭＲのものである。しかしながら、ＣＭＲ及びＩＭＲが重複し得る場合、以下に説明されるものなど、異なる実施形態が適切であり得る。
【０２２８】
いくつかの実施形態は、ＮＺＰ  ＣＳＩ−ＲＳ  ＣＭＲ及びＩＭＲが完全に重複し１つのＮＺＰ  ＣＳＩ−ＲＳリソースが構成される状況に適用される。ＵＥは、ＵＥのためのサービング信号が、構成／インジケーションに従ってリソースで送信され、干渉信号がまた、構成／インジケーションに従ってリソースで送信されることを想定し得る。すなわち、ＵＥは、１つのＮＺＰ  ＣＳＩ−ＲＳリソースのＲＥの同一の組で、ＣＭ及びＩＭを実行する。この説明全体を通して、ＮＺＰ又はＮＺＰ  ＣＳＩ−ＲＳという用語は、ＮＺＰ  ＣＳＩ−ＲＳ信号、ＮＺＰ  ＣＳＩ−ＲＳリソース、又は、ＮＺＰ  ＣＳＩ−ＲＳ信号及びＮＺＰ  ＣＳＩ−ＲＳリソースの両方を指し得る。一般的に、特定の意味は、用語が使用される文脈から、当業者にとって明らかであろう。いくつかの場合、この開示は、区別を指定する。例えば、重複の場合、ＣＭのＮＺＰ信号及びＩＭのＮＺＰ信号は、同一のＮＺＰリソースにある。
【０２２９】
図２３は、本開示の特定の実施形態に係る、チャネル及び干渉のための重複したＣＳＩ−ＲＳリソースの例示的使用事例２３００を図示する。１つのＮＺＰ  ＣＳＩ−ＲＳリソースは、例として、チャネル測定、及び、干渉測定のために構成され得る。
【０２３０】
事前ＣＳＩ情報に基づいて、ｇＮＢは、ＵＥの組のためのスロットｎ＋ｌでのＭＵ送信を決定する。スロットｎのＣＳＩ−ＲＳリソースで、ｇＮＢは、ＭＵグループにおける各ＵＥのためのビームフォーミングされたＣＳＩ−ＲＳを送信する。ＭＵグループにおける各ＵＥは、ＵＥの意図した信号を受信信号から割引きすることによって（例えば、減算することによって）意図した信号及び干渉を取得するためにチャネルを推定し得る。例えば、ＵＥ  ｋの観点から、ＮＺＰ  ＣＳＩ−ＲＳでの受信信号は、
【数４】
0006777342.tif 000007
として表現され得て、
【数５】
0006777342.tif 000008
はＭＵ干渉であり、Ｉｋはセル間干渉を表し、ｎｋは、熱雑音を表す。いくつかの状況において、ＮＺＰ  ＣＳＩ−ＲＳリソースは、周囲のセルの間で揃えられ、各セルは、ＮＺＰ  ＣＳＩ−ＲＳを送信するために同一の機構に従い、項Ｉｋは、将来のＰＤＳＣＨスロットｎ＋ｌで経験するであろうセル間干渉を反映し得る。従って、この構成では、ｇＮＢは、ＭＵ干渉及びセル間干渉を両方含む将来のＰＤＳＣＨでの干渉を予測可能である。この予測性能の別の例は、図３０に関連して以下で説明される。
【０２３１】
ＣＳＩ−ＲＳリソースにおける異なるＣＳＩ−ＲＳポート（例えばＦＤＭ、ＣＤＭを介して直交される）は、異なるユーザに割り当てられ得ることに留意されたい。例えば、この機構は、非ＰＭＩフィードバックの場合（例えば、ＣＳＩ−ＲＳリソースあたりのポートインデックスインジケーションは、ランクあたりのＲＩ／ＣＱＩ計算に使用されるＣＳＩ−ＲＳポートを選択するためにＲＲＣによって構成され得る）に使用され得るが、この開示は、他の状況におけるこの機構の使用を予期する。そのような構成では、割り当てられたＣＳＩ−ＲＳポートでのチャネル測定は、他の干渉ポートによって影響を受けないことがあり得る。
【０２３２】
図２４は、本開示の特定の実施形態に係る、チャネル及び干渉測定のための重複していないＣＳＩ−ＲＳリソースの例示的使用事例２４００を図示する。ＵＥ０の観点から、ＮＺＰ  ＣＳＩ−ＲＳリソース＃０は、チャネル測定のためであり、一方、ＮＺＰ  ＣＳＩ−ＲＳリソース＃１及び＃２は、干渉測定のためである。ｇＮＢが潜在的なＭＵ信号をＮＺＰ  ＣＳＩ−ＲＳリソース＃１及び＃２でエミュレートするとき、ＵＥ０は、これら２つのＩＭリソースで干渉を測定することによって、ＭＵ干渉をプローブし得る。
【０２３３】
しかしながら、いくつかの状況において、ＮＺＰ  ＣＳＩ−ＲＳリソースの組が近隣セルのＮＺＰ  ＣＳＩ−ＲＳリソースに揃えられる場合でも、セル間干渉は、このように完全に捕捉されないことがあり得る。
【０２３４】
図２５は、本開示の特定の実施形態に係る、重複していないＣＭＲ及びＩＭＲの構成におけるセル間干渉を示す例示的使用事例２５００を図示する。この状況において、セルＭ２５０２におけるＣＳＩ−ＲＳリソースの構成は、セル０２５０４と同一であり、ここで、リソース＃０、＃１及び＃２は、チャネル測定のために、ＵＥｘ、ＵＥｙ、及び、ＵＥｚに割り当てられる。セル０におけるユーザはまた、これらのリソースを使用して、セルＭからの干渉をプローブする。しかしながら、ＵＥ０の観点から、実際にサービス提供するＵＥｙ及びＵＥｚであるセルＭからのセル間干渉が捕捉される。ＵＥｘからの干渉を逃すことは、セル間干渉の不正確なプローブをもたらし得る。一方、セル０におけるＮＺＰ  ＣＳＩ−ＲＳリソースの組が近隣セルのＮＺＰ  ＣＳＩ−ＲＳリソースと直交する場合、ＵＥ０は、セルＭからのセル内ＭＵ干渉及びセル間干渉を測定するべく、ＩＭの５つのＮＺＰ  ＣＳＩ−ＲＳリソースで構成され得る。一般的に、Ｍ個の干渉セルがＵＥ０の近隣にある場合、各セルはＮ個のＵＥをサポートし、ＩＭのための（Ｍ＋１）Ｎ  ＮＺＰ  ＣＳＩ−ＲＳリソースがＵＥ０のために構成され、潜在的に望ましくないオーバヘッド及び複雑性をもたらす。
【０２３５】
セル間干渉（特に高速で変動するセル間干渉）のプローブは、ＮＺＰ  ＣＳＩ−ＲＳベースの干渉測定の重要な特徴であり得る。セル間干渉及び／又はＭＵ干渉のプローブはリンク適合を改善し得る。従って、特に、ＮＺＰ  ＣＳＩ−ＲＳ構成を揃えることが可能なセルのために、より良好なリンク適合のゲインを実現するべく、本開示の実施形態は、チャネル及び干渉測定のために重複したＣＳＩ−ＲＳリソースをサポートする。
【０２３６】
ＮＺＰベースのＩＭについてのＵＥの想定及び挙動は、標準的明細書において規定され得る。上述のように、（フォールバックモード及び非フォールバックモードにおける）ＩＭに基づくＮＺＰ  ＣＳＩ−ＲＳ信号は別々に考慮され得る。ＩＭに基づくＮＺＰ  ＣＳＩ−ＲＳリソースについては、重複及び非重複の両方が考慮され得る。
【０２３７】
場合１：サービング信号を抽出後にＩＭが取得される。  この場合、ＵＥはＮＺＰ  ＣＳＩ−ＲＳでサービング信号を抽出し、ＲＥの残ったエネルギー／電力は、ＩＭを取得するのに使用される。場合１は、以下２つの状況を含む。
【０２３８】
場合１−１：ＩＭＲ及びＣＭＲは完全に重複する。この状況において、ＵＥは、サービング信号を割引きした後の干渉状況が、実際の干渉状況に対応すると想定し得て、ＩＭに関連する更なるオペレーション（全てのＩＭＲ  ＲＥの平均化を除く）は、適切な場合、回避され得る。
【０２３９】
場合１−２：ＩＭＲ及びＣＭＲは部分的に重複する。この状況において、いくつかのＩＭＲ  ＲＥのサービング信号を割引き後、ＵＥは、追加のＩＭＲ  ＲＥ、及び、潜在的に、全てのＩＭＲ  ＲＥでの干渉を取得する。
【０２４０】
ＵＥは、場合２（以下で説明）について上述された加算／減算アプローチを採用し得る。これは、追加のネットワークシグナリング及び関連するＵＥの挙動を使用する。この加算／減算アプローチは、複数のＮＺＰ及びＺＰが使用される場合、複雑になり得る。例えば、３つのＮＺＰ及び１つのＺＰについて、ＵＥは、
【数６】
0006777342.tif 000009
を実行し得る。この状況は、上述の複数のＺＰと同様であり、設計は、加算／減算アプローチに再使用できる。
【０２４１】
追加的又は代替的に、ＵＥは、ＩＭの望ましい干渉状況を取得するべく全てのＩＭＲ  ＲＥを平均化することが許容されると想定し得て、ネットワークは、一貫性を保証することを試行し得る。この手法は、ＵＥの想定及び挙動を簡略化し得る。
【０２４２】
場合２：サービング信号を抽出することなく、ＩＭがＩＭＲで取得される。  この場合、ＮＺＰ  ＩＭＲ  ＲＥは干渉を含み、ＵＥは、ＩＭを取得するべく、ＮＺＰ  ＲＥのエネルギー／電力を推定し得る。場合１−２と同様に、加算／減算アプローチが考慮され得るが、より単純な平均化手法を使用することが望ましいことがあり得る。
【０２４３】
故に、全ての場合において、ＵＥの挙動は、いくつかの、潜在的には全てのＩＭＲ  ＲＥで平均化されるように統一され得る。この平均化手法はまた、ＩＭのＮＺＰ  ＣＳＩ−ＲＳ及び／又はＺＰ  ＣＳＩ−ＲＳでＵＥの挙動を統一し得る。基地局実装は、このように取得されたＩＭが望ましい干渉状況に対応することを保証することを試行し得る。実施形態は、該当する場合、サービング信号を割引きした後に、全てのＮＺＰ  ＣＳＩ−ＲＳ／ＺＰ  ＣＳＩ−ＲＳ  ＩＭＲ  ＲＥで、エネルギー／電力の平均化のＵＥの挙動を標準化することである。
【０２４４】
チャネル及び干渉の両方について構成されるＣＳＩ−ＲＳリソースについて、減算のオペレーションが規定され得る。次に、意図した信号を減算した後の残りの信号／電力は、一部又は全体の干渉である。
【０２４５】
ＣＭではなくＩＭに構成された（例えば、重複していないＩＭＲ及びＣＭＲの場合）、又は、ＩＭ及びＣＭに構成されているがサービング信号が減算されたＮＺＰ  ＣＳＩ−ＲＳについて、抽出された干渉ポートの合計又は加重和がＵＥによって実行され得る。この手法は、干渉物層（例えば干渉送信層）に対応するＣＳＩ−ＲＳポートに起因し得て、それにより、合計又は加重和のオペレーションは、潜在的に合計干渉を反映する。適切なネットワーク実装が、この手法を提供するために使用され得る。加重和の一例は、全てのポートで干渉電力を平均化することであり、これは潜在的に、追加のシグナリングサポートを使用しない。
【０２４６】
チャネル及び干渉の両方に構成されているＣＳＩ−ＲＳリソースについて、ＵＥは、望ましい信号がリソースで、ネットワーク構成／インジケーションに従って送信されると想定し、干渉信号もリソースで、ネットワーク構成／インジケーションに従って送信される。ＵＥは、望ましいＮＺＰ  ＣＳＩ−ＲＳ信号を抽出することによってリソースでＣＭを実行し得る。次に、望ましい信号を割引きした後の残りの信号／電力は、ＵＥによって測定される干渉である。
【０２４７】
１つより多くのＮＺＰ  ＣＳＩ−ＲＳリソースが干渉測定に構成されるとき、ＵＥにＮＺＰ  ＣＳＩ−ＲＳリソースでの干渉を適切に組み合わせることを可能にするＵＥの想定が規定され得る。
【０２４８】
図２６は、本開示の特定の実施形態に係る、ＮＺＰ  ＣＳＩ−ＲＳリソースの組の別の構成例２６００を図示する。重複していないＣＳＩ−ＲＳリソースを例にとると、セル０において、ＮＺＰ  ＣＳＩ−ＲＳリソース＃０、＃１、＃２は、それぞれ、チャネル測定のために、ＵＥ０（２６０２で示す）、ＵＥ１（２６０４で示す）、及び、ＵＥ２（２６０６で示す）に割り当てられる。各ＵＥについて、ＣＭのＣＳＩ−ＲＳリソースを除く他の２つのＣＳＩ−ＲＳリソースは、ＩＭＲである。
【０２４９】
ＵＥ０について、リソース＃１及び＃２での干渉は、それぞれ、
【数７】
0006777342.tif 000010
【数８】
0006777342.tif 000011
として表現され得る。Ｉ１及びＩ２は、ＵＥ１及びＵＥ２の干渉であり、Ｕｉｎｔｅｒは、近隣セルからの干渉であり、測定スロットでのダウンリンク干渉を反映し得る。各ＮＺＰ  ＣＳＩ−ＲＳリソースに関連するより上位層のパラメータｐｃ（ｐｏｗｅｒＣｏｎｔｒｏｌＯｆｆｓｅｔ）があり、ＮＺＰ  ＣＳＩ−ＲＳ  ＲＥからＰＤＳＣＨ  ＲＥへの電力オフセットとして解釈される。従って、Ｐｃ，１、Ｐｃ，２を、リソース＃１及び＃２に関連する電力オフセットとして想定すると、Ｙ１及びＹ２は、以下のように表され得る。
【数９】
0006777342.tif 000012
【０２５０】
ＭＵ  ＰＤＳＣＨからの干渉を測定することが目的なので、加重和のオペレーションは、
【数１０】
0006777342.tif 000013
として規定され得る。
【数１１】
0006777342.tif 000014
であるとき、ＭＵ及びセル間干渉が結果として生じ得る。Ｐｃが同一である場合、各々は２である（例えば、ＵＥは、ＩＭのＮＺＰ  ＣＳＩ−ＲＳでの干渉エネルギーを平均化できる）。代替的に、ＩＭＲがリソース＃０もカバーし、ＵＥがリソースでのＩｉｎｔｅｒを取得できる場合、ＵＥはＩＭの全ての３つのＮＺＰ  ＣＳＩ−ＲＳで加重和を実行でき、
【数１２】
0006777342.tif 000015
である場合、非偏向のＩＭを取得できる。Ｐｃが同一である場合、各々は３である（例えば、ＵＥは、ＩＭのＮＺＰでの干渉エネルギーを平均化し得る）。特定の実施形態において、Ｐｃは、電力増幅について上述した再使用要素である。
【０２５１】
ＩＭのＮＺＰ  ＣＳＩ−ＲＳの総数、ＮＺＰ  ＣＳＩ−ＲＳポート、及び、ＣＤＭ要素などの様々な要素を考慮すると、各層は、＃ｐｏｒｔｓ／ＣＤＭに電力増幅され得て、ここで、＃ｐｏｒｔｓは全てのＩＭ  ＮＺＰ  ＣＳＩ−ＲＳであり、ＣＤＭは層である。各ＮＺＰ  ＣＳＩ−ＲＳについて、ＣＤＭは同一であり、従って、電力増幅又はＰｃは、そのＮＺＰ  ＣＳＩ−ＲＳの全ての層で同一である。ＵＥは、各干渉層が、＃ｐｏｒｔｓ／ＣＤＭの要素に従って電力増幅されると想定し得る。ＵＥは、全てのそのようなＲＥに対して平均化オペレーションを実行し得る。異なる値が受信される場合、ＵＥは上書き／無視し得る。追加的又は代替的に、電力増幅値が＃ｐｏｒｔｓ／ＣＤＭと同一である場合、ＵＥは、平均化を実行し得る。上の説明から、ｇＮＢが、各ＮＺＰ  ＣＳＩ−ＲＳ干渉リソースで正確なｐｏｗｅｒＣｏｎｔｒｏｌＯｆｆｓｅｔを構成するとき、ＵＥは、干渉電力を正確に推定し得る。各ＮＺＰ  ＣＳＩ−ＲＳリソースについての構成されたｐｏｗｅｒＣｏｎｔｒｏｌＯｆｆｓｅｔのいくつかの制限は適切であり得る。
【０２５２】
別の代替形態は、セル間干渉問題の二重カウントを解消するべく追加のＺＰ  ＣＳＩ−ＲＳリソースを導入することである。例えば、セル間干渉の電力は、ＺＰ  ＣＳＩ−ＲＳで推定され得て、｜Ｉｉｎｔｅｒ｜２として示され、合計ＭＵ及びセル間干渉は
【数１３】
0006777342.tif 000016
として取得され得る。この例において、ｐｏｗｅｒＣｏｎｔｒｏｌＯｆｆｓｅｔには制限が無い。しかしながら、この例は、ＺＰ  ＣＳＩ−ＲＳの追加のリソースを使用し、ＺＰ  ＣＳＩ−ＲＳリソースは、ｇＮＢの間で慎重に協調され得て、その結果、手法は、ＵＥの意図された干渉状況を正確に捕捉し得る。特定の実施形態において、追加のＺＰ  ＣＳＩ−ＲＳリソースは使用されないが、ＣＭＲはまた、ＩＭＲとして指定され、ＵＥは、リソースでのＩｉｎｔｅｒを取得できる。
【０２５３】
ＮＺＰ  ＣＳＩ−ＲＳリソースの組がセルの間で揃えられるとき、非偏向セル間干渉測定ｐｏｗｅｒＣｏｎｔｒｏｌＯｆｆｓｅｔの取得は、必ずしも、ＭＵ干渉のリソースで構成又は使用される、又は、ｇＮＢ実装に残されるとは限らないことがあり得る。全てのＮＺＰ  ＣＳＩ−ＲＳリソースの干渉の加重和は、ＭＵ及びセル間干渉を正確に反映し得る。
【０２５４】
サービングセルにおけるＮＺＰ  ＣＳＩ−ＲＳリソースの組が、近隣セルのＰＤＳＣＨと衝突することが想定されるとき、適切なｐｏｗｅｒＣｏｎｔｒｏｌＯｆｆｓｅｔは、ＭＵ干渉を伴う各ＮＺＰ  ＣＳＩ−ＲＳリソースのために構成され得る。次に、全ての干渉リソースでの干渉の加重和は、ＭＵ、及び、セル間干渉のゆっくり変動する部分を反映し得る。特定の実施形態において、ＩＭのＮＺＰ  ＣＳＩ−ＲＳリソースを構成するとき、Ｐｃ  ｐｏｗｅｒＣｏｎｔｒｏｌＯｆｆｓｅｔが指定され、かつ、ＰｃがＮＺＰ  ＣＳＩ−ＲＳ電力をＰＤＳＣＨレベルに増幅させるために選択される場合、スクランブルＩＤ、層／ポート、又は、ＣＤＭ情報は、指定される必要が無いことがあり得る。言い換えれば、Ｐｃは、ＣＤＭ及び層／ポートについての情報を合計する。Ｐｃは、ＮＺＰ  ＣＳＩ−ＲＳリソースセットにおける各ＮＺＰ  ＣＳＩ−ＲＳリソースについて構成され得る。異なるリソースセットでは再使用要素が異なり得るので、異なるＮＺＰ  ＣＳＩ−ＲＳリソースセットにおける同一のＮＺＰ  ＣＳＩ−ＲＳリソースについて、Ｐｃは異なり得る。すなわち、Ｐｃは、ＮＺＰ  ＣＳＩ−ＲＳリソースセットに固有であり得るが、ＮＺＰ  ＣＳＩ−ＲＳリソースに固有ではないことがあり得る。追加のＮＺＰ  ＣＳＩ−ＲＳ信号情報が構成／指示される場合（例えば、スクランブルＩＤ、層／ポート又はＣＤＭ情報）、追加のＮＺＰ  ＣＳＩ−ＲＳ信号情報は、各ＮＺＰ  ＣＳＩ−ＲＳリソースについて指定され得る。すなわち、追加のＮＺＰ  ＣＳＩ−ＲＳ信号情報は、ＮＺＰ  ＣＳＩ−ＲＳリソース固有であり得る。
【０２５５】
ＮＺＰ  ＣＳＩ−ＲＳリソースがチャネル及び干渉測定の両方について構成されるとき、ＵＥは、サービング信号の割引き後、残りの信号が、部分的に又は完全に干渉するであろうと想定する。
【０２５６】
ＩＭに構成された各ＮＺＰ  ＣＳＩ−ＲＳリソースについて、ＵＥは、抽出された干渉ポートの合計又は加重和が、このリソースでの干渉を反映するであろうと想定する。
【０２５７】
ＵＥは、干渉測定の全てのリソースでの干渉推定の加重和を想定する。ＮＺＰ  ＣＳＩ−ＲＳ  Ｐｃに関連するスケーリング要素が想定され得る。
【０２５８】
ＣＳＩ要求フィールドは、チャネル及び／又は干渉測定についての非周期ＣＳＩ−ＲＳリソースセットをトリガし得る。これらのＣＳＩ−ＲＳリソースセットのうちのどのリソースセットがチャネル測定のためであり、どれが干渉測定のためであるかを指示することが望ましいことがあり得る。以下は、これをアドレス指定するための、２つの例示的なオプションである。
【０２５９】
オプション１：ＣＳＩ要求フィールドの各トリガ状態は、｛ＣＳＩレポート設定、チャネルのＣＳＩ−ＲＳリソースセット、干渉のＣＳＩ−ＲＳリソースセット｝の組み合わせを反映し得る。
【０２６０】
オプション２：ＣＳＩ要求フィールドの各トリガ状態は、ＣＳＩレポート設定を指示し得て、このＣＳＩレポート設定は、ＣＳＩ−ＲＳリソースセットに関連する。ＤＣＩにおける追加のビットフィールドは更に、チャネルのリソースセット及び干渉のリソースセットを選択し得る。
【０２６１】
両方のオプションは、ＮＺＰ  ＣＳＩ−ＲＳベースの干渉測定をサポートし得る。オプション２は、チャネル又は干渉測定のＣＳＩ−ＲＳリソースの選択について、更なる柔軟性を提供し得る。オプション１は、十分なトリガ状態がＣＳＩ要求フィールドにおいてサポートされるとき、同一の柔軟性を実現し得る。しかしながら、ＲＲＣシグナリングは、各測定仮定及びレポート設定に対応する各状態を構成し得る。コンポーネントキャリアをトリガ状態にするとき、ＲＲＣシグナリングオーバヘッド及び構成の複雑性が考慮され得る。故に、ＣＳＩ要求フィールドに隣接する場所で（又はそれに関して別の好適な場所における）、チャネル測定のためのリソースセット、及び、干渉測定のためのリソースセットを更に選択するための、ＤＣＩにおける追加のビットフィールドが導入され得る。
【０２６２】
いくつかの実施形態において、ＣＭ／ＩＭの全てのＮＺＰリソースには同一のスクランブルＩＤが割り当てられ、これは、ＵＥ受信オペレーションを簡略化し得る。ＮＺＰ  ＣＳＩ−ＲＳリソースセットには、同一のスクランブルＩＤが割り当てられ得る。特定の実施形態において、全てのリソースはＩＭに使用され、いくつかの層及び／又はいくつかのリソースはＣＭに使用される。異なるＵＥは、ＭＵモードでペアリングされる場合、同一のスクランブルＩＤを共有する。近隣における複数のＴＲＰは、プローブリソースでの同一のスクランブルＩＤを共有し得る。
【０２６３】
ＣＳＩレポート設定は、ＤＣＩを介してトリガされ得る。ＣＳＩレポートトリガがＣＳＩ−ＲＳリソーストリガと共に共同で指示される場合、ＤＣＩにおけるＩＥは、ＣＳＩ−ＲＳリソース及びＣＳＩレポート設定の両方を指示し得る。さもなければ、２つの別個のＩＥが使用され得る。ｇＮＢ側でのＣＳＩ受信遅延を保存するべく複数のＣＳＩにレポートするように、ＣＳＩレポート設定の数は、１つより多いことがあり得る。一実施形態において、ＤＣＩはＣＳＩ−ＲＳリソースセットをトリガし得る。この組は、ＩＭに使用され得て、追加のＤＣＩビットは、ＣＭの組のサブセットを指示する。故に、特定の実施形態において、ＣＭＲは、ＩＭＲのサブセットであり得る。別の実施形態において、ＤＣＩは、ＣＳＩ−ＲＳリソースセットをトリガし得る。この組は、ＣＭ及び／又はＩＭに使用され得て、追加のＤＣＩビットは、ＣＭの組のサブセットを指示し、追加のＤＣＩビットは、ＩＭの組のサブセットを指示する。別の実施形態において、ＤＣＩは、ＣＳＩ−ＲＳリソースセットをトリガし得る。この組は、ＣＭに使用され得て、追加のＤＣＩビットは、ＩＭＲとしてＺＰ／ＮＺＰ  ＣＳＩ−ＲＳリソースを指示する。この開示は、特定の実装に係る、任意の好適な方式で実行されるＣＭＲ／ＩＭＲ／ＣＱＩ測定／レポート／レートマッチングのための構成及びインジケーションを予期する。
【０２６４】
上述の特定の実施形態は、ＲＥでの、又は、ＣＭ及び／又はＩＭのためのＲＥでのＮＺＰ  ＣＳＩ−ＲＳ信号に関連するエネルギー／電力を指す。このエネルギー／電力は、リソースエレメントあたりのエネルギー（ＥＰＲＥ）と称され得る。ダウンリンク電力制御は、ＥＰＲＥを決定し得る。ＲＥエネルギーという用語は、サイクリックプレフィックス挿入前のエネルギーを示す。ＲＥエネルギーという用語はまた、適用される変調スキームについて、全てのコンスタレーションポイントで取られた平均エネルギーを示す。アップリンク電力制御は、物理チャネルが送信されるＳＣ−ＦＤＭＡシンボルでの平均電力を決定する。
【０２６５】
ＲＳＲＰ及びＲＳＲＱ測定の目的で、ＵＥは、異なるセル固有ＲＳ電力情報が受信されるまで、ダウンリンクセル固有ＲＳ  ＥＰＲＥがダウンリンクシステム帯域幅で一定であり、検出信号送信を伴う全てのサブフレームで一定であると想定し得る。
【０２６６】
ライセンスドアシステッドアクセス（ＬＡＡ）スモールセル（Ｓｃｅｌｌ）ではないセルについて、ＵＥは、異なるセル固有ＲＳ電力情報が受信されるまで、ダウンリンクセル固有ＲＳ  ＥＰＲＥがダウンリンクシステム帯域幅で一定であり、全てのサブフレームで一定であると想定し得る。
【０２６７】
より上位層によって提供されるパラメータｒｅｆｅｒｅｎｃｅＳｉｇｎａｌＰｏｗｅｒによって与えられるダウンリンクセル固有基準信号ＥＰＲＥは、ダウンリンク基準信号送信電力から導出され得る。ダウンリンク基準信号送信電力は、オペレーティングシステム帯域幅においてセル固有基準信号を搬送する全てのＲＥの電力寄与（Ｗ）のリニア平均として規定される。
【０２６８】
ＬＡＡ  ＳＣｅｌｌについて、ＵＥは、サブフレームｎ−１の少なくとも第２スロットの全てのＯＦＤＭシンボルが占有される場合、サブフレームｎにおけるダウンリンクセル固有ＲＳのＥＰＲＥは、サブフレームｎ−１におけるダウンリンクセル固有ＲＳのＥＰＲＥと同一であると想定する。
【０２６９】
各ＯＦＤＭシンボルについての、ＰＤＳＣＨ  ＲＥのうちのＰＤＳＣＨ  ＥＰＲＥとセル固有ＲＳ  ＥＰＲＥとの比（ゼロＥＰＲＥのＰＤＳＣＨ  ＲＥには適用可能でない）は、以下の表２及び表３によって与えられるＯＦＤＭシンボルインデックスに従って、ρＡ又はρＢのいずれかによって示される。
【表３】
0006777342.tif 000017
表２：対応するＰＤＳＣＨ  ＥＰＲＥとセル固有ＲＳ  ＥＰＲＥとの比がρＡ又はρＢによって示される、非ＭＢＳＦＮサブフレームのスロットにおけるＯＦＤＭシンボルインデックス
【表４】
0006777342.tif 000018
表３：対応するＰＤＳＣＨ  ＥＰＲＥとセル固有ＲＳ  ＥＰＲＥとの比がρＡ又はρＢによって示される、ＭＢＳＦＮサブフレームのスロットにおけるＯＦＤＭシンボルインデックス
加えて、ρＡ及びρＢはＵＥ固有である。
【０２７０】
チャネル及び干渉測定の時間領域における測定制限の実施形態が提供される。様々なＮＲ状況における豊富なチャネル状態のフィットの柔軟性を考慮して、構成可能スロットの数による測定制限をＮＲにおいて考慮できる。更に、ビームフォーマーの変化は、例えば、ＴＲＰがビームインジケータ（例えば、ＣＲＩ）又はＵＥによってレポートされる同様のものに従って新しいビームを適用することなど、特定のイベントに関連し得る。他のイベントは、測定及び／又はリソースのＲＲＣ再構成を含む。そのようなイベントが生じるとき、ＵＥがイベントの前及び後の測定を平均化するのではなく、チャネル測定をリセットすることが適切であり得る。故に、関連イベントに起因する時間領域チャネル測定リセットがサポートされ得る。
【０２７１】
時間領域チャネル測定制限についての上述と同様の理由から、時間領域チャネル測定制限の可能な構成と揃えるべく、構成可能な数のスロットによる干渉測定制限は、ＮＲにおいて考慮できる。
【０２７２】
故に、特定の実施形態において、構成可能な数のスロットが、ＣＲＩ及び／又は測定／リソース構成における変化に起因する、時間領域チャネル／干渉測定制限及び時間領域測定リセットのためにサポートされる。いくつかの状況において、スロット値範囲は、少なくとも｛１スロット、非制限スロット数｝を含み得る。｛１，ｎ，２ｎ，３ｎ，...，非制限スロット数｝など、スロット数の線形的増加がサポートされ得て、ここで、ｎ＝５又は１０である。２ビットでは｛１，２，４，...，非制限スロット数｝、又は、３ビットでは｛１，２，４，８，１６，３２，６４，...，非制限スロット数｝など、スロット数の非線形的な増加がサポートされ得る。ここでのスロットの数は、測定リソースを有するスロットの数であり、測定リソース無しのスロットを除外することに留意されたい。
【０２７３】
一方、複数のサービスが全体の周波数帯の異なる部分に存在する状況において、周波数領域チャネル測定制限が考慮され得る。帯域幅全体でのチャネル測定が可能であるが、特定のサービスが、ＵＥについて、１又はいくつかの帯域幅部分を測定することが適切であり得る。これに関して、周波数領域におけるチャネル測定の制限は有益であり得る。
【０２７４】
複数の帯域幅部分は、ＵＥに構成され得て、各帯域幅部分は、関連サービスをサポートするために特定の数（ｎｕｍｅｒｏｌｏｇｙ）に対応する。複数の帯域幅部分のうち少なくとも１つがアクティブ化され得て、一方、一斉にアクティブ化された異なる数の複数の帯域幅部分も考慮され得る。帯域幅部分構成のこの柔軟性により、周波数領域チャネル測定制限は、部分的帯域幅測定に適用可能であり得る（例えば、全帯域幅のうち１又は複数の帯域幅部分に測定が制限される）。
【０２７５】
特定の実施形態は、帯域幅部分における更なる測定制限を予期する。例えば、ビーム管理において、ＵＥグループ固有のＣＳＩ−ＲＳは、リンクの全体のバンド又は特定のサブバンドをカバーし得る。ＵＥ固有ＣＳＩ−ＲＳは、例えば正確なビーム情報及び／又はＣＳＩを提供し、また、他のＦＤＭ−ｅｄ送信への影響を回避するべく、周波数リソースにおいて、特定のＵＥに割り当てられ得る。これに関して、帯域幅部分より小さいＣＳＩ−ＲＳ帯域幅が考慮され得て、従って、帯域幅部分における、ＣＳＩ−ＲＳ構成帯域幅での周波数領域チャネル測定制限が適切であり得る。
【０２７６】
ＣＳＩ−ＲＳは、ＵＥの帯域幅部分より小さい帯域幅で構成され得る。このように、チャネル測定リソース及び干渉測定リソースは、帯域幅部分に等しい、又は、より小さいことがあり得るこれらのそれぞれの帯域幅で構成できる。導出されたＣＳＩでは、ＮＺＰ  ＣＳＩ−ＲＳ  ＩＭＲ帯域幅は、ＮＺＰ  ＣＳＩ−ＲＳ  ＣＭＲの帯域幅と同一であり得る。さもなければ、例えば帯域幅部分２のＮＺＰ  ＣＳＩ−ＲＳ  ＩＭＲではなく、帯域幅部分１において構成されたＮＺＰ  ＣＳＩ−ＲＳ  ＣＭＲに基づいてＣＱＩを計算することは合理的でないことがあり得る。従って、特定の実施形態において、ＵＥは、帯域幅がチャネル測定リソースの帯域幅と同一でない干渉測定のためのＮＺＰ  ＣＳＩ−ＲＳリソースを受信することを予測しないことがあり得る。
【０２７７】
ＣＳＩ−ＲＳ帯域幅を介した測定制限のシグナリングに関して、様々な技法が実行され得る。例えば、ＲＢＧの粒度で、ビットマップが使用され得る。ビットマップの長さは、ＲＢＧ／ＣＳＩ−ＲＳ帯域幅、及び、対応するＲＢＧサイズに依存する。連続的ＣＳＩ−ＲＳ帯域幅について、帯域幅の開始位置及び長さは、例えばＲＢの粒度に基づいてＵＥに構成できる。
【０２７８】
構成可能な数のサブバンドにおけるＣＳＩ−ＲＳリソースでのチャネル及び干渉測定制限がサポートされ得て、ＣＳＩ−ＲＳリソースが、帯域幅部分より小さい構成された帯域幅を有する場合、チャネル及び干渉測定は、構成された帯域幅におけるＣＳＩ−ＲＳリソースに制限され得る。
【０２７９】
特定の実施形態において、ＵＥは、シグナリングが発見された場合、ＣＳＩレポートの専用シグナリングによって指示されるＲＳ（ＣＲＳ、ＣＳＩ−ＲＳを含む）リソースで、さもなければＣＲＳで、ＣＳＩレポートのためのチャネル／信号／ＲＲＭ／ＲＬＭ測定を実行すると想定され得る。更に、信号／チャネル測定リソースを制限するためにリソース制限測定サブセットがシグナリングされる場合（しかしながら、３ＧＰＰでは概して、リソース制限測定は、信号／チャネル測定リソースを制限することでなく、干渉測定リソースを制限するためであることに留意されたい）、ＵＥは、指示されたサブセットにおけるその信号／チャネル測定を更に制限することが想定される。実施形態において、ｅＮＢ（又は他のネットワークノード）は、ＵＥに３つのＮＺＰ  ＣＳＩ−ＲＳリソースを構成し得て、ＮＺＰ  ＣＳＩ−ＲＳリソースには、信号測定のためのＣＱＩレポートが割り当てられないことがあり得る（場合によっては干渉測定も無い）。ような場合、ＵＥは、特にｅＮＢ（又は他のネットワークノード）によってシグナリングされない限り、チャネル／信号／ＲＲＭ／ＲＬＭ測定を（干渉測定も）このリソースで実行しないと想定される。例えば、ＵＥがＰＤＳＣＨを受信及び復調／復号するとき、ＵＥは、ＮＺＰ  ＣＳＩ−ＲＳリソースとして指示されるが任意のＣＱＩにリンクされていないＲＥのレートマッチング及び／又は破棄を実行することが想定される。それらのＲＥにおいて、ｅＮＢ（又は他のネットワークノード）は、シグナリングされたＣＳＩ−ＲＳ内容に限定されない信号を送信することを決定できるが、ブランク化を選択し得る（例えば、その結果、別のポイント／セルからのＣＳＩ−ＲＳリソースは、このポイント／セルからの干渉無しで送信し得る）、又は、特殊な信号を送信することを選択し得る（例えば、その結果、別のポイント／セルからのＣＳＩ−ＲＳリソースは、このポイント／セルからの望ましい干渉を認識し得て、ＵＥは望ましい干渉測定を実行できる）。
【０２８０】
例えば、ＨｅｔＮｅｔ強化型セル間干渉制御（ｅＩＣＩＣ）において、ピコＵＥは、ＣＳＩ−ＲＳリソースでの測定に基づいて、マクロミュートを有するＣＱＩ、及び、マクロ干渉を有するＣＱＩをレポートすることを試行し得る。特定の実施形態において、ＵＥがマクロミュートに関連するＣＳＩ−ＲＳリソースでの干渉を測定するとき、マクロは、概ブランクサブフレームにある必要が無い。しかしながら、マクロが対応するＲＥでブランク化し、任意のＣＱＩレポートにリンクされていないＮＺＰ  ＣＳＩ−ＲＳリソースとしてこれらのＲＥをマークすることを選択することが適切であり得て、その結果、マクロＵＥはこれらのＲＥでレートマッチングし得る。同様に、ＵＥがマクロ干渉に関連するＣＳＩ−ＲＳリソースで干渉を測定するとき、マクロは、非概ブランクサブフレームにある必要は無い。しかしながら、マクロは、対応するＲＥでの任意の選択された信号送信し得て、任意のＣＱＩレポートにリンクされていないＮＺＰ  ＣＳＩ−ＲＳリソースとして、これらのＲＥをマークすることを選択でき、その結果、マクロＵＥはこれらのＲＥでレートマッチングし得る。
【０２８１】
同様に、超強化型セル間干渉制御（ＦｅＩＣＩＣ）において、低減された電力のマクロ干渉に関連するＣＳＩ−ＲＳリソースでの干渉をピコＵＥが測定するとき、マクロは、概ブランクサブフレームにある必要は無いが、対応するＲＥで低減された電力で送信し得る。マクロは、任意のＣＱＩレポートにリンクされていないＮＺＰ  ＣＳＩ−ＲＳリソースとして、これらのＲＥをマークすることを選択でき、その結果、マクロＵＥは、これらのＲＥでレートマッチングし得る。同様に、協調ビームブランク化（ＣＢＢ）又は他の半静的構成干渉協調スキームにおいて、空間／ビームフォーミング／ビームブランク化パターンを伴うマクロ干渉に関連するＣＳＩ−ＲＳリソースでの干渉をＵＥが測定するとき、マクロは、パターンに従ってＰＤＳＣＨを送信する必要が無い。しかしながら、マクロは、対応するＲＥでのパターンに従って送信し得て、任意のＣＱＩレポートにリンクされないＮＺＰ  ＣＳＩ−ＲＳリソースとして、これらのＲＥをマークすることを選択でき、その結果、マクロＵＥは、これらのＲＥでレートマッチングし得る。言い換えれば、任意のＣＱＩレポートにリンクされていないＮＺＰ  ＣＳＩ−ＲＳリソースを構成することはｅＮＢが、ｅＮＢのＵＥのオペレーションに影響することなく、これらのＲＥでの望ましい干渉を「エミュレート」又は「模擬」することを可能にし得る。任意のＣＱＩレポートにリンクされていないＮＺＰ  ＣＳＩ−ＲＳリソースを構成することはまた、ｅＮＢが、後方互換性がないことがあり得るそれらのＲＥでのオペレーションを実行することを可能にし得る。言い換えれば、ＣＱＩレポートに使用されないＵＥへ非ゼロ電力ＣＳＩ−ＲＳリソースをシグナリングすることは、ネットワークが、ＵＥの挙動に影響することなく、ＲＥミュート又は干渉エミュレーション又は非互換性送信を透過的に実行するための方式である。以下で説明するように、それを行う別の方式は、ＣＱＩレポートに使用されないＵＥへＺＰ  ＣＳＩ−ＲＳリソースをシグナリングすることでわる。この目的でＮＺＰ  ＣＳＩ−ＲＳリソースを使用することの考えられる利点は、（例えば、周期、サブフレームオフセット、アンテナポートの数の観点で）ＮＺＰ  ＣＳＩ−ＲＳリソースが、ＺＰ  ＣＳＩ−ＲＳリソースより柔軟に構成できることであるが、より高いシグナリングオーバヘッドを伴い得る。
【０２８２】
特定の実施形態において、ＵＥは、（シグナリングされる場合、各リソース制限測定サブセットにおける）ＣＳＩレポートのチャネル／信号測定のシグナリングＣＳＩ−ＲＳリソースが、１つのチャネル／信号条件に対応すると想定し得る。チャネル／信号測定のためにＵＥへシグナリングされるＣＳＩ−ＲＳリソースは、明示的又は暗示的に、固有のＣＳＩ−ＲＳインデックスに関連し得る。例えば、ＣＲＳリソースは、０として暗示的にインデックス化され得る。いくつかの実施形態において、ｅＮＢ（又はネットワークエレメント）は、ＮＺＰ  ＣＳＩ−ＲＳリソースがゼロ（無し）、１、又は、より大きいＰｃ値に構成されることを可能にする。上述のように、ＵＥがＣＳＩフィードバックを導出するとき、Ｐｃは、ＰＤＳＣＨ  ＥＰＲＥと、ＣＳＩ−ＲＳ  ＥＰＲＥとの想定比率であり得る。特定の実施形態において、Ｐｃは、ステップサイズが１ｄＢである−８〜１５ｄＢの範囲の値をとり、ここで、ＰＤＳＣＨ  ＥＰＲＥは、ＴＳ３６．２１３の表５．２−２及び表５．２−３において指定されるように、ＰＤＳＣＨ  ＥＰＲＥとセル固有ＲＳ  ＥＰＲＥとの比がρＡによって示されるシンボルに対応する。言い換えれば、Ｐｃ値は、関連ＣＱＩレポートを計算するためにＵＥによって使用され得て、ＣＱＩフィードバック値が共通チャネル／信号／干渉測定リソースに基づく場合でも、異なるＰｃ値は、異なるＣＱＩフィードバック値をもたらす。
【０２８３】
複数のＣＱＩレポートの可能性があるが、同一のＮＺＰ  ＣＳＩ−ＲＳリソースがＣＱＩレポートの信号／チャネル測定に構成されるとき、１より多くのＰｃ値が同一のＮＺＰ  ＣＳＩ−ＲＳリソースに構成されることを可能にすることは、ＵＥが、ＣＱＩレポート特定Ｐｃ値を有する各ＣＱＩレポートを計算することを可能にし得る。１又は複数のＰｃ値がＮＺＰ  ＣＳＩ−ＲＳリソースに関連付けられることを可能にする、別の考えられる利点は、このリソースが、リソース制限測定のための２つの異なるＣＱＩレポートを生成するのに使用され得る、すなわち、各ＣＱＩレポートがＰｃ値に関連付けられ得ることである。Ｐｃ値がＮＺＰ  ＣＳＩ−ＲＳリソースに構成されない場合、ＵＥは、ＣＳＩ−ＲＳ  ＲＥでレートマッチングを実行することが想定され得る。ＣＳＩ−ＲＳ  ＲＥでレートマッチングを実行するためにＵＥをシグナリングする他の方式は、そのように指示するためのビットなどで、又は、ＣＱＩレポートをこのＣＳＩ−ＲＳリソースにリンクしないことによって使用され得る。
【０２８４】
干渉測定に関して、３ＧＰＰにおいて、干渉測定リソースのためにＮＺＰ  ＣＳＩ−ＲＳリソース又はＺＰ  ＣＳＩ−ＲＳリソースのいずれか又は両方を使用することが提案された。ＺＰ  ＣＳＩ−ＲＳリソースが干渉測定に使用される場合、各干渉測定リソースは、ＺＰ  ＣＳＩ−ＲＳリソースにおける４個のＲＥリソースであり、ＺＰ  ＣＳＩ−ＲＳリソースの１６ビットビットマップの１つのビットに関連することが、概して提案された。そのような４個のＲＥ測定リソースユニットは、干渉測定リソース（ＩＭＲ）、又は、チャネル状態情報干渉測定（ＣＳＩ−ＩＭ）リソース、又は、干渉測定のためのＺＰ  ＣＳＩ−ＲＳリソースと称され得る。実施形態において、ｅＮＢ（又は他のネットワークノード）は、ゼロ、１、又は複数のＮＺＰ  ＣＳＩ−ＲＳリソース、及び／又は、専用シグナリングによるＣＳＩフィードバックのために、ゼロ、１、又は複数のＺＰ  ＣＳＩ−ＲＳリソースが干渉測定のためのＵＥに構成されることを可能にできる。実施形態において、干渉測定のためのＵＥのＮＺＰ  ＣＳＩ−ＲＳリソース及び／又はＺＰ  ＣＳＩ−ＲＳリソースの総数は、専用シグナリングによって構成される。実施形態において、干渉測定のためのＵＥのＺＰ  ＣＳＩ−ＲＳリソースの総数は、専用シグナリングによって構成される。実施形態において、ＵＥのＺＰ  ＣＳＩ−ＲＳリソースの総数（干渉測定の目的に限定されるものではない）は専用シグナリングによって構成される。任意のそのような総数の最大は、規格の仕様において予め規定され得る、又は、以下のように指定され得る。
【０２８５】
別の実施形態において、干渉測定のためのＵＥのＮＺＰ  ＣＳＩ−ＲＳリソース及び／又はＺＰ  ＣＳＩ−ＲＳリソースの最大数は、規格の仕様、例えば、２、３、４又はより多くの数で予め規定される。ｅＮＢ／ＭＭＥ／ＣｏＭＰセットコントローラは更に、専用シグナリングを介して実際の最大数を限定し得る。例えば、規格の仕様は、最大数を４として予め規定し得るが、ＣｏＭＰセットコントローラは、ＣｏＭＰセットコントローラによって制御されるｅＮＢ（又は他のネットワークノード）に、実際の最大数が２であるとシグナリングし得る。ｅＮＢ（又は他のネットワークノード）は、専用シグナリングを介してＵＥに通知する。別の実施形態において、干渉測定のためのＵＥのＮＺＰ  ＣＳＩ−ＲＳリソース及び／又はＺＰ  ＣＳＩ−ＲＳリソースの最大数に対する限定が指定／シグナリングされない。しかしながら、干渉測定のためのＵＥのＮＺＰ  ＣＳＩ−ＲＳリソース及びＺＰ  ＣＳＩ−ＲＳリソースの実際の最大数は実際には、例えば、ＵＥのＣＳＩ−ＲＳリソースの総数によって限定され得る。
【０２８６】
実施形態において、ＵＥのＮＺＰ  ＣＳＩ−ＲＳリソース及び／又はＺＰ  ＣＳＩ−ＲＳリソースの総数は、専用シグナリングによって構成される。別の実施形態において、ＵＥのＮＺＰ  ＣＳＩ−ＲＳリソース及び／又はＺＰ  ＣＳＩ−ＲＳリソースの最大数は、規格の仕様、例えば、２、３、４又はより多くの数で予め規定される。ｅＮＢ／ＭＭＥ／ＣｏＭＰセットコントローラは更に、専用シグナリングを介して実際の最大数を限定し得る。例えば、規格の仕様は、最大数を４として予め規定し得るが、ＣｏＭＰセットコントローラは、ＣｏＭＰセットコントローラによって制御されるｅＮＢ（又は他のネットワークノード）に、実際の最大数が２であるとシグナリングし得る。ｅＮＢ（又は他のネットワークノード）は、専用シグナリングを介してＵＥに通知する。別の実施形態において、ＵＥのＮＺＰ  ＣＳＩ−ＲＳリソース及び／又はＺＰ  ＣＳＩ−ＲＳリソースの最大数に対する限定が指定／シグナリングされない。
【０２８７】
上述のように、いくつかの実施形態において、干渉測定のためのＺＰ  ＣＳＩ−ＲＳリソースの数の構成が、（干渉測定及び／又はＲＥミュート及び／又は他の目的に使用され得る）ＺＰ  ＣＳＩ−ＲＳリソースの数の構成に無関係であることは許容され得る。これは、干渉測定のためにＺＰ  ＣＳＩ−ＲＳリソースを、及び、干渉測定に限定されない目的でＺＰ  ＣＳＩ−ＲＳリソースを構成する、より大きな柔軟性を提供し得るので、有益であり得る。しかしながら、これは、干渉測定のためのＺＰ  ＣＳＩ−ＲＳリソース、及び、ＺＰ  ＣＳＩ−ＲＳリソースの別個のシグナリングを示唆し得る。
【０２８８】
いくつかの実施形態において、ｅＮＢ（又は他のネットワークノード）は、ＵＥのためのＣＳＩレポートが、専用シグナリングによる干渉測定のために、ゼロ、１、又は、より多くのＮＺＰ  ＣＳＩ−ＲＳリソース、及び／又は、ゼロ、１、又は、より多くのＺＰ  ＣＳＩ−ＲＳリソースで構成されることを可能にできる。ＵＥへの専用シグナリングによって、ＣＳＩレポートのための干渉測定に構成されるＣＳＩ−ＲＳリソースが無い又はゼロである場合、ＵＥは、ＣＲＳに基づくＣＳＩレポートのために干渉測定を実行することが想定される。
【０２８９】
実施形態において、干渉測定を構成するためのＵＥへの専用シグナリングは、ＣＳＩ−ＲＳ構成と共にシグナリングできる。例えば、ＣＳＩ−ＲＳ構成において、干渉測定のためにこのＣＳＩ−ＲＳリソースがどのＣＱＩレポートに使用されるかを指示するためにフィールドが追加され得る。ＣＱＩレポートは、別個のシグナリングにおいて構成され得て、インデックス化され得て、インジケーションは、ＣＱＩレポートのインデックスに基づき得る。しかしながら、ＣＳＩ−ＲＳリソースが変更／追加／除去されるとき、ＣＱＩレポートを再構成することが適切であり得る。ＣＱＩレポートが再構成／追加／削除されるとき、いくつかのＣＱＩ構成情報がＣＳＩ−ＲＳ構成と共にシグナリングされるので、ＣＳＩ−ＲＳ構成を再シグナリングすることが適切であり得る。
【０２９０】
実施形態において、干渉測定を構成するためのＵＥへの専用シグナリングは、ＣＱＩレポート構成と共にシグナリングできる。例えば、このＣＱＩレポートの干渉測定のためにどの（ＺＰ又はＮＺＰ）ＣＳＩ−ＲＳリソースが使用されるかを指示するべく、ＣＱＩレポート構成において、フィールドが追加され得る。干渉測定に使用されるＣＳＩ−ＲＳリソースは、別個のシグナリングにおいて構成され得て、インデックス化され得て、インジケーションは、リソースのインデックスに基づき得る。この場合、ＣＱＩレポートが再構成／追加／削除される場合、ＣＳＩ−ＲＳ構成を再シグナリングすることが適切であることも、適切でないこともあり得る。実施形態において、ＵＥに干渉測定を構成する専用シグナリングは、ＣＱＩレポートを干渉測定のための関連ＣＳＩ−ＲＳリソースにリンクするビットマップ、又は、干渉測定のためのＣＳＩ−ＲＳリソースを関連ＣＱＩレポートにリンクするビットマップであり得るＣＱＩ／ＣＳＩ−ＲＳ構成シグナリングとは別個にシグナリングされ得る。インジケーションは、リソースのインデックス、及び、ＣＱＩレポートのインデックスに基づき得る。この場合、ＣＱＩレポートが再構成／追加／削除される場合、ＣＳＩ−ＲＳ構成を再シグナリングすることが適切であることも、適切でないこともあり得る。
【０２９１】
更に、ＵＥは、シグナリングが発見された場合、ＣＳＩレポートのための専用シグナリングによって指示されるＲＳ（ＣＲＳ、ＣＳＩ−ＲＳを含む）リソースで、さもなければＣＲＳで、ＣＳＩレポートのための干渉測定を実行することを想定され得る。更に、リソース制限測定サブセットがシグナリングされる場合、ＵＥは、指示されたサブセットにおける干渉測定を更に制限することを想定され得る。実施形態において、ｅＮＢ（又は他のネットワークノード）は、ＵＥのための３つのＣＳＩ−ＲＳリソースを構成し得て、ＣＳＩ−ＲＳリソースは、信号測定のための、干渉測定のためでないＣＱＩレポートを割り当てられないことがあり得る。そのような場合、特にｅＮＢ（又は他のネットワークノード）によってシグナリングされない限り、ＵＥは、このリソースで任意の測定を実行することを想定されない。
【０２９２】
例えば、ＰＤＳＣＨ受信のために、ＵＥは、干渉測定のためのリソースとして指示されるがＣＱＩレポートに関連付けられていないＲＥのレートマッチング及び／又は破棄を実行することが想定され得る。それらのＲＥにおいて、ｅＮＢは、シグナリングされたＣＳＩ−ＲＳ内容に限定されない信号を送信することを決定できるが、ブランク化を選択し得る（例えば、その結果、別のポイント／セルからのＣＳＩ−ＲＳリソースは、このポイント／セルからの干渉無しで送信し得る）、又は、特殊な信号を送信し得る（例えば、その結果、別のポイント／セルからのＣＳＩ−ＲＳリソースは、このポイント／セルからの望ましい干渉を認識し得て、ＵＥは望ましい干渉測定を実行できる）。ＮＺＰ  ＣＳＩ−ＲＳリソースが干渉測定のためのＵＥにシグナリングされる場合、ＵＥはまた、干渉測定を実行するとき、ＵＥがそのＣＳＩ−ＲＳの信号を除去すると想定されるかどうかを専用シグナリングすることによって通知される。この想定は、専用シグナリングにおけるビットを使用して指示され得る。更に、干渉測定のためにＵＥにシグナリングされるＣＳＩ−ＲＳリソースは、明示的又は暗示的な固有のＣＳＩ−ＲＳインデックスに関連し得る。例えば、ＣＲＳリソースは、０として暗示的にインデックス化され得る。
【０２９３】
ＣＳＩ構成及び計算に関して、ｅＮＢ（又は別のネットワークノード）は、１又は複数のＣＱＩレポートが、専用シグナリングによってＵＥに構成され得ることを可能にする。実施形態において、ＵＥのためのＣＱＩレポートの総数は専用シグナリングによって構成される。別の実施形態において、ＵＥのためのＣＱＩレポートの最大数は、例えば、２又は３又は４又はより多くのＵＥのためのＣＱＩレポートなどの規格の仕様において予め規定される。別の実施形態において、ｅＮＢは、限定をＵＥのためのＣＱＩレポートの最大数に明示的に指定しない。いくつかの実施形態において、ｅＮＢ（又は他のネットワークノード）は、ＵＥのためのＣＱＩレポートが、専用シグナリングを介するなどによって、レポート期間、サブフレームオフセット、及び、物理アップリンク制御チャネル（ＰＵＣＣＨ）モードでは周期的になるように、及び／又は、ＰＵＳＣＨモードでは非周期になるように構成されることを可能にし得る。
【０２９４】
複数のＣＱＩレポートが複数のＣＳＩ−ＲＳリソース及び場合によってはＣＲＳリソースに基づいてフィードバックされるとき、例えば、専用シグナリングを介して、ＣＱＩレポートを基準信号に適切にリンクすることは適切であり得る。例えば、ＵＥについて、ｅＮＢ（又は他のネットワークノード）は、ＣＱＩレポートが、リリース１０のようなＣＲＳリソースの信号／チャネル測定、又は、ゼロ、１、又は、複数のＮＺＰ  ＣＳＩ−ＲＳリソースの信号／チャネル測定に基づいて、及び、リリース１０のようなＣＲＳリソースの干渉測定、又は、ゼロ、１、又は、複数のＮＺＰ及び／又はＺＰ  ＣＳＩ−ＲＳリソースの干渉測定に基づいて構成されることを可能にし得る。ＵＥのためのＲＳにＣＱＩをリンクするシグナリングがＣＱＩレポートについて発見されない場合、ＵＥは、ＣＲＳに基づいてＣＱＩレポートを計算することを想定し得る。
【０２９５】
ＩＭのためのＮＺＰ  ＣＳＩ−ＲＳは、ＭＵ−ＭＩＭＯ及び他のアプリケーションのための、プローブ／プリスケジューリング／エミュレーションベースのリンク適合を容易にするための重要なエレメントとして、リリース１５においてサポートされる。１つの問題は、ＩＭのためのＮＺＰ  ＣＳＩ−ＲＳが構成されるときのサブバンド測定想定／挙動である。ここで、サブバンドは、帯域幅及び構成に応じて、４、８、１６又は３２のＰＲＢを含む。しかしながら、ＵＥペアリング及び／又はＮＺＰ  ＣＳＩ−ＲＳランク／プリコーディングは概して、異なるサブバンドでは異なり得る。例えば、各プリコーディングリソースブロックグループ（ＰＲＧ）（例えば、２又は４個のＰＲＢ又はワイドバンドを含む）は、任意の他のＰＲＧとは異なるプリコーディングを有し得る。異なるＵＥペアリング及び／又はＮＺＰ  ＣＳＩ−ＲＳランク／プリコーディングを伴うサブバンドでの平均化は、サブバンドのための任意の意味ある測定結果を生成しないことがあり得る。従って、特定の実施形態において、異なるＵＥペアリング及び／又はＮＺＰ  ＣＳＩ−ＲＳランク／プリコーディングを伴うサブバンドでの平均の計算を禁止することが適切であり得る。
【０２９６】
サブバンドＣＳＩレポートがサポートされるが（例えば、ＴＳ３８．２１４の５．２．１．４を認識）、規格は、サブバンドのプリコーディングでＵＥの想定を規定せず、また、ＵＥサブバンド測定挙動を調節しない。すなわち、ワイドバンド又はサブバンドレポートのいずれかについて、典型的には、ＵＥは第１に、各サブバンドについて測定を生成し、次に、各サブバンドについて、１又は複数の数をレポートすることを導出する（例えば、ＣＱＩ）。第１段階において、サブバンド測定は、規格で指定されない現在のサブバンド又は複数のサブバンドに基づいて生成され得る。故に、それは概して、ＵＥ実装次第であり、いくつかのＵＥ実装では、ＵＥは、いくつかの他のサブバンドを利用して、１つのサブバンドレポートを生成し得て、いくつかのＵＥ実装について、ＵＥは、いくつかの他のサブバンドを利用して１つのサブバンド測定を生成し得て、これは、誤った結果をもたらし得る。以下では、これらの誤った結果を低減又は除去するためのいくつかの可能な実施形態を説明する。
【０２９７】
実施形態において、ＩＭのＮＺＰ  ＣＳＩ−ＲＳが構成され、ＰＭＩ無しのＣＱＩレポートが構成される場合、ＵＥは、ＣＳＩレポートバンドにおける各サブバンドが、任意の他のサブバンドとは異なる、（ＣＭのためのＮＺＰに関連する）信号送信想定、及び、（ＩＭのためのＮＺＰに関連する）干渉送信想定に関連し得ると解釈し得る。結果として、ＵＥは、ＮＺＰ  ＣＳＩ−ＲＳリソースでの信号／干渉を推定するとき、複数のサブバンドで盲目的に処理を実行しない。この実施形態は、その測定オペレーションについて、ＵＥの想定を指定する。
【０２９８】
実施形態において、上の信号送信想定は、ＮＺＰポートプリコーディングのＵＥの想定である。言い換えれば、干渉測定がＮＺＰ  ＣＳＩ−ＲＳで実行される場合、及び、関連するＣＳＩ−ＲｅｐｏｒｔＣｏｎｆｉｇが、「ｃｒｉ−ＲＩ−ＣＱＩ」に設定された上位層のパラメータｒｅｐｏｒｔＱｕａｎｔｉｔｙで構成される場合、ＵＥは、ＣＳＩレポートバンドのサブバンドについて、チャネル測定のために、ＣＳＩレポートバンドの任意の他のサブバンドでのプリコーディングマトリクスとは異なるＮＺＰ  ＣＳＩ−ＲＳリソースのポートを形成するべく、プリコーディングマトリクスが適用されると想定し得る。同様に、ＵＥは、ＣＳＩレポートバンドのサブバンドについて、チャネル測定のために、ＣＳＩレポートバンドの任意の他のサブバンドでのプリコーディングマトリクスとは異なるＮＺＰ  ＣＳＩ−ＲＳリソースのポートを形成するべく、プリコーディングマトリクスが適用されると想定し得る。
【０２９９】
実施形態において、周波数領域粒度は、サブバンドではなく、関連ＤＭＲＳのＰＲＧ、サブバンド数のバンドル（例えば、２、４、又は８）、又は、ネットワークによってシグナリングされる複数のサブバンドである。上位層パラメータｒｅｐｏｒｔＱｕａｎｔｉｔｙが「ｃｒｉ−ＲＩ−ＣＱＩ」に設定されたＣＳＩ−ＲｅｐｏｒｔＣｏｎｆｉｇで構成されたＵＥについて、規格（ＴＳ３８．２１４）は、ランクのＣＱＩを計算するとき、ＵＥは、選択されたＣＳＩ−ＲＳリソースについてそのランクについて指示されたポートを使用するものと指定し、指示されたポートのプリコーダは、アイデンティティマトリクスであると想定されるものとする。これは、この実施形態における想定と矛盾しない。なぜなら、ＮＺＰのポートを形成するために適用されたプリコーディングマトリクスは、必ずしも、ＣＱＩを導出するためにＮＺＰのポートについてＵＥによって想定されるプリコーディングマトリクスではないからである。
【０３００】
実施形態において、ＩＭのＮＺＰ  ＣＳＩ−ＲＳが構成され、ＰＭＩ無しのＣＱＩレポートが構成される場合、ＵＥは、ＣＳＩレポートバンドにおける各サブバンドにおいて、信号送信想定及び干渉送信想定があると解釈し得る。その結果、ＵＥは、ＮＺＰ  ＣＳＩ−ＲＳリソースで信号／干渉を推定するとき、１つのサブバンドにおける処理を実行し得る。この実施形態は、その測定オペレーションについてＵＥの想定を指定する。言い換えれば、ＵＥは、１つのサブバンドにおけるＮＺＰのポートを形成するための共通プリコーディングを想定でき、ＵＥがこのサブバンドでの測定を支援するべく他のサブバンドでのＮＺＰを組み込むことを試行する場合、ＵＥは、これらのサブバンドでの受信されたＮＺＰに基づいて有効を検証する必要がある。複数のサブバンドが、ポートを形成する同一プリコーディングを有するＵＥが推定できる場合、ＵＥは、１つのサブバンドの測定のために、これらのサブバンドで平均化／処理を行うことができ、さもなければ、ＵＥは、サブバンドにおけるＮＺＰに基づいて測定を制限する。上と同様に、周波数領域粒度は、サブバンドと異なり得る。故に、ＵＥが干渉測定のためのＮＺＰ  ＣＳＩ−ＲＳリソース設定で構成され、関連するレポート数がｃｒｉ−ＲＩ−ＣＱＩであるとき、ＵＥは、ＣＳＩレポートバンドのサブバンドにおけるＰＲＢについて、チャネル測定のＮＺＰ  ＣＳＩ−ＲＳリソースのポートを形成するべく、単一のプリコーディングマトリクスが適用され、干渉測定のＮＺＰ  ＣＳＩ−ＲＳリソースのポートを形成するべく、単一のプリコーディングマトリクスが適用されると想定し得る。
【０３０１】
実施形態において、ＩＭのＮＺＰ  ＣＳＩ−ＲＳが構成され、サブバンドＣＱＩレポートが構成される場合、ＵＥは、ＣＳＩレポートバンドにおける各サブバンドが、別のサブバンドとは異なる信号送信想定及び干渉送信想定に関連すると解釈し得る。すなわち、ＵＥが、干渉測定のためのＮＺＰ  ＣＳＩ−ＲＳリソース設定で構成され、ｃｑｉ−ＦｏｒｍａｔＩｎｄｉｃａｔｏｒがｓｕｂｂａｎｄＣＱＩとして構成されるとき、ＵＥは、チャネル測定のためのＮＺＰ  ＣＳＩ−ＲＳリソース、及び、干渉測定のためのＮＺＰ  ＣＳＩ−ＲＳリソースのＣＳＩレポートバンドにおける各サブバンドでの異なるプリコーディングを想定し得る。追加的又は代替的に、ＵＥは、ＣＳＩレポートバンドのサブバンドにおけるＰＲＢについて、チャネル測定のためのＮＺＰ  ＣＳＩ−ＲＳリソースのポートを形成するべく、単一のプリコーディングマトリクスが適用され、干渉測定のためのＮＺＰ  ＣＳＩ−ＲＳリソースのポートを形成するべく、単一のプリコーディングマトリクスが適用されることを想定し得る。上と同様に、周波数領域粒度はサブバンドと異なり得る。
【０３０２】
実施形態において、測定制限構成、又は、ＩＭのためのＮＺＰ  ＣＳＩ−ＲＳ、及び、ＰＭＩ無しのＣＱＩレポートなど、他の構成の組み合わせに従って、（例えば各サブバンドについて）周波数領域における測定を制限するようにＵＥの挙動が指定され得る。サブバンド測定はサブバンドレポート及びワイドバンドレポートに適用可能であることに留意されたい。故に、干渉測定がＮＺＰ  ＣＳＩ−ＲＳで実行される場合、及び、関連するＣＳＩ−ＲｅｐｏｒｔＣｏｎｆｉｇが、「ｃｒｉ−ＲＩ−ＣＱＩ」に設定された上位層パラメータｒｅｐｏｒｔＱｕａｎｔｉｔｙで構成される場合、ＵＥは、チャネル測定のためのＮＺＰ  ＣＳＩ−ＲＳリソース、及び、干渉測定のためのＮＺＰ  ＣＳＩ−ＲＳリソースについて、ＣＳＩレポートバンドの各サブバンドにおけるその測定を制限し得る。この状況において、制限は、サブバンドの測定結果を導出するために使用できるサブバンドにおける測定リソースを称す。
【０３０３】
上述した実施形態のいずれかと組み合わせることができる実施形態において、低密度のＮＺＰ  ＣＳＩ−ＲＳに起因するサブバンド測定精度に関する問題があり得る場合、ネットワークは、より大きいサブバンドサイズ（例えば、サブバンドにおいて４個のＰＲＢではなく、サブバンドにおいて８個のＰＲＢ）を構成し得る。ネットワークは、より大きいＰＲＧサイズ（例えば、４個のＰＲＢ）でプローブを実行するためにプローブを制限し得る。更に、サブバンドの数のバンドル（例えば、２、４又は８）は、予め指定され得る、又は、サブバンドの数のバンドル（例えば、２、４又は８）は、ＮＺＰの密度（例えば、Ｎ／密度に等しく、Ｎは、ＤＭＲＳ密度に関連する１２又は２４であり得る）、又は、上のＵＥの想定又はＵＥ周波数領域測定制限のどれが適用されるかに基づいて、レポート構成に関連するネットワークによってシグナリングされるサブバンドの数によって決定され得る。
【０３０４】
上述した実施形態のいずれかと組み合わせることができる実施形態において、上のＵＥの想定又はＵＥの挙動をもたらす構成条件の組み合わせは、以下のうち１又は複数によって置き換えられ得る。１）レポートをＰＤＳＣＨ／ＤＭＲＳにリンクするなどのプローブ／プリスケジューリングモードを指定するシグナリング（ＲＲＣ、ＭＡＣ又はＤＣＩ）、プローブのために上で設計されたシグナリングなど、２）サブバンド（又は周波数領域における任意の他の粒度）測定想定を指定するシグナリング（ＲＲＣ、ＭＡＣ又はＤＣＩ）、３）サブバンド（又は周波数領域における任意の他の粒度）レポートを指定するシグナリング（ＲＲＣ、ＭＡＣ又はＤＣＩ）、４）ＮＺＰ  ＣＳＩ−ＲＳに対して実行される干渉測定、５）ｃｒｉ−ＲＩ−ＣＱＩに設定された上位層パラメータｒｅｐｏｒｔＱｕａｎｔｉｔｙで構成されたＣＳＩ−ＲｅｐｏｒｔＣｏｎｆｉｇ、６）非周期ＣＳＩ−ＲＳ、７）非周期ＣＳＩレポート、又は、８）サブバンド（又は周波数領域における任意の他の粒度）測定制限を指定するシグナリング（ＲＲＣ、ＭＡＣ又はＤＣＩ）。特定の実施形態において、サブバンドＵＥ想定又はＵＥの挙動は、干渉測定、チャネル／信号測定のみ、又は、両方に適用され得る（これは、上述の１又は２つのシグナリングを使用し得て、例えば、１つはチャネル及び干渉の両方、又は、１つはチャネル、及び、他方は干渉）。
【０３０５】
図２７は、本開示の特定の実施形態に係る、ＵＥの挙動の組み合わせが実装される例示的な方法２７００を図示する。方法は、段階２７０２で開始する。ＩＭのＮＺＰ  ＣＳＩ−ＲＳが構成され、ＰＭＩ無しのＣＱＩレポートが構成され、サブバンドＣＱＩレポートが構成される。
【０３０６】
段階２７０４において、ＵＥは、第１構成で構成されているかどうかを決定する。特定の実施形態において、第１構成は、干渉測定のためのＮＺＰ  ＣＳＩ−ＲＳを使用する。ＵＥが、第１構成で構成されていないと決定する場合（例えば、ＩＭのＮＺＰ  ＣＳＩ−ＲＳが構成されていない）、段階２７０６で、ＵＥは、上述のように、ワイドバンドＵＥ想定／制限無しを適用する。
【０３０７】
段階２７０４に戻ると、ＵＥが、第１構成で構成されていると（例えば、ＩＭのＮＺＰ  ＣＳＩ−ＲＳが構成される）決定する場合、ＵＥは段階２７０８に進む。
【０３０８】
段階２７０８において、ＵＥは、第２構成で構成されているかどうかを決定する。特定の実施形態において、第２構成は、ＰＭＩ無しのＣＱＩレポートである。別の例として、第２構成は、サブバンドＣＱＩレポートであり得る。ＵＥが第２構成で構成されていないと決定する場合（例えば、ＰＭＩ無しのＣＱＩレポートが構成されない、又は、そのサブバンドＣＱＩレポートが構成されない）、方法は、上述のように、ＵＥがワイドバンドＵＥ想定／制限無しを適用する段階２７０６に進む。
【０３０９】
段階２７０８に戻ると、ＵＥが、第２構成で構成されていると決定する場合（例えば、ＰＭＩ無しのＣＱＩレポートが構成される、又は、サブバンドＣＱＩレポートが構成される）、ＵＥは段階２７１０に進む。段階２７１０において、ＵＥは、上述のように、サブバンドＵＥ想定／制限を適用する。
【０３１０】
特定の構成が第１及び第２構成について説明されるが、本開示は、第１及び第２構成である上述などの任意の好適な構成を予期する。加えて、図２７の方法に関連して説明される特定の構成は、第１及び第２構成として指定されるが、この開示は、どの構成が第１である、どれが第２を適切に反転することを予期する。更に、図２７に示される例示的な方法は、２つの構成の組み合わせを含む。しかしながら、本開示は、ＵＥが、可能な上述の構成のいずれを含む、（方法２７００に関連して説明されるものと異なる、又は、それに加えて）１つの構成又は複数の構成で実装されることを予期する。関連する実施形態サブバンドＵＥ想定、ＵＥの挙動、及び、測定制限も上で列挙される。
【０３１１】
実施形態において、サウンディング基準信号（ＳＲＳ）が、ｓｐａｔｉａｌＲｅｌａｔｉｏｎＩｎｆｏを介してＮＺＰ  ＣＳＩ−ＲＳリソースに関連する場合、ＮＺＰに適用されるサブバンド測定は、同一の周波数領域の粒度を有する、ＳＲＳのサブバンドプリコーディングをもたらす。
【０３１２】
実施形態において、ｒｅｐｏｒｔＱｕａｎｔｉｔｙが「ｃｒｉ−ＲＩ−ＣＱＩ」に設定される場合、ランクインジケータ（ＲＩ）制限はシグナリングであり得る。ＲＩ制限は、ランク１からランク８のどのランクが選択されるかを指定するようＣＳＩ−ＲｅｐｏｒｔＣｏｎｆｉｇにおいて構成された８ビットのビットマップであり得て、第ｉのビット（０〜７）はランクｉ＋１のものである。ＵＥは、可能なＲＩのための測定を実行し、他のＲＩのための測定を実行しない（例えば、１に設定されたビットマップ位置に関連するポート／層がＵＥによって使用される）。これらの測定に基づき、ＵＥは、１つのＲＩ、及び、関連するＣＲＩ／ＲＩを選択してレポートする。ＲＩ制限ビットマップは、ＣＳＩ−ＲｅｐｏｒｔＣｏｎｆｉｇにおける新しいフィールドであり得る、又は、ＣｏｄｅｂｏｏｋＣｏｎｆｉｇにおけるｔｙｐｅＩ−ＳｉｎｇｌｅＰａｎｅｌ−ｒｉ−Ｒｅｓｔｒｉｃｔｉｏｎを再使用し得る（ＵＥはＣｏｄｅｂｏｏｋＣｏｎｆｉｇにおける他のフィールドを無視する）。複数のＣＳＩ−ＲｅｐｏｒｔＣｏｎｆｉｇは、同一のＮＺＰに基づく場合、同一のＰｏｒｔＩｎｄｅｘＦｏｒ８Ｒａｎｋｓに関連し得るが、各々は、異なるランクを指定するために自身のＲＩ制限を有し、これにより、シグナリングオーバヘッドを節約する。
【０３１３】
図２８は、本開示の特定の実施形態に係る、無線通信のための例示的な方法２８００を図示する。この例の目的で、ＵＥは、方法２８００の段階を実行するように説明される。方法は段階２８０２で開始する。
【０３１４】
段階２８０４において、ＵＥは、チャネル測定（ＣＭ）及び干渉測定（ＩＭ）のためのＮＺＰ  ＣＳＩ−ＲＳリソースの組のインジケーションを受信する。例として、ＣＭ及びＩＭのためのＮＺＰ  ＣＳＩ−ＲＳリソースの組のインジケーションは、ＮｏｄｅＢ、ｅＮＢ、ｇＮＢ又は任意の他の好適なタイプのネットワークノードなどのネットワークノードから、ＵＥによって受信され得る。ＮＺＰ  ＣＳＩ−ＲＳリソースの組の第１サブセットはＣＭのために構成され得て、ＮＺＰ  ＣＳＩ−ＲＳリソースの組の第２サブセットはＩＭのために構成され得る。特定の実施形態において、ＣＭ及びＩＭのためのＮＺＰ  ＣＳＩ−ＲＳリソースの組のインジケーションは、ＣＭのために構成されたＮＺＰ  ＣＳＩ−ＲＳリソースの組の第１サブセット、及び、ＩＭのために構成されたＮＺＰ  ＣＳＩ−ＲＳリソースの組の第２サブセットのインジケーションを含む。上述のように、ＮＺＰ  ＣＳＩ−ＲＳリソースの第１サブセット、及び、ＮＺＰ  ＣＳＩ−ＲＳリソースの第２サブセットは、重複することも、又は、そうでないこともあり得る。
【０３１５】
特定の実施形態において、ＵＥは、ＤＣＩを介して、ＮＺＰ  ＣＳＩ−ＲＳリソースの第１サブセット及びＮＺＰ  ＣＳＩ−ＲＳリソースの第２サブセットのインジケーションを（例えばネットワークノードから）受信する。追加的又は代替的に、ＵＥは、ＤＣＩ及びＭＡＣシグナリングの組み合わせを介して、ＮＺＰ  ＣＳＩ−ＲＳリソースの第１サブセット、及び、ＮＺＰ  ＣＳＩ−ＲＳリソースの第２サブセットのインジケーションを（例えばネットワークノードから）受信し得る。特定の実施形態において、ＤＣＩは、１又は複数のＣＳＩレポート設定の動的トリガを提供する。
【０３１６】
段階２８０６において、ＵＥは、干渉測定についてのＵＥによる想定に影響し得る、ＣＳＩ−ＩＭのためのリソースの組の構成を受信する。本開示は更に、ＵＥがチャネル測定に関連する測定制限の構成を（例えばネットワークノードから）受信すること、干渉測定に関連する測定制限の構成を（例えばネットワークノードから）受信すること、又は、チャネル測定に関連する測定制限の構成、及び、干渉測定に関連する測定制限の構成の両方を（例えばネットワークノードから）受信することを予期する。
【０３１７】
段階２８０８で、ＵＥは、ＮＺＰ  ＣＳＩ−ＲＳリソースの組の第１サブセットに対してチャネル測定を実行する。ＵＥがチャネル測定に関連する測定制限の構成を（例えばネットワークノードから）受信する限り、段階２８０８において実行されるチャネル測定は、チャネル測定に関連する測定制限の受信した構成に従って実行され得る。チャネル測定はＣＳＩレポートに関連して実行され得る。
【０３１８】
段階２８１０において、ＵＥがＮＺＰ  ＣＳＩ−ＲＳリソースの組の少なくとも第２サブセットに対して干渉測定を実行する。ＮＺＰ  ＣＳＩ−ＲＳリソースの組の第２サブセットは、１又は複数のＮＺＰ  ＣＳＩ−ＲＳポートを含み得る。特定の実施形態において、ＵＥは、１又は複数の想定に従って干渉測定を実行する。
【０３１９】
第１の例示的想定として、ＵＥは、ＮＺＰ  ＣＳＩ−ＲＳリソースの組の第２サブセットにおける各ＮＺＰ  ＣＳＩ−ＲＳポートが干渉送信層に対応するという想定に従って干渉測定を実行し得て、干渉測定は、ＮＺＰ  ＣＳＩ−ＲＳリソースの組の第２サブセットにおける１つのＮＺＰ  ＣＳＩ−ＲＳリソースに各々関連する、リソースエレメントあたりのエネルギー（ＥＰＲＥ）の比の組に従い得る。特定の実施形態において、ＮＺＰ  ＣＳＩ−ＲＳリソースの組の第２サブセットにおける１つのＮＺＰ  ＣＳＩ−ＲＳリソースに各々関連するＥＰＲＥの比の組における各ＥＰＲＥの比は、ＮＺＰ  ＣＳＩ−ＲＳリソースでの、ＰＤＳＣＨ  ＥＰＲＥと、ＮＺＰ  ＣＳＩ−ＲＳ信号のＥＰＲＥとの想定比率を指定する。
【０３２０】
第２の例示的想定として、ＵＥは、干渉送信層に関連しない他の干渉が、ＮＺＰ  ＣＳＩ−ＲＳリソースの組の第２サブセットが対応するＮＺＰ  ＣＳＩ−ＲＳポートが、ＮＺＰ  ＣＳＩ−ＲＳリソースの組の第１サブセット及びＮＺＰ  ＣＳＩ−ＲＳリソースの組の第２サブセットに対するものであるとう想定に従って干渉測定を実行し得る。
【０３２１】
第３の例示的想定として、ＵＥがＣＳＩ−ＩＭのためのリソースの組の構成を（例えば段階２８０６で）受信する限り、ＵＥは、ＮＺＰ  ＣＳＩ−ＲＳリソースの組の第２サブセットにおけるＮＺＰ  ＣＳＩ−ＲＳポートが対応する干渉送信層に関連しない他の干渉がＣＳＩ−ＩＭのためのリソースの組に対するものであるという想定に従って干渉測定を実行し得る。
【０３２２】
更に、ＵＥは、説明された想定及び他の想定の任意の好適な組み合わせに従って干渉測定を実行し得る。
【０３２３】
ＵＥが干渉測定に関連する測定制限の構成を（例えばネットワークノードから）受信する限り、段階２８１０において実行される干渉測定は、干渉測定に関連する測定制限の受信した構成に従って実行され得る。干渉測定は、ＣＳＩレポートに関連して実行され得る。
【０３２４】
段階２８１２において、ＵＥは、チャネル測定（例えば、段階２８０８で実行される）及び干渉測定（例えば段階２８１０で実行される）に基づいてＣＳＩレポートを生成し得る。特定の実施形態において、ＣＳＩレポートは、少なくともＣＱＩを含むが、ＰＭＩを含まない。しかしながら、この開示は、情報の任意の好適な組み合わせを含む（適切な場合はＰＭＩを含む）ＣＳＩレポートを予期することに留意されたい。
【０３２５】
段階２８１４において、ＵＥは、ＣＳＩレポートをネットワークへ送信し得る。例えば、ＵＥは、段階２８０４でＮＺＰ  ＣＳＩ−ＲＳリソースの組をＵＥへ送信したネットワークノードと同一であることも、又は、そうでないこともあり得るネットワークノードへＣＳＩレポートを送信し得る。段階２８１６で、方法が終了する。
【０３２６】
図２９は、本開示の特定の実施形態に係る、無線通信のための例示的な方法２９００を図示する。この例の目的で、ネットワークノードは、方法２９００の段階を実行するものとして説明される。例えば、ネットワークノードは、ＮｏｄｅＢ、ｅＮＢ、ｇＮＢ又は任意の他の好適なタイプのネットワークノードであり得る。方法は段階２９０２で開始する。
【０３２７】
段階２９０４で、ネットワークノードは、チャネル測定（ＣＭ）及び干渉測定（ＩＭ）のためのＮＺＰ  ＣＳＩ−ＲＳリソースの組をＵＥに指示し得る。ＮＺＰ  ＣＳＩ−ＲＳリソースの組の第１サブセットはＣＭのために構成され得て、ＮＺＰ  ＣＳＩ−ＲＳリソースの組の第２サブセットはＩＭのために構成され得る。特定の実施形態において、ＣＭ及びＩＭのためのＮＺＰ  ＣＳＩ−ＲＳリソースの組のインジケーションは、ＣＭのために構成されたＮＺＰ  ＣＳＩ−ＲＳリソースの組の第１サブセット、及び、ＩＭのために構成されたＮＺＰ  ＣＳＩ−ＲＳリソースの組の第２サブセットのインジケーションを含む。上述のように、ＮＺＰ  ＣＳＩ−ＲＳリソースの第１サブセット、及び、ＮＺＰ  ＣＳＩ−ＲＳリソースの第２サブセットは、重複することも、又は、そうでないこともあり得る。
【０３２８】
特定の実施形態において、ネットワークノードは、ＤＣＩを介して、ＮＺＰ  ＣＳＩ−ＲＳリソースの第１サブセット、及び、ＮＺＰ  ＣＳＩ−ＲＳリソースの第２サブセットのインジケーションを（例えばＵＥへ）通信する。追加的又は代替的に、ネットワークノードは、ＤＣＩ及びＭＡＣシグナリングの組み合わせを介して、ＮＺＰ  ＣＳＩ−ＲＳリソースの第１サブセット、及び、ＮＺＰ  ＣＳＩ−ＲＳリソースの第２サブセットのインジケーションを（例えばＵＥへ）通信し得る。特定の実施形態において、ＤＣＩは、１又は複数のＣＳＩレポート設定の動的トリガを提供する。ネットワークノードがＮＺＰ  ＣＳＩ−ＲＳリソースの組、ＮＺＰ  ＣＳＩ−ＲＳリソースの組の第１サブセット、及び、ＮＺＰ  ＣＳＩ−ＲＳリソースの組の第２サブセットを指示するための特定の技法が説明されているが、本開示は、ネットワークノードが任意の好適な方式でこれらのリソースをＵＥに指示することを予期する。
【０３２９】
段階２９０６において、ネットワークノードは、干渉測定についてのＵＥによる想定に影響し得る、ＣＳＩ−ＩＭのためのリソースの組の構成をＵＥに指示する。
【０３３０】
段階２９０８において、ネットワークノードは、チャネル測定に関連する測定制限、干渉測定に関連する測定制限、又は両方を提供するかどうかを決定する。
【０３３１】
段階２９０８で、ネットワークノードが測定制限を提供することを決定する場合、段階２９１０で、及び、ネットワークノードが出すことを決定する測定制限のタイプに応じて、ネットワークノードは、１又は複数の好適なタイプの測定制限のうち１又は複数の構成を指示する。例えば、段階２９０８で、ネットワークノードが、チャネル測定に関連する測定制限を提供すると決定する場合、段階２９１０で、ネットワークノードは、チャネル測定に関連する測定制限の構成をＵＥに指示する。別の例として、段階２９０８で、ネットワークノードが、干渉測定に関連する測定制限を提供すると決定する場合、段階２９１０において、ネットワークノードは、干渉測定に関連する測定制限の構成をＵＥに指示する。別の例として、段階２９０８で、ネットワークノードが、チャネル測定に関連する測定制限、及び、干渉測定に関連する測定制限の両方を提供すると決定する場合、段階２９１０で、ネットワークノードは、チャネル測定に関連する測定制限の構成、及び、干渉測定に関連する測定制限の構成の両方をＵＥに指示する。
【０３３２】
段階２９０８に戻ると、ネットワークノードが、測定制限を提供しないと決定する場合、方法は段階２９１２に進む。
【０３３３】
段階２９１２において、ネットワークノードは、ＣＳＩレポートをＵＥから受信する。受信ＣＳＩレポートは、段階２９０４における、ＮＺＰ  ＣＳＩ−ＲＳリソースのＵＥへの、ネットワークノードによるインジケーションに応答してＵＥによって実行されるチャネル測定及び干渉測定に基づく。
【０３３４】
例えば、ＵＥは、ＮＺＰ  ＣＳＩ−ＲＳリソースの組の第１サブセットでチャネル測定を実行し得る。ネットワークノードが、チャネル測定に関連する測定制限の構成をＵＥに指示する限り、ＵＥによって実行されるチャネル測定は、チャネル測定に関連する測定制限の指示された構成に従って実行され得る。
【０３３５】
別の例として、ＵＥは少なくとも、ＮＺＰ  ＣＳＩ−ＲＳリソースの組の第２サブセットに対して干渉測定を実行し得る。ＮＺＰ  ＣＳＩ−ＲＳリソースの組の第２サブセットは１又は複数のＮＺＰ  ＣＳＩ−ＲＳポートを含み得る。特定の実施形態において、ＵＥは、１又は複数の想定に従って干渉測定を実行し得る。
【０３３６】
第１の例示的想定として、ＵＥは、ＮＺＰ  ＣＳＩ−ＲＳリソースの組の第２サブセットにおける各ＮＺＰ  ＣＳＩ−ＲＳポートが干渉送信層に対応するという想定に従って干渉測定を実行し得て、干渉測定は、ＮＺＰ  ＣＳＩ−ＲＳリソースの組の第２サブセットにおける１つのＮＺＰ  ＣＳＩ−ＲＳリソースに各々関連する、リソースエレメントあたりのエネルギー（ＥＰＲＥ）の比の組に従い得る。特定の実施形態において、ＮＺＰ  ＣＳＩ−ＲＳリソースの組の第２サブセットにおける１つのＮＺＰ  ＣＳＩ−ＲＳリソースに各々関連するＥＰＲＥの比の組における各ＥＰＲＥの比は、ＮＺＰ  ＣＳＩ−ＲＳリソースでの、ＰＤＳＣＨ  ＥＰＲＥと、ＮＺＰ  ＣＳＩ−ＲＳ信号のＥＰＲＥとの想定比率を指定する。
【０３３７】
第２の例示的想定として、ＵＥは、干渉送信層に関連しない他の干渉が、ＮＺＰ  ＣＳＩ−ＲＳリソースの組の第２サブセットが対応するＮＺＰ  ＣＳＩ−ＲＳポートが、ＮＺＰ  ＣＳＩ−ＲＳリソースの組の第１サブセット及びＮＺＰ  ＣＳＩ−ＲＳリソースの組の第２サブセットに対するものであるとう想定に従って干渉測定を実行し得る。
【０３３８】
第３の例示的想定として、ネットワークノードがＣＳＩ−ＩＭのためのリソースの組の構成を（例えば段階２９０６で）指示する限り、ＵＥは、ＮＺＰ  ＣＳＩ−ＲＳリソースの組の第２サブセットにおけるＮＺＰ  ＣＳＩ−ＲＳポートが対応する干渉送信層に関連しない他の干渉がＣＳＩ−ＩＭのためのリソースの組に対するものであるという想定に従って干渉測定を実行し得る。
【０３３９】
更に、ＵＥは、説明された想定及び他の想定の任意の好適な組み合わせに従って干渉測定を実行し得る。
【０３４０】
ネットワークノードが、干渉測定に関連する測定制限の構成をＵＥに（例えば段階２９１０で）指示する限り、ＵＥによって実行される干渉測定は、干渉測定に関連する測定制限の指示された構成に従って実行され得る。
【０３４１】
特定の実施形態において、ＣＳＩレポートは、少なくともＣＱＩを含むが、ＰＭＩを含まない。しかしながら、この開示は、情報の任意の好適な組み合わせを含む（適切な場合はＰＭＩを含む）ＣＳＩレポートを予期することに留意されたい。
【０３４２】
段階２９１４で、ネットワークノードは、受信されたＣＳＩレポートに従ってデータを送信し得る。例えば、ＵＥから受信されるＣＳＩレポートに含まれる情報に基づき、ネットワークノードは、ＵＥとの通信のための適切なリソースを選択し得る。段階２９１６において、方法は終了する。
【０３４３】
本開示は、本開示において説明される様々な方法及びプロセスについての特定のオペレーションを実行するものとして特定のコンポーネントを説明するが、本開示は、これらのオペレーションを実行する他のコンポーネントを予期する。加えて、本開示は本開示において説明される様々な方法及びプロセスについての特定のオペレーションが、特定の順序で発生するものとして説明又は図示するが、本開示は、任意の好適な順番で発生する任意の好適なオペレーションを予期する。更に、本開示は、任意の好適なオペレーションが、任意の好適な順番で、１又は複数の回数繰り返されることを予期する。本開示は、本開示において説明される様々な方法及びプロセスのための特定のオペレーションが順次発生するものとして説明又は図示するが、本開示は、適切な場合、任意の好適なオペレーションが実質的に同時に発生することを予期する。本明細書において説明又は図示される任意の好適なオペレーション又はオペレーションのシーケンスは、適切な場合、オペレーティングシステム又はカーネルなど、別のプロセスによって中止、一時中断、又は、さもなければ、制御される。この動作は、システム処理の全て又は大部分を占めるオペレーティングシステム環境又はスタンドアロンルーチンで動作し得る。
【０３４４】
図３０は、本開示の特定の実施形態に係る干渉測定のためのＮＺＰ  ＣＳＩ−ＲＳに基づくＭＵ−ＭＩＭＯリンク適合を示す例示的な通信フローを図示する。図示されている例は、３つのタイムライン３００２、すなわち、第１ＵＥ３００４ａ（ＵＥ１）のためのタイムライン３００２ａ、ｇＮＢ３００６のためのタイムライン３００２ｂ、及び、第２ＵＥ３００４ｂ（ＵＥ２）のためのタイムライン３００２ｃを含む。ｇＮＢ３００６はｇＮＢとして説明されるが、本開示は、ｇＮＢ３００６が、任意の好適なタイプのネットワークノードであることを予期する。
【０３４５】
ＵＥ１は、３００８ａで、ＣＱＩレポートをｇＮＢ３００６へ送信し、ＵＥ２は、３００８ｂで、ＣＱＩレポートをｇＮＢ３００６へ送信する。ｇＮＢ３００６は３０１０で多ユーザペアリングを実行する。３０１２（時間ｎ）で、ｇＮＢ３００６は、ＵＥ１及びＵＥ２をプローブし、チャネル測定及び干渉測定のための適切なリソースをＵＥ１及びＵＥ２へ送信することを含む。例えば、ｇＮＢは、干渉測定のためのＮＺＰ  ＣＳＩ−ＲＳリソース（ＮＺＰ  ＩＭＲ３０１４ａ）及びチャネル測定のためのＮＺＰ  ＣＳＩ−ＲＳリソース（ＮＺＰ  ＣＭＲ３０１６ａ）をＵＥ１へ送信し、干渉測定のためのＮＺＰ  ＣＳＩ−ＲＳリソース（ＮＺＰ  ＩＭＲ３０１４ｂ）及びチャネル測定のためのＮＺＰ  ＣＳＩ−ＲＳリソース（ＮＺＰ  ＣＭＲ３０１６ｂ）をＵＥ２へ送信する。また、上述のように、様々な測定制限は、プローブプロセスの一部として、ｇＮＢ３００６によって指示され得る。
【０３４６】
干渉及びチャネル測定リソースに応答して、ＵＥ１及びＵＥ２はそれぞれ、ＣＱＩ導出３０２２ａ及び３０２２ｂを実行する。このＣＱＩ導出は、３０１２で指示される指示リソースを使用して、それぞれのチャネル測定及び干渉測定を実行すること（プローブ）を含む。上述のように、干渉測定は、１又は複数の想定に従って実行され得る。
【０３４７】
ＵＥ１は３０２４ａで別のＣＱＩレポートをｇＮＢ３００６へ送信し、ＵＥ２は３０２４ｂで別のＣＱＩレポートをｇＮＢ３００６へ送信する。３０２４でＣＱＩレポートにおいて受信された情報に基づき、ｇＮＢ３００６は、多ユーザ送信３０２６を実行する。送信はＰＤＳＣＨであり得る。３０２８ａ及び３０２８ｂにおいて、それぞれ、ＵＥ１及びＵＥ２は、（時間ｎ＋ｋで）ＰＤＳＣＨ送信を受信し得る。
【０３４８】
図示されている例において、時間ｎにおける干渉測定リソースは時間ｎ＋ｋにおける多ユーザ干渉を反映する。ＵＥ１のチャネル測定リソース３０１６ａは、ＵＥ２の干渉測定リソース３０１４ｂである。更に、時間ｎにおける干渉測定のＮＺＰ  ＣＳＩ−ＲＳは、干渉物（セル間又はセル内）からのプリコーディングされた基準信号であり、時間ｎ＋ｋでの干渉を反映する。
【０３４９】
本開示の実施形態は、１又は複数の技術的利点を提供し得る。特定の実施形態において、干渉測定のためにＮＺＰ  ＣＳＩ−ＲＳリソースを構成することは、改善されたリンク適合性能を提供する。特定の実施形態は、高いスペクトル周波数の使用を容易にする。特定の実施形態は、多入力多出力（ＭＩＭＯ）及び大規模ＭＩＭＯシステムの使用に好適である改善された性能を提供する。本開示の特定の実施形態に係るリンク適合は、時間ｎにおける干渉測定リソースが、時間ｎ＋ｋにおける多ユーザ干渉を反映することを可能にし、第１ＵＥのチャネル測定リソースは第２ＵＥの干渉測定リソースであり、これは、多ユーザＭＩＭＯシステムにおいて有利であり得る。特定の実施形態は、キャリアアグリゲーション／チャネルアグリゲーション及びカバレッジ拡張における性能を改善し得る。
【０３５０】
図３１は、本開示の特定の実施形態に係る、本明細書に開示されるシステム、装置、デバイス、方法を実装するのに使用され得る処理システム３１００のブロック図である。
【０３５１】
特定のデバイスは、示されるコンポーネントの全てを利用し得るか、又は、コンポーネントのサブセットのみを利用し得て、統合のレベルはデバイスごとに異なり得る。更に、デバイスは、複数の処理ユニット、プロセッサ、メモリ、送信機、受信機、その他などの、コンポーネントの複数のインスタンスを含み得る。処理システムは、スピーカー、マイク、マウス、タッチスクリーン、キーパッド、キーボード、プリンタ、ディスプレイ、及び同様のものなど、１又は複数の入力／出力デバイスを含む処理ユニット３１０２を備え得る。処理ユニット３１０２は、中央処理装置（ＣＰＵ）３１０４、メモリ３１０６、大容量ストレージデバイス３１０８、ビデオアダプタ３１１０、及び、バスに接続されたＩ／Ｏインタフェース３１１２を含み得る。
【０３５２】
バスは、メモリバス又はメモリコントローラ、周辺バス、ビデオバスなどを含むあらゆる種類のいくつかのバスアーキテクチャのうち１又は複数であってよい。ＣＰＵ３１０４は、任意のタイプの電子データプロセッサを含み得る。メモリ３１０６は、静的ランダムアクセスメモリ（ＳＲＡＭ）、動的ランダムアクセスメモリ（ＤＲＡＭ）、シンクロナスＤＲＡＭ（ＳＤＲＡＭ）、リードオンリーメモリ（ＲＯＭ）、それらの組み合わせ、又は、同様のものなど、任意のタイプのシステムメモリを含み得る。実施形態において、メモリ３１０６は、ブートアップで使用するためのＲＯＭ、及び、プログラムを実行中に使用するためのプログラム及びデータのストレージのためのＤＲＡＭを含み得る。
【０３５３】
大容量ストレージデバイス３１０８は、データ、プログラム、他の情報を記憶するよう、及び、バスを介してデータ、プログラム、他の情報をアクセス可能にするよう構成された任意のタイプのストレージデバイスを含み得る。大容量ストレージデバイス３１０８は、例えば、ソリッドステートドライブ、ハードディスクドライブ、磁気ディスクドライブ、光ディスクドライブ、又は同様のもののうち１又は複数を含み得る。
【０３５４】
ビデオアダプタ３１１０及びＩ／Ｏインタフェース３１１２は、外部入出力デバイスを処理ユニット３１０２に接続するためのインタフェースを提供する。図示されるように、入出力デバイスの例は、ビデオアダプタ３１１０に接続されたディスプレイ３１１４、及び、Ｉ／Ｏインタフェース３１１２に接続されたマウス／キーボード／プリンタ３１１６を含む。他のデバイスは、処理ユニット３１０２に接続され得て、追加の又はより少ないインタフェースカードが利用され得る。例えば、シリアルインタフェースカード（図示せず）は、プリンタのためのシリアルインタフェースを提供するために使用され得る。
【０３５５】
処理ユニット３１０２はまた、ノード又は異なるネットワーク３１２０にアクセスするためのＥｔｈｅｒｎｅｔ（登録商標）ケーブル又は同様のものなどの有線リンク、及び／又は、無線リンクを含み得る１又は複数のネットワークインタフェース３１１８を備え得る。ネットワークインタフェース３１１８は、処理ユニット３１０２がネットワーク３１２０を介して遠隔ユニットと通信することを可能にする。例えば、ネットワークインタフェース３１１８は、１又は複数の送信機／送信アンテナ、及び、１又は複数の受信機／受信アンテナを介して無線通信を提供し得る。実施形態において、処理ユニット３１０２は、データ処理、及び、他の処理ユニット、インターネット、遠隔ストレージ設備又は同様のものなどの遠隔デバイスとの通信のために、ローカルエリアネットワーク又はワイドエリアネットワークに接続される。
【０３５６】
ホストデバイスに配置され得る、本明細書において説明される方法を実行するための実施形態の処理システム。処理システムは、プロセッサ、メモリ、及び、インタフェースを備え得る。プロセッサは、計算及び／又はタスクに関連する他の処理を実行するように適合された任意のコンポーネント、又は、コンポーネントの集合であり得て、メモリは、プロセッサによって実行するためのプログラム及び／又は命令を記憶するよう適合された任意のコンポーネント、又は、コンポーネントの集合であり得る。実施形態において、メモリは、非一時的コンピュータ可読媒体を含む。インタフェースは、処理システムが他のデバイス／コンポーネント及び／又はユーザと通信することを可能にする任意のコンポーネント、又は、コンポーネントの集合であり得る。例えば、１又は複数のインタフェースは、プロセッサから、ホストデバイス及び／又は遠隔デバイスに配置されたアプリケーションへ、データ、制御、又は管理メッセージを通信するよう適合され得る。別の例として、１又は複数のインタフェースは、ユーザ又はユーザデバイス（例えばパーソナルコンピュータ（ＰＣ）など）が処理システムとインタラクション／通信することを可能にするよう適合され得る。処理システムは、長期ストレージ（例えば、非揮発性メモリなど）など、図に示されない追加のコンポーネントを備え得る。
【０３５７】
いくつかの実施形態において、処理システムは、遠隔通信ネットワークにアクセスする、又は、さもなければその一部である、ネットワークデバイスに含まれる。一例において、処理システムは、基地局、中継局、スケジューラ、コントローラ、ゲートウェイ、ルータ、アプリケーションサーバ、又は、遠隔通信ネットワークにおける任意の他のデバイスなど、無線又は有線遠隔通信ネットワークにおけるネットワーク側デバイスにある。他の実施形態において、処理システムは、移動局、ユーザ機器（ＵＥ）、パーソナルコンピュータ（ＰＣ）、タブレット、ウェアラブル通信デバイス（例えばスマートウォッチなど）、又は、遠隔通信ネットワークにアクセスするよう適合される任意の他のデバイスなど、無線又は有線遠隔通信ネットワークにアクセスするユーザ側デバイスにある。
【０３５８】
いくつかの実施形態において、１又は複数のインタフェースは、遠隔通信ネットワークでシグナリングを送信及び受信するよう適合された送受信機に処理システムを接続する。
【０３５９】
いくつかの実施形態において、遠隔通信ネットワークでシグナリングを送信及び受信するよう適合された送受信機が提供される。送受信機は、ホストデバイスに配置され得る。送受信機は、ネットワーク側インタフェース、カプラ、送信機、受信機、信号プロセッサ、及び、デバイス側インタフェースを含む。ネットワーク側インタフェースは、無線又は有線遠隔通信ネットワークでシグナリングを送信又は受信するよう適合された任意のコンポーネント、又は、コンポーネントの集合を含み得る。カプラは、ネットワーク側インタフェースでの双方向通信を容易にするよう適合された任意のコンポーネント、又は、コンポーネントの集合を含み得る。送信機は、ネットワーク側インタフェースでの送信に好適な変調キャリア信号へとベースバンド信号を変換するよう適合された任意のコンポーネント、又は、コンポーネントの集合（例えばアップコンバータ、電力増幅器など）を含み得る。受信機は、ネットワーク側インタフェースで受信されたキャリア信号をベースバンド信号へ変換するよう適合された任意のコンポーネント、又は、コンポーネントの集合（例えば、ダウンコンバータ、低ノイズ増幅器など）を含み得る。信号プロセッサは、デバイス側インタフェースでの通信に好適なデータ信号へとベースバンド信号を変換するよう適合された（又は、その逆も成立）任意のコンポーネント、又は、コンポーネントの集合を含み得る。デバイス側インタフェースは、信号プロセッサと、ホストデバイスにおけるコンポーネントとの間のデータ信号を通信するよう適合された任意のコンポーネント、又は、コンポーネントの集合（例えば、処理システム、ローカルエリアネットワーク（ＬＡＮ）ポートなど）を含み得る。
【０３６０】
送受信機は、任意のタイプの通信媒体でシグナリングを送信及び受信し得る。いくつかの実施形態において、送受信機は、無線媒体でシグナリングを送信及び受信する。例えば、送受信機は、セルラープロトコル（例えば、ロングタームエボリューション（ＬＴＥ）など）、無線ローカルエリアネットワーク（ＷＬＡＮ）プロトコル（例えば、Ｗｉ−Ｆｉなど）、又は、任意の他のタイプの無線プロトコル（例えば、Ｂｌｕｅｔｏｏｔｈ（登録商標）、近距離無線通信（ＮＦＣ）など）などの無線遠隔通信プロトコルに従って通信するよう適合された無線送受信機であり得る。そのような実施形態において、ネットワーク側インタフェースは、１又は複数のアンテナ／放射エレメントを含む。例えば、ネットワーク側インタフェースは、例えば、単一入力多出力（ＳＩＭＯ）、多入力単一出力（ＭＩＳＯ）、多入力多出力（ＭＩＭＯ）などの多層通信のために構成された、単一のアンテナ、複数の分離されたアンテナ、又は、複数のアンテナアレイを含み得る。他の実施形態において、送受信機は、例えば、ツイストペアケーブル、同軸ケーブル、光ファイバなどのワイヤライン媒体でシグナリングを送信及び受信する。具体的な処理システム及び／又は送受信機は、示されたコンポーネントの全て、又は、コンポーネントのサブセットのみを利用してよく、統合レベルは、デバイスによって異なってよい。
【０３６１】
本明細書において提供される実施形態に係る方法の１又は複数の段階は、対応するユニット又はモジュールにより実行され得ることが理解されるべきである。例えば、信号は、送信ユニット又は送信モジュールにより送信され得る。信号は、受信ユニット又は受信モジュールにより受信され得る。信号は、処理ユニット又は処理モジュールにより処理され得る。他の段階は、指示ユニット／モジュール、測定ユニット／モジュール、及び／又は、決定ユニット／モジュールによって実行され得る。それぞれのユニット／モジュールは、ハードウェア、ソフトウェア又はその組み合わせであり得る。例えば、１又は複数のユニット／モジュールは、フィールドプログラマブルゲートアレイ（ＦＰＧＡ）又は特定用途向け集積回路（ＡＳＩＣ）などの集積回路であり得る。
【０３６２】
本開示は、例示的実施形態に関連して説明されたが、この説明は、限定の意味として解釈されることを意図していない。例示的実施形態の様々な修正及び組み合わせ、及び、本開示の他の実施形態は、当業者が説明を参照することにより明らかになるであろう。故に、添付の特許請求の範囲は、任意のそのような修正又は実施形態を含むことを意図する。
【０３６３】
例えば、様々なエレメント又はコンポーネントは、組み合わされ得る、又は、別システムに統合され得る、又は、特定の機能が省略され得る、又は、実装されないことがあり得る。加えて、様々な実施形態において、別個又は分離したものとして説明及び図示される技法、システム、サブシステム、方法は、本開示の範囲から逸脱することなく、組み合わされ得る、又は、他のシステム、モジュール、技法、又は、方法と統合され得る。互いに接続される、直接接続される、又は、通信しているものとして示される、又は、説明される他の項目は、電気的、機械的、又は、別の方法で、いくつかインタフェース、デバイス又は中間コンポーネントを通して、間接的に接続又は通信し得る。他の、変更、置換、及び修正の複数の例は、当業者によって確認され、それらは本明細書において開示される主旨及び範囲から逸脱することなく成され得る。
【図１】
0006777342.tif 000019
【図２】
0006777342.tif 000020
【図３】
0006777342.tif 000021
【図４】
0006777342.tif 000022
【図５】
0006777342.tif 000023
【図６】
0006777342.tif 000024
【図７】
0006777342.tif 000025
【図８】
0006777342.tif 000026
【図９】
0006777342.tif 000027
【図１０】
0006777342.tif 000028
【図１１】
0006777342.tif 000029
【図１２】
0006777342.tif 000030
【図１３】
0006777342.tif 000031
【図１４】
0006777342.tif 000032
【図１５】
0006777342.tif 000033
【図１６】
0006777342.tif 000034
【図１７】
0006777342.tif 000035
【図１８】
0006777342.tif 000036
【図１９】
0006777342.tif 000037
【図２０】
0006777342.tif 000038
【図２１】
0006777342.tif 000039
【図２２】
0006777342.tif 000040
【図２３】
0006777342.tif 000041
【図２４】
0006777342.tif 000042
【図２５】
0006777342.tif 000043
【図２６】
0006777342.tif 000044
【図２７】
0006777342.tif 000045
【図２８】
0006777342.tif 000046
【図２９】
0006777342.tif 000047
【図３０】
0006777342.tif 000048
【図３１】
0006777342.tif 000049